(57)【要約】【課題】紳士用ズボン等の衣服の裾長さを着用する人に合わせて極めて短時間で調節することができる裾上げ具及び裾上げ機能付き衣服を提供すること。【解決手段】裾上げ紙１を裾上げ線１３に合わせて貼り付けたら紳士用ズボン１１全体を完全に裏返しにし、裾上げ紙１を広げて垂線９が脇線１２に一致するように裾の裏側に貼り付け、決定したヘム長さになるように裾上げ紙１の上から紳士用ズボン１１の裾を切り落とし、ヘム長さが８ｃｍの場合の本体部分３の折り曲げ溝７ａで谷折りして切断線を裾上げ線１３に一致させ、裾を裾上げ線１３に沿ってもう一度折り曲げ、アイロンを掛けて裾上げ線１３の折り目を付ける。両手で裾上げ線１３の折り目の対向する位置をそれぞれ摘んで引張ると、裾上げ線１３から裾線１１ｂまでの生地が綺麗に反転して、紳士用ズボン１１が裾上げされた状態になるので裾上げテープ１５で全周に亘って熱接着させる。【選択図】        図３
2004285483.tif 000002
【特許請求の範囲】
【請求項１】
紙またはそれに類似のある程度弾力性があってしかも折り曲げたときには素直に折り曲げることができる適度なしなやかさを兼ね備えた材料からなり、
衣服の裾の幅に近い幅を有する細長い長方形で一定間隔で前記長方形の底辺に平行に目盛り線が付けられた目盛り部分と、
前記目盛り部分を横に３分割した中央の長方形の上に設けられた前記中央の長方形と同形の長方形で、前記中央の長方形との境界部分から半分の高さまでに亘って前記目盛り線に平行に前記一定間隔の半分の間隔でミシン目または折り曲げ溝が付けられている本体部分と、
前記本体部分の上に設けられた前記本体部分と同じ幅で高さが低い接着部分と、
前記中央の長方形の下に設けられた前記中央の長方形と同じ幅で高さが低い下部接着部分とを有し、
前記本体部分及び前記中央の長方形には幅方向の中央に前記ミシン目または前記折り曲げ溝及び前記目盛り線に垂直に１本の垂線が引かれ、
前記接着部分には表側または裏側の一部または全面に両面テープが貼られ、前記目盛り部分には裏側に縦方向に間隔をおいてまたは横方向に間隔をおいて或いは全面に両面テープが貼られ、前記下部接着部分には裏側の一部または全面に両面テープが貼られ、
前記両面テープの剥離紙を付けたまま前記目盛り部分の左右の長方形が前記中央の長方形との境界線で折られてそれぞれ前記中央の長方形に重ねられるように折り畳まれ、折り畳まれた前記目盛り部分がさらに前記本体部分との境界線で折られて前記本体部分に重ねられるように折り畳まれ、折り畳まれた前記本体部分及び前記中央の長方形には外側にも幅方向の中央に１本の垂線が引かれていることを特徴とする裾上げ具。
【請求項２】
前記接着部分の表裏両面に両面テープが貼り付けられ、前記下部接着部分が設けられていないことを特徴とする請求項１に記載の裾上げ具。
【請求項３】
前記接着部分に前記接着部分とほぼ同じ大きさの第２の接着部分を糊代に接着剤を付けて前記接着部分と二股を成すように接着し、前記第２の接着部分の前記接着部分側に両面テープが貼り付けられていることを特徴とする請求項１に記載の裾上げ具。
【請求項４】
前記下部接着部分の表側にも前記両面テープが貼られていることを特徴とする請求項１に記載の裾上げ具。
【請求項５】
前記接着部分の上に前記接着部分との境界線を底辺とする二等辺三角形が設けられ、またはさらに前記下部接着部分の下に前記下部接着部分との境界線を底辺とする二等辺三角形が設けられ、前記接着部分、前記下部接着部分及び前記二等辺三角形部分には裏側の一部または全面に両面テープが貼られていることを特徴とする請求項１に記載の裾上げ具。
【請求項６】
前記接着部分を前記本体部分との境界線を底辺とする二等辺三角形とし、またはさらに前記下部接着部分を前記中央の長方形との境界線を底辺とする二等辺三角形とし、前記二等辺三角形部分には裏側の一部または全面に両面テープが貼られていることを特徴とする請求項１に記載の裾上げ具。
【請求項７】
前記目盛り部分の左右に前記目盛り部分の左右の長方形と高さが同じで幅が約１．５倍の長方形からなる延長部分をそれぞれ接続し、前記延長部分の裏側にも縦方向に間隔をおいてまたは横方向に間隔をおいて或いは全面に両面テープが貼られ、
前記延長部分はまず前記幅が約１．５倍の長方形の約３分の１の幅の位置で折り畳まれ、続いて前記左右の長方形との境界線で折り畳まれ、これらの折り畳まれた部分が前記中央の長方形に重ねられるようにそれぞれ折り畳まれ、さらに前記本体部分に重ねられるように折り畳まれていることを特徴とする請求項１乃至請求項６のいずれか１つに記載の裾上げ具。
【請求項８】
前記中央の長方形と前記本体部分との境界線に、前記折り畳まれた各部分の厚さとほぼ同じ広い幅の溝を設けたことを特徴とする請求項７に記載の裾上げ具。
【請求項９】
前記接着部分が二等辺三角形である場合または前記接着部分の上に二等辺三角形部分が設けられている場合には、前記接着部分の左右及び前記本体部分の上端の左右に前記二等辺三角形と同程度の高さと前記接着部分と同程度の幅を有する上部延長部分を設けて、左右の前記上部延長部分と前記接着部分の境界線に前記接着部分の下端まで切れ目を入れて前記上部延長部分を左右とも前記接着部分の下端の延長線に沿って手前側に折り、それ以外の場合には前記接着部分の左右及び前記本体部分の上端の左右に前記接着部分の約２倍以上の高さと前記接着部分と同程度の幅を有する上部延長部分を設けて、前記接着部分と前記本体部分の境界線の延長線に沿って前記接着部分とともに折り曲げるか前記接着部分と前記左右の上部延長部分との境界線に切れ目を入れて前記左右の上部延長部分の前記切れ目を入れた部分までは前記接着部分と反対側に折り曲げるかすることを特徴とする請求項１乃至請求項８のいずれか１つに記載の裾上げ具。
【請求項１０】
前記左右の長方形の上下に前記左右の長方形と同じ幅で高さが低い突出部分をそれぞれ設けたことを特徴とする請求項１乃至請求項９のいずれか１つに記載の裾上げ具。
【請求項１１】
前記左右の長方形の上または下に設けた前記突出部分を前記接着部分または前記下部接着部分と一体にしたことを特徴とする請求項１０に記載の裾上げ具。
【請求項１２】
前記目盛り線の前記一定間隔を１ｃｍとしたことを特徴とする請求項１乃至請求項１１のいずれか１つに記載の裾上げ具。
【請求項１３】
請求項１乃至請求項１２のいずれか１つに記載の裾上げ具を衣服の裾近傍の裏側に前記接着部分の両面テープの剥離紙を剥がして仮止めしたことを特徴とする裾上げ機能付き衣服。
【請求項１４】
紙またはそれに類似のある程度弾力性があってしかも折り曲げたときには素直に折り曲げることができる適度なしなやかさを兼ね備えた材料からなり、長方形からなる中心部分と、該中心部分の左右に設けられた同じ高さの長方形と、前記中心部分の上に設けられた接着部分と、前記中心部分及び前記左右の長方形の下に亘って設けられた下部接合部分とを具備し、前記中心部分と前記接着部分の表側中央に垂線が引かれた本体と、
前記下部接合部分とほぼ同じ幅を有し、高さ方向は空白部分、両面テープが全面に貼り付けられた接合部分、切断線が幅方向に平行に引かれた切断部分に区分された型紙とを有し、
前記本体の前記接着部分と前記下部接合部分の裏側の一部または全面及び前記中心部分及び前記左右の長方形の裏側の上端を含む一部または全面に両面テープが貼り付けられ、前記下部接合部分を前記中心部分及び前記左右の長方形との境界線でほぼ直角に前記両面テープが上面にくるように折り曲げて、
前記型紙の前記接合部分の前記両面テープの剥離紙を剥がして、前記本体の前記境界線（折り曲げ線）が前記型紙の前記接合部分と前記切断部分の境界線に一致するように前記下部接合部分を前記接合部分の前記両面テープに接着することによって前記本体と前記型紙を一体化させ、
前記下部接合部分の上面の前記両面テープの剥離紙を剥がして、衣服の裾の一周分より長く切った裾上げテープを前記下部接合部分に沿って前記両面テープに貼り付け、前記下部接合部分から外側へはみ出した部分は折り返して粘着テープで止め、
前記下部接合部分を完全に折り畳んで、前記切断部分を前記接合部分との境界線で前記接合部分の裏側へ回り込むように折り畳み、前記左右の長方形を前記中心部分の裏側に重なるように順に折り畳み、最後に前記接着部分を前記中心部分との境界線で前記中心部分の裏側に重なるように折り畳んで、前記接着部分の先端を前記中心部分の表側に届くまで粘着テープで止め、または前記接着部分の先端を三角の突起状として前記左右の長方形のうち上になった方に設けられた切り込みに前記接着部分の先端を差し込んで止めたことを特徴とする裾上げ具。
【請求項１５】
前記接着部分は前記中心部分の上端を底辺とする二等辺三角形または前記中心部分の上に設けられた高さの低い長方形の上に二等辺三角形が設けられた五角形であることを特徴とする請求項１４に記載の裾上げ具。
【請求項１６】
前記本体の前記下部接合部分の縦幅または前記型紙の前記空白部分と前記接合部分を合わせた縦幅が前記裾上げテープの幅と略一致することを特徴とする請求項１４または請求項１５に記載の裾上げ具。
【請求項１７】
前記左右の長方形のみ紙またはそれに類似の材料を二重にしたことを特徴とする請求項１４乃至請求項１６のいずれか１つに記載の裾上げ具。
【請求項１８】
前記左右の長方形の左右に高さが同じかまたは前記裾上げテープの幅以上の高さを有する延長部分を設けるとともに、前記型紙の前記空白部分の左右にも前記裾上げテープの幅以上の高さを有する延長部分を設け、前記各延長部分の端から端までの長さは、前記衣服の裾の一周分より長く切った裾上げテープの長さ以上であることを特徴とする請求項１４乃至請求項１７のいずれか１つに記載の裾上げ具。
【請求項１９】
前記中心部分及び前記左右の長方形の下に第１の折り曲げ線を境界として第１の折り曲げ部分を設け、その下に第２の折り曲げ線を境界として前記第１の折り曲げ部分と同じ幅の第２の折り曲げ部分を設け、さらにその下に前記切断部と前記切断線を設けて、前記第１の折り曲げ線において前記第１の折り曲げ部分を山折りに後方へ折り曲げ、前記第２の折り曲げ線において前記第２の折り曲げ部分を谷折りに前方へ折り曲げて前記切断部を前方へ突出させ、前記第１の折り曲げ部分の上面に両面テープで前記裾上げテープを貼り付けて止め、そのまま小さく折り畳んで使用するか、または前記第１の折り曲げ部分と前記第２の折り曲げ部分を接着剤または両面テープで接着してから小さく折り畳んで使用することを特徴とする請求項１４乃至請求項１８のいずれか１つに記載の裾上げ具。
【請求項２０】
幅が衣服の裾幅よりも小さい縦長の長方形で全面に剥離紙が貼られている片面全面接着紙を裏面を剥離紙として下から数ｃｍの位置で横に折って取付け代とし、この取付け代の中央に縦に切り込みを入れ、
前記取付け代の上端から前記片面全面接着紙の上端まで一定間隔で前記片面全面接着紙の底辺に平行に前記片面全面接着紙の表面の左端から右端まで目盛り線を引き、
前記片面全面接着紙を前記切り込みの延長線の前記目盛り線に垂直な縦方向中心線でまたは該縦方向中心線に平行な線で横に２つ以上に折り、前記取付け代の上端から前記片面全面接着紙の上端までを等分して上方から順に折り畳んで行き、最後の折り畳みで前記取付け代の上端に一致するように折り畳んだことを特徴とする裾上げ具。
【請求項２１】
前記片面全面接着紙の横に２つ以上に折った部分ごとに、また前記片面全面接着紙の上端までを等分して上方から順に折り畳んだ部分ごとに、前記片面全面接着紙の裏側の剥離紙が剥がせるように前記剥離紙に切れ目を入れたことを特徴とする請求項２０に記載の裾上げ具。
【請求項２２】
幅が衣服の裾幅よりも小さい縦長の長方形の紙の裏面に縦方向に複数本の両面テープを貼り、下から数ｃｍの位置で横に折って取付け代とし、この取付け代の中央に縦に切り込みを入れ、
前記取付け代の上端から前記長方形の紙の上端まで一定間隔で前記長方形の紙の底辺に平行に前記長方形の紙の表面の左端から右端まで目盛り線を引き、
前記長方形の紙を前記切り込みの延長線の前記目盛り線に垂直な縦方向中心線でまたは該縦方向中心線に平行な線で横に２つ以上に折り、前記取付け代の上端から前記長方形の紙の上端までを等分して上方から順に折り畳んで行き、最後の折り畳みで前記取付け代の上端に一致するように折り畳んだことを特徴とする裾上げ具。
【請求項２３】
前記縦方向中心線上に１または２以上の貫通孔が穿設されていることを特徴とする請求項２０乃至請求項２２のいずれか１つに記載の裾上げ具。
【請求項２４】
前記目盛り線の前記一定間隔を１ｃｍとしたことを特徴とする請求項２０乃至請求項２３のいずれか１つに記載の裾上げ具。
【請求項２５】
請求項２０乃至請求項２４のいずれか１つに記載の裾上げ具を衣服の裾の裏側に前記縦方向中心線側を脇線または股下線に揃え、或いは前記縦方向中心線を脇線または股下線に揃え、前記取付け代の下端をほぼ裾線に揃えて、下側になった前記取付け代をミシン掛けまたは接着剤または工作用の両面接着テープで仮止めして、上側になった前記取付け代は上方に折り返して、折り畳んだ部分が膨らんでこないように、上方に折り返した前記取付け代と下側になった前記取付け代、前記２つ以上に折った部分の左側と前記衣服の裏側、前記折り畳んだ部分の上端と前記衣服の裏側、そして前記２つ以上に折った部分の右側と前記衣服の裏側のうち少なくとも２箇所を粘着テープで止めたことを特徴とする裾上げ機能付き衣服。
【請求項２６】
紙またはそれに類似のある程度弾力性があってしかも折り曲げたときには素直に折り曲げることができる適度なしなやかさを兼ね備えた材料からなり、
中央の長方形及びその左右に連続する高さが同じ左右の長方形と、前記中央の長方形及び前記左右の長方形の下に第１の折り曲げ線を境界として第１の折り曲げ部分を設け、その下に第２の折り曲げ線を境界として前記第１の折り曲げ部分と同じ幅の第２の折り曲げ部分を設け、さらにその下に切断部と切断線を設けて、
前記中央の長方形及び前記左右の長方形の裏側上端に沿ってそれぞれ両面テープを貼り付け、
前記第１の折り曲げ線において前記第１の折り曲げ部分を山折りに後方へ折り曲げ、前記第２の折り曲げ線において前記第２の折り曲げ部分を谷折りに前方へ折り曲げて前記切断部を前方へ突出させ、前記中央の長方形の中央から前記切断部にかけて１本の垂線を引き、
前記第１の折り曲げ部分の上面に両面テープで衣服の裾全周より長く切った裾上げテープを貼り付けて止め、そのまま小さく折り畳んで使用するか、または前記第１の折り曲げ部分と前記第２の折り曲げ部分を接着剤または両面テープで接着してから小さく折り畳んで使用することを特徴とする裾上げ具。
【請求項２７】
前記第１の折り曲げ線において前記第１の折り曲げ部分を谷折りに上方へ折り曲げ、前記第２の折り曲げ線において前記第２の折り曲げ部分を山折りに下方へ折り曲げて前記切断部を下方へ突出させ、前記中央の長方形の中央から前記切断部にかけて１本の垂線を引き、
前記第２の折り曲げ部分の裏面に両面テープで衣服の裾全周より長く切った裾上げテープを貼り付けて止めるとともに前記切断部の前記切断線より内側の部分の裏側にも細く切った両面テープを貼り付け、そのまま小さく折り畳んで使用するか、または前記第１の折り曲げ部分と前記第２の折り曲げ部分を接着剤または両面テープで接着してから小さく折り畳んで使用することを特徴とする請求項２６に記載の裾上げ具。
【請求項２８】
幅が衣服の裾幅よりも小さい縦長の長方形で全面に剥離紙が貼られている片面全面接着紙を裏面を剥離紙として下から数ｃｍの位置で横に折って取付け代とし、この取付け代の中央に縦に切り込みを入れ、
前記取付け代の上端から前記片面全面接着紙の上端まで一定間隔で前記片面全面接着紙の底辺に平行に前記片面全面接着紙の表面の左端から右端まで目盛り線を引き、
前記片面全面接着紙の上端を山折りに向こう側へ折り、裾上げテープの幅と同じ長さ下がったところで谷折りして上方に折り返して、折り返し部分に両面テープで衣服の裾全周より長く切った前記裾上げテープを止めて、前記折り返し部分から両側へはみ出した前記裾上げテープは折り返して前記折り返し部分に収容するとともに前記折り返し部分の上端の残った部分には両面テープを貼り付けておき、
前記片面全面接着紙を前記切り込みの延長線の前記目盛り線に垂直な縦方向中心線でまたは該縦方向中心線に平行な線で横に２つ以上に折り、前記取付け代の上端から前記片面全面接着紙の上端までを等分して上方から順に折り畳んで行き、最後の折り畳みで前記取付け代の上端に一致するように折り畳んだことを特徴とする裾上げ具。
【請求項２９】
前記片面全面接着紙の上端を谷折りに手前側へ折り、裾上げテープの幅より長い位置のところでカットして、谷折り線に沿って前記片面全面接着紙の上端の裏側に両面テープで衣服の裾全周より長く切った前記裾上げテープを止めて、両側へはみ出した前記裾上げテープは折り返して収容し、前記片面全面接着紙の上端の裏側の残った部分には前記両面テープを貼り付けたことを特徴とする請求項２８に記載の裾上げ具。
【請求項３０】
前記片面全面接着紙の上端を山折りに向こう側へ折り、裾上げテープの幅と同じ長さ下がったところで谷折りして上方に折り返して、最初の山折り線から若干上へはみ出させたところで再び谷折りして下方へ折り返して、最初の谷折り線のところでまた谷折りして上方に折り返して、前記片面全面接着紙の上端が最初の山折り線に略一致するように折り、
最後の折り返し部分を最初の折り返し部分に接着して固定し、二重になった折り返し部分の手前側を３つ目の谷折り線から裾上げテープの幅だけ剥離紙を剥がして衣服の裾全周より長く切った前記裾上げテープを止めて、前記折り返し部分から両側へはみ出した前記裾上げテープは折り返して前記折り返し部分に収容し、
前記折り返し部分の上端のはみ出させた部分の剥離紙を剥がせるように切れ目を入れ、前記第１の谷折り線から前記裾上げテープの幅の１／２上がったところには目印線を引いたことを特徴とする請求項２８に記載の裾上げ具。
【請求項３１】
前記片面全面接着紙の上端を谷折りに手前側へ折り、裾上げテープの幅より長い位置のところで再び谷折りして上方へ折り返して、第１の谷折り線のところでまた谷折りして下方に沿って折り返して、前記片面全面接着紙の上端が第２の谷折り線と略一致するように折り、
最後の折り返し部分を前記片面全面接着紙の表側に接着して固定し、第３の谷折り線から前記裾上げテープの幅の分だけ剥離紙を剥がして衣服の裾全周より長く切った前記裾上げテープを止めて、両側へはみ出した前記裾上げテープは折り返して収容し、
前記片面全面接着紙の内側の残った部分は前記剥離紙を剥がせるように切れ目を付け、前記第１の谷折り線から前記裾上げテープの幅の１／２下がったところには目印線を引いたことを特徴とする請求項２９に記載の裾上げ具。
【請求項３２】
紙またはそれに類似のある程度弾力性があってしかも折り曲げたときには素直に折り曲げることができる適度なしなやかさを兼ね備えた材料からなり、幅が衣服の裾幅に近く前記幅方向に沿って２つに山折りに折られた本体部分と、前記本体部分の一方に接続して同じ幅で短く設けられた第１の接着部分と、前記本体部分の他方に接続して同じ幅で短く設けられた第２の接着部分とを具備し、
前記第１の接着部分の裏側、前記第２の接着部分の裏側、及び前記本体部分の裏側の一部または全面に両面テープが貼り付けられ、前記本体部分の表側には、前記幅方向に沿って一定間隔で平行に複数の目盛り線が引かれ、これらの複数の目盛り線と垂直に前記本体部分の中央に前記第１の接着部分の表側、前記本体部分の表側、前記第２の接着部分の表側に亘って１本の垂線が引かれていることを特徴とする裾上げ具。
【請求項３３】
前記本体部分のいずれか一方または両方に山折り線を除く３辺に沿ってミシン目または切り取り溝からなる切り取り線が設けられ、該切り取り線と前記山折り線で囲まれた部分の表裏に一定間隔で平行に複数の目盛り線が引かれているとともに表裏のそれぞれ一部に両面テープが貼り付けられていることを特徴とする請求項３２に記載の裾上げ具。
【請求項３４】
前記本体部分のいずれか一方または両方に山折り線を除く３辺のうち１辺は第１の接着部分及び／または第２の接着部分との境界線に沿ってミシン目または切り取り溝からなる切り取り線が設けられていることを特徴とする請求項３３に記載の裾上げ具。
【請求項３５】
前記第２の接着部分が設けられていないことを特徴とする請求項３２に記載の裾上げ具。
【請求項３６】
前記第１の接着部分と同形状の部品に糊代が設けられて前記第１の接着部分と前記同形状の部品が並ぶように、前記本体部分の裏側に前記糊代に糊・接着剤・工作用両面接着テープのいずれかをつけることによって接着されており、前記同形状の部品の裏側にも前記両面テープが貼り付けられていることを特徴とする請求項３５に記載の裾上げ具。
【請求項３７】
幅が衣服の裾幅に近く前記幅方向に沿って２つに山折りに折られた支持部分と、前記支持部分の一方に接続して同じ幅で設けられた第１の接着部分と、前記支持部分の他方に接続して同じ幅で設けられた第２の接着部分とを具備し、前記第１の接着部分の裏側及び前記第２の接着部分の裏側の一部または全面に両面テープが貼り付けられるとともに前記第１の接着部分及び前記第２の接着部分の幅方向の中央部分にそれぞれ突出部分が設けられて該突出部分に前記幅方向に垂直に垂線が引かれ、前記支持部分の下方にストッパーテープを通すための貫通孔が複数穿設された支持体と、
前記貫通孔に通され、長手方向に沿って一定間隔で目盛り線が引かれるとともに、上端部分と下端部分または全長の裏側に両面テープが貼り付けられている複数本の前記ストッパーテープと
を有することを特徴とする裾上げ具。
【請求項３８】
前記ストッパーテープに前記一定間隔で前記目盛り線とともにまたは前記目盛り線の代わりに、細長い貫通孔、外に膨らんだ襞、片側または両側に設けられた凸部または凹部のいずれかが設けられたことを特徴とする請求項３７に記載の裾上げ具。
【請求項３９】
前記複数本のストッパーテープが下方で前記ストッパーテープを通すための複数の貫通孔と同じ間隔で繋がっており、または前記ストッパーテープが下方で衣服の裾幅近くに幅広となっており、前記繋がった部分及び前記幅広の部分にも前記一定間隔で前記目盛り線が引かれており、裏側の一部または全面に両面テープが貼られていることを特徴とする請求項３７または請求項３８に記載の裾上げ具。
【請求項４０】
前記目盛り線の前記一定間隔を１ｃｍとしたことを特徴とする請求項２８乃至請求項３９のいずれか１つに記載の裾上げ具。
【請求項４１】
前記目盛り線において、筆記具で引いた目盛り線に加えてミシン目または溝を設けたことを特徴とする請求項１乃至請求項１２，請求項２０乃至請求項２４，請求項２８乃至請求項４０のいずれか１つに記載の裾上げ具。
【請求項４２】
裾上げテープを前記裾全周の長さに切って、前記新しい裾線が幅方向の中心にくるように前記裾上げテープを当てて、小型で薄型のクリップを用いて適当な間隔で止めて行き、全周に亘って止め終わったら、まず前記クリップで止めてある部分以外の前記裾上げテープにアイロンを掛けて前記裾上げテープの熱接着芯を融かして前記新しい裾線を前記衣服の裏側に熱接着させ、前記クリップで止めてある部分のみが残ったところで前記クリップを全て引き抜いて取り除き前記クリップで止めてあった部分にアイロンを掛けて前記新しい裾線を前記衣服の裏側に熱接着させ、最後に全周に亘ってスチームアイロンを掛けて仕上げることによって、前記裾上げテープで前記新しい裾線を前記衣服の裏側に熱接着することを特徴とする請求項１乃至請求項１２、請求項２０乃至請求項２４、請求項３２乃至請求項４１のいずれか１つに記載の裾上げ具、または請求項１３または請求項２５に記載の裾上げ機能付き衣服。
【請求項４３】
前記クリップとして厚紙製のクリップを用いて、前記厚紙製のクリップで止めてある部分も含めて全周に亘ってアイロンを掛けて前記裾上げテープの熱接着芯を融かして前記新しい裾線を前記衣服の裏側に熱接着させ、その後前記厚紙製のクリップを取り除いて最後に全周に亘ってスチームアイロンを掛けて仕上げることを特徴とする請求項４２に記載の裾上げ具または裾上げ機能付き衣服。
【請求項４４】
衣服の裾の全周よりも長く切った前記裾上げテープの中央付近に、前記衣服の裾幅に近い長さのアパレル用片面接着テープを、前記裾上げテープの幅の半分の幅に切って前記裾上げテープの熱接着面でない面に前記裾上げテープの幅の半分を覆うように貼り付けるか、または前記裾上げテープの幅の半分以上の幅に切って前記裾上げテープの熱接着面でない面に前記裾上げテープの幅の半分を覆うように貼り付けてはみ出した部分は前記裾上げテープを前記新しい裾線に幅の中心を合わせるときに前記衣服の表側に貼り付けることを特徴とする請求項１乃至請求項１２、請求項２０乃至請求項２４、請求項３３乃至請求項４１のいずれか１つに記載の裾上げ具、または請求項１３または請求項２５に記載の裾上げ機能付き衣服。
【発明の詳細な説明】
【０００１】
【発明の属する技術分野】
本発明は、ズボン（パンツ）等の衣服の裾長さを着用する人に合わせて極めて短時間で調節することができる裾上げ具及び裾上げ機能付き衣服に関するものであり、紳士用ズボン（パンツ）、婦人用ズボン（パンツ）等に適用できるものである。
【０００２】
なお、本発明の裾上げ具及び裾上げ機能付き衣服においては、「両面テープ」を用いるが、最終的には剥がさなければならないので、文具用・工作用等の通常の両面接着テープでは接着力が強すぎて衣服の生地に接着痕が残ってしまうので使えない。そこで、アパレル業界では、剥がれたときに生地自体に接着剤の痕がつかない適度な接着力のある剥がし易い接着剤を用いた両面接着テープがあるので、これを用いることとし、本明細書においては、特に断らない限りかかるアパレル用両面接着テープを「両面テープ」と呼ぶこととする。
【０００３】
また、本発明の裾上げ具及び裾上げ機能付き衣服においては、「片面全面接着紙」を用いるが、最終的には剥がさなければならないので、上記「両面テープ」と同様な適度な接着力のある剥がし易い接着剤を用いた接着紙があるので、これを用いることとし、本明細書においては、かかる接着紙を「片面全面接着紙」と呼ぶこととする。
【０００４】
【従来の技術】
衣料品店でスーツ・単品のズボン（パンツ）等を購入しようとする際には、実際にスーツのズボン・単品のズボン（パンツ）を試着して、はく人の股下長さに合わせて裾を適当な位置で折り返して待ち針等で止め、折り返し部分を縫い糸が表側に殆ど出ないように特殊な縫い方（ルイス縫い、纏り縫い、かがり縫い等）でミシン縫いもしくは手縫いしてスーツのズボン・単品のズボン（パンツ）の長さを調節しなければならない。
【０００５】
【発明が解決しようとする課題】
しかし、通常はこれらの縫い上げ作業は非常に時間がかかるため衣料品店では行なわれず、外注に出されて早くても翌日の夕方に仕上がってやっと受け取れるというケースが殆どである。また、稀に専用のミシンが衣料品店にあって、縫い上げ作業を大急ぎで行っても早くても１時間はかかり、買い求めたスーツや単品のズボン（パンツ）等をその場ですぐに持って帰れないという問題点があった。
【０００６】
これに対して、股下を６６ｃｍ，６９ｃｍ，７２ｃｍ，７５ｃｍ，７９ｃｍ，…と３ｃｍ刻みで裾上げしてしまって、客に一番あったものを選択させるという販売方法を採っている小売店もあるが、３ｃｍ刻みでは粗すぎて客のニーズに十分に対応することは困難であり、また在庫を多く抱えなければならないという難点がある。
【０００７】
そこで、本発明は、紳士用ズボン等の衣服の裾長さを着用する人に合わせて極めて短時間で調節することができる裾上げ具及び裾上げ機能付き衣服の提供を課題とするものである。
【０００８】
【課題を解決するための手段】
請求項１の発明にかかる裾上げ具は、紙またはそれに類似のある程度弾力性があってしかも折り曲げたときには素直に折り曲げることができる適度なしなやかさを兼ね備えた材料からなり、衣服の裾の幅に近い幅を有する細長い長方形で一定間隔で前記長方形の底辺に平行に目盛り線が付けられた目盛り部分と、前記目盛り部分を横に３分割した中央の長方形の上に設けられた前記中央の長方形と同形の長方形で、前記中央の長方形との境界部分から半分の高さまでに亘って前記目盛り線に平行に前記一定間隔の半分の間隔でミシン目または折り曲げ溝が付けられている本体部分と、前記本体部分の上に設けられた前記本体部分と同じ幅で高さが低い接着部分と、前記中央の長方形の下に設けられた前記中央の長方形と同じ幅で高さが低い下部接着部分とを有し、前記本体部分及び前記中央の長方形には幅方向の中央に前記ミシン目または前記折り曲げ溝及び前記目盛り線に垂直に１本の垂線が引かれ、前記接着部分には表側または裏側の一部または全面に両面テープが貼られ、前記目盛り部分には裏側に縦方向に間隔をおいてまたは横方向に間隔をおいて或いは全面に両面テープが貼られ、前記下部接着部分には裏側の一部または全面に両面テープが貼られ、前記両面テープの剥離紙を付けたまま前記目盛り部分の左右の長方形が前記中央の長方形との境界線で折られてそれぞれ前記中央の長方形に重ねられるように折り畳まれ、折り畳まれた前記目盛り部分がさらに前記本体部分との境界線で折られて前記本体部分に重ねられるように折り畳まれ、折り畳まれた前記本体部分及び前記中央の長方形には外側にも幅方向の中央に１本の垂線が引かれているものである。
【０００９】
かかる裾上げ具を用いて衣服の裾上げを行うには、顧客に衣服を試着してもらって好みの部分で裾を折り返してもらい、また自分の股下寸法を覚えている顧客の場合は衣服の仮の股下長さから算出して裾を折り返して裾上げ線を決め、この裾上げ線に沿って裾上げ具の接着部分を表側または裏側の両面テープの剥離紙を剥がして貼り付ける。表側を貼り付ける場合は本体部分と接着部分の境界線を裾上げ線に合わせて、裏側を貼り付ける場合は接着部分を本体部分との境界線で折り返して、その折り返し線を裾上げ線の下側に合わせて貼り付ける。このとき、折り畳まれた中央の長方形の外側中央に引かれた１本の垂線を衣服の脇線（または股下線）に合わせる。
【００１０】
次に、衣服を完全に裏返しにしてから、裾上げ具を折り畳んだときと逆の順番で本体部分及び目盛り部分を広げて、下部接着部分及び目盛り部分の裏側の両面テープの剥離紙を全て剥がして、まず本体部分及び目盛り部分がぴんと張った状態で下部接着部分を本体部分及び目盛り部分に引かれた１本の垂線が衣服の脇線（または股下線）に合うように貼り付ける。続いて、目盛り部分を垂線から外側へ伸ばすように押えながら貼り付ける。そして、ヘム長さを決めてそのヘム長さに相当する目盛り線に沿って、目盛り部分を衣服の裾と一緒に切り落とすが、張りのある目盛り部分とともに切るため衣服を容易に真っ直ぐに切ることができる。
【００１１】
次に、切った目盛り線に対応する本体部分のミシン目または折り曲げ溝で残った裾上げ具と衣服の裾を折り返すと、切り落とした部分が本体部分の上端即ち裾上げ線に一致して、裾上げ線でさらに上に折り返すときの支持が強力になる。裾上げ線でさらに上に折り返したら、アイロンを掛けて裾上げ線の折り目をしっかり付ける。そして、裾上げ具を両面テープを剥がすことによって取り外し、裾を広げて脇線側と股下線側の裾上げ線の折り目を両手で摘んで広げるように引っ張ると、裾上げ線から切り落として新しくできた裾線までの部分が全周に亘って綺麗に裏返る。後は、新しくできた裾線を全周に亘って衣服の裏側に裾上げテープで熱接着して止めれば、片足の裾上げは完成である。
【００１２】
なお、熟練者は目盛り線に沿って切り落とした後、ヘム長さに対応する本体部分のミシン目または折り曲げ溝で谷折りする工程を省略して、本体部分の上端の線のみを目安にして裾上げ線に合わせて衣服の裾を折り返しても良い。このように、熟練者になると幅の広い目盛り部分を目安にしなくても、本体部分の上端の線のみを目安にして脇線に垂直に裾上げ線に合わせて折り返すことができ、工程の短縮になる。
【００１３】
従来の裾上げ工程においては、裾を全周に亘って綺麗に折り返すのに手間取って、様々な工夫がなされてきたが、本発明においては裾上げ具を用いることによって裾上げ線に合わせて衣服を折り返してアイロンで折り目を付け、裾の中に両手を入れて裾上げ線の折り目の対向する位置をそれぞれ摘んで引張るだけで、裾上げ線から裾線までの生地が綺麗に反転する。このように、本発明においては、衣服の裾を片側に折って折り目を付けるだけで衣服の裾の全周を一瞬にして綺麗に折り返すことができ、画期的な裾上げ方法となる。
【００１４】
なお、衣服の片足の裾上げが完了してもう一方の足の裾上げを行う際には、両足を揃えることによって裾上げ線の位置を確認し、もう一方の足の裾を裏返して裾上げ線に沿って裾上げ具を貼り付けることになる。ここで、新しい裾上げ具を貼り付けても良いが、片足の裾上げに用いて剥がした使用済みの裾上げ具を貼り付けることもできる。アパレル用の両面テープは剥がし易いだけでなく、一度の貼り付けでは粘着力を失わず３〜４回の貼り替えでも十分な粘着力を有しているので、再使用が可能である。但し、目盛り部分がヘム長さに合わせて切断されているので、再使用における切断は目盛り部分の切断線に沿って生地だけを切ることになる。
【００１５】
以上説明したように、本発明にかかる裾上げ具は、衣服の裾長さを着用する人に合わせて極めて短時間で調節することができる。具体的には、慣れた店員であれば片足５分程度即ち両足で１０分程度で完了するので、顧客を長時間待たせることなくその場で購入した紳士用ズボン等の衣服を持って帰ってもらうことができる。
【００１６】
請求項２の発明にかかる裾上げ具は、請求項１の構成において、前記接着部分の表裏両面に両面テープが貼り付けられ、前記下部接着部分が設けられていないものである。
【００１７】
このように、接着部分の表裏両面に両面テープを貼り付けたのは、折り畳まれた裾上げ具を衣服の裏側の裾上げ線に貼り付けるときに、裾上げ線の上側から接着部分を止めても、裾上げ線の下側から接着部分を止めても、同じように裾上げができるようにするためである。
【００１８】
これによって、未だ不慣れな店員でも、顧客が試着をしたり顧客の覚えている股下寸法から算出したりして決定した裾上げ線のどちら側から裾上げ具を貼り付けるか迷うことなく、裾上げ線の上側からでも下側からでも貼り付けることができる。
【００１９】
請求項３の発明にかかる裾上げ具は、請求項１の構成において、前記接着部分に前記接着部分とほぼ同じ大きさの第２の接着部分を糊代に接着剤を付けて前記接着部分と二股を成すように接着し、前記第２の接着部分の前記接着部分側に両面テープが貼り付けられているものである。
【００２０】
この裾上げ具を使用するときは、顧客が衣服を試着して裾を裏返して決めた裾上げ線、または顧客の股下寸法から算出して裾を裏返して決めた裾上げ線を脇線（または股下線）を中心にして、接着部分と第２の接着部分の両面テープの剥離紙を剥がして、接着部分と第２の接着部分を表裏から貼り付けることによって挟み込んで止める。以後の裾上げ工程は、請求項１にかかる発明の場合と同様であり、まず衣服の全体を完全に裏返してから裾上げを行う。
【００２１】
ここで、請求項１にかかる発明の場合のように接着部分のみで裾上げ線に沿って衣服の裏側に貼り付けると、衣服の全体を完全に裏返す段階で裾上げ線からずれたり剥がれたりする危険性が皆無ではない。そこで、本発明においては、上述の如く接着部分と第２の接着部分で裾上げ線を挟み込んで止めることによって、より確実に裾上げ具を裾上げ線からずれないように衣服に取付けることができる。
【００２２】
請求項４の発明にかかる裾上げ具は、請求項１の構成において、前記下部接着部分の表側にも前記両面テープが貼られているものである。
【００２３】
この裾上げ具を使用するときは、顧客が衣服を試着して裾を裏返して決めた裾上げ線、または顧客の股下寸法から算出して裾を裏返して決めた裾上げ線を脇線（または股下線）を中心にして、接着部分と下部接着部分の表側の両面テープの剥離紙を剥がして、接着部分と下部接着部分の表側を表裏から貼り付けることによって挟み込んで止める。
【００２４】
そして、まず衣服の全体を完全に裏返して、下部接着部分の表側の両面テープを剥がして衣服から一旦取り外してから下部接着部分の裏側の両面テープの剥離紙を剥がして、裾上げ具を縦に広げて下部接着部分の裏側を衣服の脇線（または股下線）に内側の垂線が一致するように貼り付ける。以後の裾上げ工程は、請求項１にかかる発明の場合と同様である。このように、本発明においても、上述の如く接着部分と下部接着部分で裾上げ線を挟み込んで止めることによって、より確実に裾上げ具を裾上げ線からずれないように衣服に取付けることができる。
【００２５】
請求項５の発明にかかる裾上げ具は、請求項１の構成において、前記接着部分の上に前記接着部分との境界線を底辺とする二等辺三角形が設けられ、またはさらに前記下部接着部分の下に前記下部接着部分との境界線を底辺とする二等辺三角形が設けられ、前記接着部分、前記下部接着部分及び前記二等辺三角形部分には裏側の一部または全面に両面テープが貼られているものである。
【００２６】
この裾上げ具を使用するときは、顧客が衣服を試着して裾を裏返して決めた裾上げ線、または顧客の股下寸法から算出して裾を裏返して決めた裾上げ線を、脇線（または股下線）を中心にして、接着部分，または接着部分と下部接着部分，二等辺三角形の表側の両面テープの剥離紙を剥がして、接着部分，または接着部分と下部接着部分及び二等辺三角形の表側を表側に貼り付けて止め、または表裏から貼り付けることによって挟み込んで止める。このとき、外側の垂線が脇線（または股下線）に一致し、かつ二等辺三角形の頂点が脇線（または股下線）上にくるように貼り付けることによって、裾上げ具の取付けの直角平行度がより高くなる。
【００２７】
請求項６の発明にかかる裾上げ具は、請求項１の構成において、前記接着部分を前記本体部分との境界線を底辺とする二等辺三角形とし、またはさらに前記下部接着部分を前記中央の長方形との境界線を底辺とする二等辺三角形とし、前記二等辺三角形部分には裏側の一部または全面に両面テープが貼られているものである。
【００２８】
この裾上げ具を使用するときは、顧客が衣服を試着して裾を裏返して決めた裾上げ線、または顧客の股下寸法から算出して裾を裏返して決めた裾上げ線を、脇線（または股下線）を中心にして、接着部分の二等辺三角形，または接着部分と下部接着部分の二等辺三角形の表側の両面テープの剥離紙を剥がして、接着部分，または接着部分と下部接着部分の二等辺三角形の表側を表側に貼り付けて止め、または表裏から貼り付けることによって挟み込んで止める。このとき、外側の垂線が脇線（または股下線）に一致し、かつ二等辺三角形の頂点が脇線（または股下線）上にくるように貼り付けることによって、裾上げ具の取付けの直角平行度がより高くなる。
【００２９】
請求項７の発明にかかる裾上げ具は、請求項１乃至請求項６のいずれか１つの構成において、前記目盛り部分の左右に前記目盛り部分の左右の長方形と高さが同じで幅が約１．５倍の長方形からなる延長部分をそれぞれ接続し、前記延長部分の裏側にも縦方向に間隔をおいてまたは横方向に間隔をおいて或いは全面に両面テープが貼られ、前記延長部分はまず前記幅が約１．５倍の長方形の約３分の１の幅の位置で折り畳まれ、続いて前記左右の長方形との境界線で折り畳まれ、これらの折り畳まれた部分が前記中央の長方形に重ねられるようにそれぞれ折り畳まれ、さらに前記本体部分に重ねられるように折り畳まれているものである。
【００３０】
本発明の裾上げ具は、請求項１の発明にかかる裾上げ具の目盛り部分を２倍の幅に延長した構成を有している。即ち、左側の長方形の左にさらに同じ幅の長方形と半分の幅の長方形を接続し、右側の長方形の右にさらに同じ幅の長方形と半分の幅の長方形を接続している。そして、これらの長方形の裏側にも両面テープが貼り付けられている。その他の部分の構成は、請求項１の発明にかかる裾上げ具と同様である。
【００３１】
この裾上げ具を使用するときは、前述の如く小さく折り畳んだ状態で、顧客が衣服を試着して裾を裏返して決めた裾上げ線、または顧客の股下寸法から算出して裾を裏返して決めた裾上げ線に沿って、脇線（または股下線）を中心にして、接着部分の表側の両面テープの剥離紙を剥がして貼り付ける。このとき、外側の垂線が脇線（または股下線）に一致するようにする。
【００３２】
そして、まず衣服の全体を完全に裏返して、接着部分と本体部分の境界線で山折りにしてから裾上げ具を広げて、始めに目盛り部分の長方形の裏側の両面テープの剥離紙を剥がして、衣服の裏側の手前側に中央の垂線から両側へ引張るように押えながら貼り付ける。続いて、両側の延長部分の長方形との境界線でそれぞれ山折りにして、両側の延長部分の長方形を衣服の向こう側へ回し、両面テープの剥離紙を剥がして押えながら貼り付ける。すると、両側の延長部分の長方形の先端が丁度ぴったり合わさって、目盛り部分で衣服を挟み付けたような状態になる。
【００３３】
これによって、ヘム長さを決定して目盛り部分の長方形に引かれた目盛り線に沿って裾を切り落とすとき、両面に裾上げ具が貼り付けられているためより真っ直ぐに切り易く、向こう側の生地も確実に一直線に切り落とすことができる。以降の裾上げの手順は請求項１の発明にかかる裾上げ具と同様である。
【００３４】
請求項８の発明にかかる裾上げ具は、請求項７の構成において、前記中央の長方形と前記本体部分との境界線に、前記折り畳まれた各部分の厚さとほぼ同じ広い幅の溝を設けたものである。
【００３５】
これによって、折り畳んだときに分厚くなる裾上げ具の厚みがこの広い溝内に収められて、自然に広がろうとする力が弱くなって接着部分と下部接着部分を粘着テープで止めたときに中央が膨らむようなこともなく、薄い箱形に収まって見栄えも良くなる。
【００３６】
請求項９の発明にかかる裾上げ具は、請求項１乃至請求項８のいずれか１つの構成において、前記接着部分が二等辺三角形である場合または前記接着部分の上に二等辺三角形部分が設けられている場合には、前記接着部分の左右及び前記本体部分の上端の左右に前記二等辺三角形と同程度の高さと前記接着部分と同程度の幅を有する上部延長部分を設けて、左右の前記上部延長部分と前記接着部分の境界線に前記接着部分の下端まで切れ目を入れて前記上部延長部分を左右とも前記接着部分の下端の延長線に沿って手前側に折り、それ以外の場合には前記接着部分の左右及び前記本体部分の上端の左右に前記接着部分の約２倍以上の高さと前記接着部分と同程度の幅を有する上部延長部分を設けて、前記接着部分と前記本体部分の境界線の延長線に沿って前記接着部分とともに折り曲げるか前記接着部分と前記左右の上部延長部分との境界線に切れ目を入れて前記左右の上部延長部分の前記切れ目を入れた部分までは前記接着部分と反対側に折り曲げるかするものである。
【００３７】
これらの上部延長部分は、裾上げ具を用いて裾上げを行っていく過程で、ヘム長さを決めて余分な部分を切り落とした後、対応するミシン目または折り曲げ溝本体部分を折り曲げて切断部分を裾上げ線に合わせるときに、本体部分と接着部分の境界線の延長線で２つに折り曲げることによって裾上げ線に合わせ、衣服の裾を裾上げ線に沿って折り曲げるときの支持をさらに強力にするものである。
【００３８】
請求項１０の発明にかかる裾上げ具は、請求項１乃至請求項９のいずれか１つの構成において、前記左右の長方形の上下に前記左右の長方形と同じ幅で高さが低い突出部分をそれぞれ設けたものである。
【００３９】
請求項１乃至請求項９の発明にかかる裾上げ具においては、ヘム長さを本体部分と同じ高さまたはその２倍にしようとする場合には、左右部分においては左右の長方形の上端または下端に沿って生地だけを切らなければならず、裾上げ具と生地を一緒に切れるのは本体部分と中央の長方形との境界線または中央の長方形と下部接着部分の境界線のみであり、真っ直ぐに切ることが困難であった。
【００４０】
しかし、この裾上げ具においては、突出部分を設けたことによって、ヘム長さを本体部分と同じ高さにしようとする場合には、左右部分において左右の長方形の上端と突出部分の境界線に沿って切れば良く、ヘム長さをその２倍にしようとする場合には、左右部分において左右の長方形の下端と突出部分の境界線に沿って切れば良いので、全幅に亘って裾上げ具と生地を一緒に切ることができる。これによって、生地を真っ直ぐに切ることが容易な裾上げ具となる。
【００４１】
請求項１１の発明にかかる裾上げ具は、請求項１０の構成において、前記左右の長方形の上または下に設けた前記突出部分を前記接着部分または前記下部接着部分と一体にしたものである。
【００４２】
この裾上げ具においては、突出部分を接着部分または前記下部接着部分と一体にしたことによって、切れ目がなく、生地を真っ直ぐに切ることがより容易な裾上げ具となる。なお、一体にした突出部分は、裾上げ具を折り畳むときには接着部分または下部接着部分と一体に折り畳めば良い。
【００４３】
請求項１２の発明にかかる裾上げ具は、請求項１乃至請求項１１のいずれか１つの構成において、前記目盛り線の前記一定間隔を１ｃｍとしたものである。
【００４４】
請求項１乃至請求項１１の構成においては、目盛り線の間隔は一定間隔として特に単位は定めていなかった。したがって、インチ単位でもフィート単位でもヤード単位でも寸単位でも、とにかくヘム長さが決まれば、目盛り線がどんな間隔で引かれていても裾上げを行うことができる。しかし、日本国内においては、メートル法にしたがってメートル単位を用いるのが一般的であるし、定規もメジャーもメートル単位で作られている。また、自分の股下寸法を覚えている人についてもセンチメートル単位で覚えている人が多い。さらに、出来上がりの衣服の裾長さも１ｃｍの誤差範囲内に入っていれば大多数の顧客は満足する。そこで、目盛り線の間隔を１ｃｍとすることによって、混乱することなくよりスムーズに裾上げ作業を行うことができる。
【００４５】
請求項１３の発明にかかる裾上げ機能付き衣服は、請求項１乃至請求項１２のいずれか１つに記載の裾上げ具を衣服の裾近傍の裏側に前記接着部分の両面テープの剥離紙を剥がして仮止めしたものである。
【００４６】
請求項１乃至請求項１２のいずれの裾上げ具も接着部分は必ず有しており、この接着部分は最初に両面テープの剥離紙を剥がして衣服の裾上げ線に沿って貼り付ける部分である。よって、最初から剥離紙が剥がされていても、裾上げの作業上何の支障もない。そこで、接着部分の両面テープを利用して衣服の裾近傍の裏側に貼り付けておくことによって、顧客が衣服を試着したり顧客の股下寸法から算出したりして裾を折り返して裾上げ線を決めたときに、裾近傍に貼り付いている裾上げ具を剥がして直ちに接着部分を裾上げ線に沿って貼り付け、裾上げ作業を開始することができる。
【００４７】
このようにして、請求項１の発明にかかる裾上げ具の場合と同様にして、裾上げ線を決めると同時に裾上げを行うことができる裾上げ機能付き衣服となる。
【００４８】
請求項１４の発明にかかる裾上げ具は、紙またはそれに類似のある程度弾力性があってしかも折り曲げたときには素直に折り曲げることができる適度なしなやかさを兼ね備えた材料からなり、長方形からなる中心部分と、該中心部分の左右に設けられた同じ高さの長方形と、前記中心部分の上に設けられた接着部分と、前記中心部分及び前記左右の長方形の下に亘って設けられた下部接合部分とを具備し、前記中心部分と前記接着部分の表側中央に垂線が引かれた本体と、前記下部接合部分とほぼ同じ幅を有し、高さ方向は空白部分、両面テープが全面に貼り付けられた接合部分、切断線が幅方向に平行に引かれた切断部分に区分された型紙とを有し、前記本体の前記接着部分と前記下部接合部分の裏側の一部または全面及び前記中心部分及び前記左右の長方形の裏側の上端を含む一部または全面に両面テープが貼り付けられ、前記下部接合部分を前記中心部分及び前記左右の長方形との境界線でほぼ直角に前記両面テープが上面にくるように折り曲げて、前記型紙の前記接合部分の前記両面テープの剥離紙を剥がして、前記本体の前記境界線（折り曲げ線）が前記型紙の前記接合部分と前記切断部分の境界線に一致するように前記下部接合部分を前記接合部分の前記両面テープに接着することによって前記本体と前記型紙を一体化させ、前記下部接合部分の上面の前記両面テープの剥離紙を剥がして、衣服の裾の一周分より長く切った裾上げテープを前記下部接合部分に沿って前記両面テープに貼り付け、前記下部接合部分から外側へはみ出した部分は折り返して粘着テープで止め、前記下部接合部分を完全に折り畳んで、前記切断部分を前記接合部分との境界線で前記接合部分の裏側へ回り込むように折り畳み、前記左右の長方形を前記中心部分の裏側に重なるように順に折り畳み、最後に前記接着部分を前記中心部分との境界線で前記中心部分の裏側に重なるように折り畳んで、前記接着部分の先端を前記中心部分の表側に届くまで粘着テープで止め、または前記接着部分の先端を三角の突起状として前記左右の長方形のうち上になった方に設けられた切り込みに前記接着部分の先端を差し込んで止めたものである。
【００４９】
かかる構成の裾上げ具においては、衣服の裾上げ線が決まると同時にまず粘着テープを剥がし、または切り込みから接着部分の先端を抜き出して、次に接着部分の裏の両面テープの剥離紙を剥がして、裾上げ線に沿って衣服の接着部分を貼り付ける点は請求項１乃至請求項１２の裾上げ具に似ているが、異なるのは衣服の裏側ではなく表側の脇線または股下線を中心に貼り付ける点と、裾上げ具に予め仕上げ用の裾上げテープがセットされている点と、ヘム長さが裾上げ具の製造時点で決まってしまう点である。接着部分が衣服の表側に貼り付けられた裾上げ具は、折り畳まれた順序と逆の順序で広げられて中心部分及び左右の長方形の裏側に貼り付けられた両面テープの剥離紙が剥がされて、衣服の表側に貼り付けられる。
【００５０】
そして、型紙の切断部分が広げられて、切断線において切断部分とともに衣服の裾が切り落とされて予め定められたヘム長さとなる。次に、中心部分及び左右の長方形の上端即ち裾上げ線に沿って、裾上げ具が内側になるように折り曲げられてアイロンで裾上げ線の折り目をしっかり付け、一旦元へ戻して裾上げ線の折り目から衣服の裾の全周を裾上げ具ごと衣服の中へ折り込む。この時点で、衣服の表側に出ているのは接着部分だけとなる。ここで、もう一度アイロンを掛けて裾上げ線の折り目をしっかり付けておく。
【００５１】
続いて、衣服の裾を裏返して裾上げ具の型紙を折り返し、両面テープに貼り付けて折り込んでおいた裾上げテープが出るようにして、粘着テープを剥がして折り曲げた部分の裾上げテープを伸ばす。すると、切断によって新しくできた裾線が丁度両面テープに貼り付けた裾上げテープの中心に位置するので、型紙の上からアイロンを掛けてまず半周分の新しくできた裾線を裾上げテープで熱接着して衣服の裏側に固定する。次に、衣服をひっくり返して折り曲げられていた部分の裾上げテープを残り半周の新しくできた裾線に当てて、アイロンを掛けて熱接着して固定する。
【００５２】
ここで、裾上げテープは上述したように衣服の裾一周分より長く切られているので、裾上げテープの重なる部分ができて、新しい裾線を全周に亘ってしっかり止めることができる。後は、不要になった裾上げ具を全ての両面テープを剥がすことによって取り外せば、衣服の片足の裾上げは完了する。
【００５３】
なお、片足の裾上げが完了してもう一方の足の裾上げを行う際には、両足を揃えることによって裾上げ線の位置を確認し、裾上げ線に沿って裾上げ具を貼り付けることになる。ここで、新しい裾上げ具を貼り付けても良いが、片足の裾上げに用いて剥がした使用済みの裾上げ具を貼り付けることもできる。アパレル用の両面テープは剥がし易いだけでなく、一度の貼り付けでは粘着力を失わず３〜４回の貼り替えでも十分な粘着力を有しているので、再使用が可能である。但し、裾上げテープを補充しなければならず、また新しい切断部分が切断線において既に切断されているので、再使用における切断は切断線に沿って生地だけを切ることになる。
【００５４】
このようにして、本発明にかかる裾上げ具においては、裾上げテープも予めセットされており、しかも裾上げテープの幅と取付け位置に合わせて切断線の位置を予め設定してあるため、切断線で衣服の裾を切断したときに新しくできる裾線が裾上げ線から折り返したときに裾上げテープの丁度中央に位置するので、そのままアイロンを掛けて熱接着すれば良く、より裾上げがやり易くなり時間も短縮される。このように、衣服の裾長さを着用する人に合わせてより短時間で調節することができ、購入した衣服をその場で持って帰ってもらうことができる。
【００５５】
請求項１５の発明にかかる裾上げ具は、請求項１４の構成において、前記接着部分は前記中心部分の上端を底辺とする二等辺三角形または前記中心部分の上に設けられた高さの低い長方形の上に二等辺三角形が設けられた五角形であるものである。
【００５６】
これによって、裾上げ具の接着部分を衣服の脇線または股下線を中心に貼り付ける際に、二等辺三角形の頂点が脇線または股下線の上にくるように貼り付けることによって、裾上げ具の取付けの直角平行度がより高くなって、より精度の高い裾上げができるようになる。
【００５７】
請求項１６の発明にかかる裾上げ具は、請求項１４または請求項１５の構成において、前記本体の前記下部接合部分の縦幅または前記型紙の前記空白部分と前記接合部分を合わせた縦幅が前記裾上げテープの幅と略一致するものである。
【００５８】
これによって、裾上げテープを下部接合部分の両面テープに貼り付けて本体との間に挟み込むとき裾上げテープが幅方向に折れ曲がらず、平坦なまま収容されるので、裾上げの仕上げ段階でアイロンを掛けて裾上げテープを熱接着する際にも支障なく容易に行うことができる。
【００５９】
請求項１７の発明にかかる裾上げ具は、請求項１４乃至請求項１６のいずれか１つの構成において、前記左右の長方形のみ紙またはそれに類似の材料を二重にしたものである。
【００６０】
これによって、この左右の長方形の上端が裾上げ工程の裾上り線に一致させられるので、このように左右の長方形を二重にすることによって裾上り線での折り曲げを支持する部分が強化されることになり、裾上り線での折り曲げがより確実に行われることになる。
【００６１】
請求項１８の発明にかかる裾上げ具は、請求項１４乃至請求項１７のいずれか１つの構成において、前記左右の長方形の左右に高さが同じかまたは前記裾上げテープの幅以上の高さを有する延長部分を設けるとともに、前記型紙の前記空白部分の左右にも前記裾上げテープの幅以上の高さを有する延長部分を設け、前記各延長部分の端から端までの長さは、前記衣服の裾の一周分より長く切った裾上げテープの長さ以上であるものである。
【００６２】
これによって、裾上げ具を広げたときに衣服の裾の全周をカバーできるとともに、裾上げテープの全長が裾上げ具の中に収められて保護されるので、確実に裾上げテープによる熱接着仕上げをすることができる。
【００６３】
請求項１９の発明にかかる裾上げ具は、請求項１４乃至請求項１８のいずれか１つの構成において、前記中心部分及び前記左右の長方形の下に第１の折り曲げ線を境界として第１の折り曲げ部分を設け、その下に第２の折り曲げ線を境界として前記第１の折り曲げ部分と同じ幅の第２の折り曲げ部分を設け、さらにその下に前記切断部と前記切断線を設けて、前記第１の折り曲げ線において前記第１の折り曲げ部分を山折りに後方へ折り曲げ、前記第２の折り曲げ線において前記第２の折り曲げ部分を山折りに前方へ折り曲げて前記切断部を前方へ突出させ、前記第１の折り曲げ部分の上面に両面テープで前記裾上げテープを貼り付けて止め、そのまま小さく折り畳んで使用するか、または前記第１の折り曲げ部分と前記第２の折り曲げ部分を接着剤または両面テープで接着してから小さく折り畳んで使用するものである。
【００６４】
このように、本発明にかかる裾上げ具は、本体に型紙を貼り付ける必要なしに一枚の紙等から作られている。この裾上げ具を小さく折り畳む手順や、裾上げ具を用いて衣服の裾上げを行う場合の手順については、請求項１４の発明にかかる裾上げ具８と同様である。
【００６５】
このようにして、本発明の裾上げ具は１枚の紙を折り曲げて製造できるので製造が容易であり、衣服の裾長さを着用する人に合わせて極めて短時間で調節することができ、購入した衣服をその場で持って帰ってもらうことができる。
【００６６】
請求項２０の発明にかかる裾上げ具は、幅が衣服の裾幅よりも小さい縦長の長方形で全面に剥離紙が貼られている片面全面接着紙を裏面を剥離紙として下から数ｃｍの位置で横に折って取付け代とし、この取付け代の中央に縦に切り込みを入れ、前記取付け代の上端から前記片面全面接着紙の上端まで一定間隔で前記片面全面接着紙の底辺に平行に前記片面全面接着紙の表面の左端から右端まで目盛り線を引き、前記片面全面接着紙を前記切り込みの延長線の前記目盛り線に垂直な縦方向中心線でまたは該縦方向中心線に平行な線で横に２つ以上に折り、前記取付け代の上端から前記片面全面接着紙の上端までを等分して上方から順に折り畳んで行き、最後の折り畳みで前記取付け代の上端に一致するように折り畳んだものである。
【００６７】
この裾上げ具を用いるときは、衣服の表側・裏側いずれに付けても裾上げを行うことができる。折り畳んだ状態で脇線または股下線に折り畳み線を沿わせて或いは脇線または股下線を中央にして、取付け代の下側を衣服の仮の裾線に沿わせて粗くミシン掛けし、または接着剤で貼り付け、または工作用両面接着テープで貼り付けることによって、さらには取付け代の下側の裏側の剥離紙を剥がして貼り付けることによって取付ける。
【００６８】
そして、顧客の試着または股下寸法からの算出によって決定した裾上げ線の位置を衣服の縁にチャコ等で目印を付けておき、折り畳んだ裾上げ具を上へ広げ、続いて横に広げて順に剥離紙を剥がして衣服に貼り付けて行き、最終的には全面を広げて貼り付ける。それから、先に付けておいた目印で裾上げ線の位置を確認し、ヘム長さを決めて相当する目盛り線で裾上げ具ごと衣服の裾を切り落とす。続いて、裾上げ線で裾上げ具ごと衣服の裾を裾上げ具が上になるように折り返し、アイロンを掛けて裾上げ線の折り目をしっかり付ける。
【００６９】
それから、衣服の裾を広げて裾上げ線の折り目から新しい裾線までを全周に亘って折り返し、裾上げ線の折り目に再度アイロンを掛ける。後は裾上げ具を剥がして取り除き、新しい裾線の全周を裾上げテープで衣服の裏側に熱接着すれば、片足の裾上げは完了する。もう一方の足の裾上げを行う際には、両足を揃えることによって裾上げ線の位置を確認し、もう一方の足の裾を裏返して裾上げ線に沿って裾上げ具を貼り付けることになる。
【００７０】
ここで、新しい裾上げ具を貼り付けても良いが、片足の裾上げに用いて剥がした使用済みの裾上げ具を貼り付けることもできる。アパレル用の片面全面接着紙は剥がし易いだけでなく、一度の貼り付けでは粘着力を失わず３〜４回の貼り替えでも十分な粘着力を有しているので、再使用が可能である。但し、目盛り線がヘム長さに合わせて切断されているので、再使用における切断は目盛り線の切断線に沿って生地だけを切ることになる。
【００７１】
このようにして、本発明の裾上げ具は、衣服の裾長さを着用する人に合わせて極めて短時間で調節することができ、購入した衣服をその場で持って帰ってもらうことができる。
【００７２】
請求項２１の発明にかかる裾上げ具は、請求項２０の構成において、前記片面全面接着紙の横に２つ以上に折った部分ごとに、また前記片面全面接着紙の上端までを等分して上方から順に折り畳んだ部分ごとに、前記片面全面接着紙の裏側の剥離紙が剥がせるように前記剥離紙に切れ目を入れたものである。
【００７３】
衣服の素材には、張りがあって伸び縮みしないものと、張りがなく伸び縮みするものとがある。後者のものは片面全面接着紙の大きな面積を一度に貼り付けると綺麗に貼れない場合がある。そこで、折り曲げた部分ごとに少しずつ衣服に貼り付けられるように、片面全面接着紙の裏側の剥離紙に切れ目を入れることによって、どのような素材からなる衣服にでも綺麗に片面全面接着紙の全面を貼り付けることができる。
【００７４】
請求項２２の発明にかかる裾上げ具は、幅が衣服の裾幅よりも小さい縦長の長方形の紙の裏面に縦方向に複数本の両面テープを貼り、下から数ｃｍの位置で横に折って取付け代とし、この取付け代の中央に縦に切り込みを入れ、前記取付け代の上端から前記長方形の紙の上端まで一定間隔で前記長方形の紙の底辺に平行に前記長方形の紙の表面の左端から右端まで目盛り線を引き、前記長方形の紙を前記切り込みの延長線の前記目盛り線に垂直な縦方向中心線でまたは該縦方向中心線に平行な線で横に２つ以上に折り、前記取付け代の上端から前記長方形の紙の上端までを等分して上方から順に折り畳んで行き、最後の折り畳みで前記取付け代の上端に一致するように折り畳んだものである。
【００７５】
このように、この裾上げ具は片面全面接着紙を使用せず、普通の紙の裏側に縦方向に複数本の両面テープを貼り付けて、後は片面全面接着紙の場合と同様に製造したものである。また、この裾上げ具を用いた衣服の裾上げの手順も同様であるが、広げた裾上げ具を衣服の裏に貼り付けるときは両面テープの部分にしか接着部分がないので、中間部分が弛んだり皺にならないように引張りながら貼り付けなければならない。
【００７６】
このようにして、本発明にかかる裾上げ具は、片面全面接着紙を用いず普通の紙に複数本の両面テープを貼り付けて製造されるので、より安価に製造することができるとともに、衣服の裾長さを着用する人に合わせて極めて短時間で調節することができ、購入した衣服をその場で持って帰ってもらうことができる。
【００７７】
請求項２３の発明にかかる裾上げ具は、請求項２０乃至請求項２２のいずれか１つの構成において、前記縦方向中心線上に１または２以上の貫通孔が穿設されているものである。
【００７８】
これによって、縦方向中心線を脇線または股下線に合わせて貼り付ける場合に、貫通孔から脇線または股下線が見えるので、縦方向中心線を脇線または股下線に合わせるのが容易になり、より正確な裾上げ具の貼り付けと裾上げが可能になる。
【００７９】
請求項２４の発明にかかる裾上げ具は、請求項２０乃至請求項２３のいずれか１つの構成において、前記目盛り線の前記一定間隔を１ｃｍとしたことを特徴とするものである。
【００８０】
請求項２０乃至請求項２３の構成においては、目盛り線の間隔は一定間隔として特に単位は定めていなかった。したがって、インチ単位でもフィート単位でもヤード単位でも寸単位でも、とにかくヘム長さが決まれば、目盛り線がどんな間隔で引かれていても裾上げを行うことができる。しかし、日本国内においては、メートル法にしたがってメートル単位を用いるのが一般的であるし、定規もメジャーもメートル単位で作られている。また、自分の股下寸法を覚えている人についてもセンチメートル単位で覚えている人が多い。さらに、出来上がりの衣服の裾長さも１ｃｍの誤差範囲内に入っていれば大多数の顧客は満足する。そこで、目盛り線の間隔を１ｃｍとすることによって、混乱することなくよりスムーズに裾上げ作業を行うことができる。
【００８１】
請求項２５の発明にかかる裾上げ機能付き衣服は、請求項２０乃至請求項２４のいずれか１つに記載の裾上げ具を衣服の裾の裏側に前記縦方向中心線側を脇線または股下線に揃え、或いは前記縦方向中心線を脇線または股下線に揃え、前記取付け代の下端をほぼ裾線に揃えて、下側になった前記取付け代をミシン掛けまたは接着剤または工作用の両面接着テープで仮止めして、上側になった前記取付け代は上方に折り返して、折り畳んだ部分が膨らんでこないように、上方に折り返した前記取付け代と下側になった前記取付け代、前記２つ以上に折った部分の左側と前記衣服の裏側、前記折り畳んだ部分の上端と前記衣服の裏側、そして前記２つ以上に折った部分の右側と前記衣服の裏側のうち少なくとも２箇所を粘着テープで止めたものである。
【００８２】
請求項２０乃至請求項２４のいずれか１つに記載の裾上げ具を用いることによって、請求項２０にかかる裾上げ具について説明したように、スムーズに衣服の裾上げを行うことができる。そこで、これらの裾上げ具のうち１つを衣服の裾の裏側に縦方向中心線側を脇線または股下線に揃え、或いは縦方向中心線を脇線または股下線に揃えて、取付け代の下端をほぼ裾線に揃えて仮止めすることによって、請求項２０にかかる裾上げ具について説明した手順にしたがって、スムーズに裾上げを行うことができる。
【００８３】
このようにして、裾長さを着用する人に合わせて極めて短時間で調節することができ、購入したその場で持って帰ってもらうことができる裾上げ機能付き衣服となる。
【００８４】
請求項２６の発明にかかる裾上げ具は、紙またはそれに類似のある程度弾力性があってしかも折り曲げたときには素直に折り曲げることができる適度なしなやかさを兼ね備えた材料からなり、中央の長方形及びその左右に連続する高さが同じ左右の長方形と、前記中央の長方形及び前記左右の長方形の下に第１の折り曲げ線を境界として第１の折り曲げ部分を設け、その下に第２の折り曲げ線を境界として前記第１の折り曲げ部分と同じ幅の第２の折り曲げ部分を設け、さらにその下に切断部と切断線を設けて、前記中央の長方形及び前記左右の長方形の裏側上端に沿ってそれぞれ両面テープを貼り付け、前記第１の折り曲げ線において前記第１の折り曲げ部分を山折りに後方へ折り曲げ、前記第２の折り曲げ線において前記第２の折り曲げ部分を谷折りに前方へ折り曲げて前記切断部を前方へ突出させ、前記中央の長方形の中心から前記切断部にかけて１本の垂線を引き、前記第１の折り曲げ部分の上面に両面テープで衣服の裾全周より長く切った裾上げテープを貼り付けて止め、そのまま小さく折り畳んで使用するか、または前記第１の折り曲げ部分と前記第２の折り曲げ部分を接着剤または両面テープで接着してから小さく折り畳んで使用するものである。
【００８５】
このように、本発明にかかる裾上げ具は、本体に型紙を貼り付ける必要なしに一枚の紙等から作られており、裾上げテープも予めセットされている。この裾上げ具を小さく折り畳む手順や、裾上げ具を用いて衣服の裾上げを行う場合の手順については、請求項１４の発明にかかる裾上げ具と同様である。即ち、本発明にかかる裾上げ具も請求項１４の発明にかかる裾上げ具と同様、衣服の表側に貼り付けて使用するものであり、１本の垂線を衣服の表側の脇線または股下線に一致させて取り付けられる。
【００８６】
このようにして、本発明の裾上げ具は１枚の紙を折り曲げて製造でき、さらに接着部分や左右の長方形の二重部分が省略されているので構造が簡単であり、したがって製造がより容易となり、裾上げテープも予めセットされているので衣服の裾長さを着用する人に合わせて極めて短時間で調節することができ、購入した衣服をその場で持って帰ってもらうことができる。
【００８７】
請求項２７の発明にかかる裾上げ具は、請求項２６の構成において、前記第１の折り曲げ線において前記第１の折り曲げ部分を谷折りに上方へ折り曲げ、前記第２の折り曲げ線において前記第２の折り曲げ部分を山折りに下方へ折り曲げて前記切断部を下方へ突出させ、前記中央の長方形の中央から前記切断部にかけて１本の垂線を引き、前記第２の折り曲げ部分の裏面に両面テープで衣服の裾全周より長く切った裾上げテープを貼り付けて止めるとともに前記切断部の前記切断線より内側の部分の裏側にも細く切った両面テープを貼り付け、そのまま小さく折り畳んで使用するか、または前記第１の折り曲げ部分と前記第２の折り曲げ部分を接着剤または両面テープで接着してから小さく折り畳んで使用するものである。
【００８８】
即ち、本発明にかかる裾上げ具は、請求項２６の発明にかかる裾上げ具と同じ型紙から第１の折り曲げ部分と第２の折り曲げ部分を向こう側に折り返す代わりに手前側へ折り返したものであり、請求項２６の発明にかかる裾上げ具が衣服の裾の表側に貼り付けて使用されるのに対して、本発明にかかる裾上げ具は衣服の裾の裏側に貼り付けて使用されるものである。
【００８９】
この裾上げ具を用いるときには、顧客の試着または顧客の股下寸法からの算出によって決定した裾上げ線に、中央の長方形及び左右の長方形の上端を沿わせるとともに１本の垂線を衣服の裏側の脇線または股下線に合わせて、中央の長方形及び左右の長方形の裏側の上端の両面テープの剥離紙を剥がして中央の長方形及び左右の長方形を衣服の裏側に貼り付ける。それから、衣服を完全に裏返しにするが、この裾上げ具は中央の長方形及び左右の長方形の裏側の上端の両面テープで衣服の裏側にしっかり貼り付いているので、中央の長方形及び左右の長方形の上端が裾上げ線からずれることはない。
【００９０】
続いて、切断線で衣服の裾を切り落として予め定められたヘム長さとしてから、中央の長方形及び左右の長方形の上端即ち裾上げ線で衣服の裾を裾上げ具ごと折り返してアイロンを掛け、裾上げ線の折り目をしっかり付ける。それから、衣服の裾を広げて裾上げ線の折り目から折り返して、全周に亘って新しい裾線を反転させる。そして、取り付け時とは上下逆になっている裾上げ具の第２の折り曲げ部分を引き出して折り畳まれて収容されていた裾上げテープを引き出し、切断部の裏側に貼り付けられている両面テープの剥離紙を剥がして、第２の折り曲げ線から折って折り返された衣服の裾に貼り付ける。すると、第２の折り曲げ部分に貼り付けられている裾上げテープの幅方向の中心線が丁度新しい裾線と一致する位置に来る。
【００９１】
そこで、第２の折り曲げ線から裾上げ具を分断して、折り返された衣服の裾の中に入っている部分の裾上げ具を取り除いた後、第２の折り曲げ部分の上からアイロンを掛けて新しい裾線を裾上げテープによって熱接着する。そして、残り約半周分の裾上げテープを後側へ回して後側の新しい裾線もアイロンを掛けて裾上げテープによって熱接着する。後は、残された裾上げ具の部分（第２の折り曲げ部分及び切断部）を剥がして取り除けば完了である。
【００９２】
このように、本発明にかかる裾上げ具は、請求項２６の裾上げ具と類似の構成を持ちながら衣服の裏側に取り付けて裾上げができるものであり、構造が簡単で製造し易くより安価になり、裾上げテープが予めセットされているのでより短時間で裾上げができる裾上げ具となる。
【００９３】
請求項２８の発明にかかる裾上げ具は、幅が衣服の裾幅よりも小さい縦長の長方形で全面に剥離紙が貼られている片面全面接着紙を裏面を剥離紙として下から数ｃｍの位置で横に折って取付け代とし、この取付け代の中央に縦に切り込みを入れ、前記取付け代の上端から前記片面全面接着紙の上端まで一定間隔で前記片面全面接着紙の底辺に平行に前記片面全面接着紙の表面の左端から右端まで目盛り線を引き、前記片面全面接着紙の上端を山折りに向こう側へ折り、裾上げテープの幅と同じ長さ下がったところで谷折りして上方に折り返して、折り返し部分に両面テープで衣服の裾全周より長く切った前記裾上げテープを止めて、前記折り返し部分から両側へはみ出した前記裾上げテープは折り返して前記折り返し部分に収容するとともに前記折り返し部分の上端の残った部分には両面テープを貼り付けておき、前記片面全面接着紙を前記切り込みの延長線の前記目盛り線に垂直な縦方向中心線でまたは該縦方向中心線に平行な線で横に２つ以上に折り、前記取付け代の上端から前記片面全面接着紙の上端までを等分して上方から順に折り畳んで行き、最後の折り畳みで前記取付け代の上端に一致するように折り畳んだものである。
【００９４】
即ち、本発明の裾上げ具は、請求項２０の発明にかかる片面全面接着紙を用いた裾上げ具に加えて、予め裾上げテープをセットしたものであり、基本的な構成は請求項２０の発明にかかる裾上げ具に類似しており、異なるのは上端部分に裾上げテープを収容する折り曲げ部分が作られている点のみである。したがって、裾上げ具の折り畳み方や衣服の裾への取付け方も同じであり、裾上げのやり方も途中までは同様である。
【００９５】
異なるのは、裾上げ線で折り曲げてアイロンで裾上げ線の折り目をしっかり付けた後からであり、広げて貼り付けられている裾上げ具を上端から剥がして上端を切断線つまり新しい裾線に一致させて、その位置で裾上げ具を二つ折りにして上端に貼り付けておいた両面テープの剥離紙を剥がして新しい裾線に沿って貼り付ける。このとき二つ折りの位置は、通常は裾上げ線より上に来るので、次に裾上げ線で二つ折りにした裾上げ具ごと衣服の裾（ヘム部分）を上に折り返す。後は、請求項２７の発明にかかる裾上げ具と同様な操作を行って、新しい裾線を裾上げテープで衣服の裾の裏側に熱接着して止めれば良い。
【００９６】
仮に、着用者の股下が短くて、二つ折りの位置が裾上げ線より下に来てしまった場合には、二つ折りにした裾上げ具を一旦取り外して伸ばし、上端が裾上げ線と一致するように貼り付け直して新しい裾線から下へはみ出した部分は全て切り落とし、もう一度剥がして切り落とした線が裾上げ線と一致するように貼り付け直す必要がある。
【００９７】
このようにして、本発明にかかる裾上げ具は予め裾上げテープがセットしてあるので、より短時間で裾上げを行うことができる。
【００９８】
請求項２９の発明にかかる裾上げ具は、請求項２８の構成において、前記片面全面接着紙の上端を谷折りに手前側へ折り、裾上げテープの幅より長い位置のところでカットして、谷折り線に沿って前記片面全面接着紙の上端の裏側に両面テープで衣服の裾全周より長く切った前記裾上げテープを止めて、両側へはみ出した前記裾上げテープは折り返して収容し、前記片面全面接着紙の上端の裏側の残った部分には前記両面テープを貼り付けたものである。
【００９９】
このように、本発明にかかる裾上げ具は、請求項２８にかかる裾上げ具と殆ど同じであり、ただ裾上げテープの取付け方が異なるだけである。したがって、裾上げ具の折り畳み方や衣服の裾への取付け方も同じであり、裾上げのやり方も途中までは同様である。異なるのは、裾上げ線で折り曲げてアイロンで裾上げ線の折り目をしっかり付けた後からであり、広げて貼り付けられている裾上げ具を上端から剥がして、取付けられている裾上げテープの幅方向の中心線を切断線つまり新しい裾線に一致させて、その位置で裾上げ具を二つ折りにして上端に貼り付けておいた両面テープの剥離紙を剥がして新しい裾線に沿って貼り付ける。
【０１００】
この二つ折りの位置は、通常は裾上げ線より上に来るので、次に裾上げ線で二つ折りにした裾上げ具ごと衣服の裾（ヘム部分）を上に折り返す。後は、請求項２７の発明にかかる裾上げ具と同様な操作を行って、新しい裾線を裾上げテープで衣服の裾の裏側に熱接着して止めれば良い。
【０１０１】
仮に、着用者の股下が短くて、二つ折りの位置が裾上げ線より下に来てしまった場合には、二つ折りにした裾上げ具を一旦取り外して伸ばし、取付けられている裾上げテープの幅方向の中心線が裾上げ線と一致するように貼り付け直して新しい裾線から下へはみ出した部分は全て切り落とし、もう一度剥がして切り落とした線が裾上げ線と一致するように貼り付け直す必要がある。
【０１０２】
このようにして、本発明にかかる裾上げ具は予め裾上げテープがセットしてあるので、より短時間で裾上げを行うことができる。
【０１０３】
請求項３０の発明にかかる裾上げ具は、請求項２８の構成において、前記片面全面接着紙の上端を山折りに向こう側へ折り、裾上げテープの幅と同じ長さ下がったところで谷折りして上方に折り返して、最初の山折り線から若干上へはみ出させたところで再び谷折りして下方へ折り返して、最初の谷折り線のところでまた谷折りして上方に折り返して、前記片面全面接着紙の上端が最初の山折り線に略一致するように折り、最後の折り返し部分を最初の折り返し部分に接着して固定し、二重になった折り返し部分の手前側を３つ目の谷折り線から裾上げテープの幅だけ剥離紙を剥がして衣服の裾全周より長く切った前記裾上げテープを止めて、前記折り返し部分から両側へはみ出した前記裾上げテープは折り返して前記折り返し部分に収容し、前記折り返し部分の上端のはみ出させた部分の剥離紙を剥がせるように切れ目を入れ、前記第１の谷折り線から前記裾上げテープの幅の１／２上がったところには目印線を引いたものである。
【０１０４】
即ち、本発明にかかる裾上げ具は、請求項２８にかかる裾上げ具において両面テープで裾上げテープを止めて、両面テープで二つ折りした先端を新しい裾線に沿って貼り付けているのを、裾上げテープ収容部分を二重に折ることによって片面全面接着紙の剥離紙を剥がすだけで裾上げテープを止めて、かつ二つ折りした先端を衣服の裾に貼り付けることができる。これによって、両面テープを一々貼り付ける手間が省けてより製造し易い裾上げ具となる。
【０１０５】
本発明にかかる裾上げ具による裾上げの手順は、請求項２８にかかる裾上げ具の場合と若干異なっている。即ち、請求項２０の発明にかかる裾上げ具と同様に折り畳んで衣服の裾に仮止めした裾上げ具を、裾上げ線を決定して衣服を完全に裏返してから広げながら衣服の裏側に貼り付けて行き、ヘム長さを決めて相当する目盛り線に沿って鋏で切り落とし、裾上げ線に沿って折り返してアイロンで裾上げ線に折り目をしっかり付けるところまでは同様である。異なるのは、この時点で衣服の裾を広げて裾上げ線から折り返してしまう点である。
【０１０６】
それから、裾上げテープの折り返し部分を取り出して裾上げ具を上端から剥がし、目印線が裾上げされた新しい裾線に一致するように二つ折りして、折り返し部分の上端のはみ出させた部分の剥離紙を剥がして衣服のヘム部分に貼り付ける。そして、ヘム部分に入っている裾上げ具の下端部分を衣服から剥がして引き出し、裾上げ具の上からアイロンを掛けて裾上げテープで裾上げされた新しい裾線を衣服の裏側に熱接着する。さらに、衣服の裾を裏返して残りの半周についてもアイロンを掛けて裾上げテープで熱接着する。最後に裾上げ具を剥がして取り除けば、片足の裾上げは完了である。
【０１０７】
このように、本発明にかかる裾上げ具による裾上げは、先に裾上げを済ませてしまってから裾上げ具を上から剥がして二つ折りにして裾上げテープを新しい裾線に合わせるので、顧客の股下が短くても関係なく裾上げができて、請求項２８にかかる裾上げ具よりもさらに裾上げが容易にできる。
【０１０８】
請求項３１の発明にかかる裾上げ具は、請求項２９の構成において、前記片面全面接着紙の上端を谷折りに手前側へ折り、裾上げテープの幅より長い位置のところで再び谷折りして上方へ折り返して、第１の谷折り線のところでまた谷折りして下方へに沿って折り返して、前記片面全面接着紙の上端が第２の谷折り線と略一致するように折り、最後の折り返し部分を前記片面全面接着紙の表側に接着して固定し、第３の谷折り線から前記裾上げテープの幅の分だけ剥離紙を剥がして衣服の裾全周より長く切った前記裾上げテープを止めて、両側へはみ出した前記裾上げテープは折り返して収容し、前記片面全面接着紙の内側の残った部分は前記剥離紙を剥がせるように切れ目を付け、前記第１の谷折り線から前記裾上げテープの幅の１／２下がったところには目印線を引いたものである。
【０１０９】
即ち、本発明にかかる裾上げ具も、請求項２９にかかる裾上げ具において両面テープで裾上げテープを止めて、両面テープで二つ折りした先端を新しい裾線に沿って貼り付けているのを、裾上げテープ収容部分を二重に折ることによって片面全面接着紙の剥離紙を剥がすだけで裾上げテープを止めて、かつ二つ折りした先端を衣服の裾に貼り付けることができる。これによって、両面テープを一々貼り付ける手間が省けてより製造し易い裾上げ具となる。
【０１１０】
そして、本発明にかかる裾上げ具による裾上げも、先に裾上げを済ませてしまってから裾上げ具を上から剥がして二つ折りにして裾上げテープを新しい裾線に合わせるので、顧客の股下が短くても関係なく裾上げができて、請求項２９にかかる裾上げ具よりもさらに裾上げを容易に行うことができる。
【０１１１】
請求項３２の発明にかかる裾上げ具は、紙またはそれに類似のある程度弾力性があってしかも折り曲げたときには素直に折り曲げることができる適度なしなやかさを兼ね備えた材料からなり、幅が衣服の裾幅に近く前記幅方向に沿って２つに山折りに折られた本体部分と、前記本体部分の一方に接続して同じ幅で短く設けられた第１の接着部分と、前記本体部分の他方に接続して同じ幅で短く設けられた第２の接着部分とを具備し、前記第１の接着部分の裏側、前記第２の接着部分の裏側、及び前記本体部分の裏側の一部または全面に両面テープが貼り付けられ、前記本体部分の表側には、前記幅方向に沿って一定間隔で平行に複数の目盛り線が引かれ、これらの複数の目盛り線と垂直に前記本体部分の中央に前記第１の接着部分の表側、前記本体部分の表側、前記第２の接着部分の表側に亘って１本の垂線が引かれているものである。
【０１１２】
この裾上げ具を用いるときは、顧客の試着または顧客の股下寸法からの算出によって決定した裾上げ線に、第１の接着部分と本体部分との境界線を沿わせるとともに１本の垂線を衣服の裏側の脇線または股下線に合わせて、第１の接着部分の裏側の両面テープの剥離紙を剥がして第１の接着部分を衣服の裏側に貼り付ける。続いて、衣服を完全に裏返し、本体部分の裏側の両面テープの剥離紙を全て剥がして下へ引張り、山折り部分が真っ直ぐになるように伸ばしながら本体部分を衣服の裏側に貼り付ける。最後に、第２の接着部分の裏側の両面テープの剥離紙を剥がして第２の接着部分を衣服の裏側に貼り付ける。
【０１１３】
それから、ヘム長さを決めてそのヘム長さに相当する目盛り線に沿って本体部分ごと衣服の裾を切り落とすが、このとき裾上げ具が貼り付けられて衣服がぴんと張っているので真っ直ぐに切り易い。続いて、裾上げ線即ち第１の接着部分と本体部分との境界線で衣服の裾を裾上げ具とともに折り返し、アイロンを掛けて裾上げ線の折り目をしっかり付ける。そして、元に戻して両面テープを全て剥がすことによって裾上げ具を衣服から取り外し、衣服の裾の中に両手を入れて裾上げ線の折り目の対向する位置を摘んで広げるように引っ張る。すると、裾上げ線から切断によって新しくできた裾線までの生地（ヘム部分）が綺麗に反転する。
【０１１４】
このように、本発明においては、衣服の裾を片側に折って折り目を付けるだけで衣服の裾の全周を一瞬にして綺麗に折り返すことができ、画期的な裾上げ方法となる。後は、裾上げ線にしっかりアイロンを掛け、新しくできた裾線を全周に亘って裾上げテープで衣服の裏側に熱接着して止めれば、片足の裾上げは完了する。なお、この裾上げ具は衣服の裏側のみならず衣服の表側の脇線または股下線に合わせて裾上げ線に沿って貼り付けても同様に裾上げを行うことができるが、最終段階で衣服の裾の全周を一瞬にして綺麗に折り返すことはできず、手間がかかる。
【０１１５】
また、衣服の片足の裾上げが完了してもう一方の足の裾上げを行う際には、両足を揃えることによって裾上げ線の位置を確認し、もう一方の足の裾を裏返して裾上げ線に沿って裾上げ具を貼り付けることになる。ここで、新しい裾上げ具を貼り付けても良いが、片足の裾上げに用いて剥がした使用済みの裾上げ具を貼り付けることもできる。アパレル用の両面テープは剥がし易いだけでなく、一度の貼り付けでは粘着力を失わず３〜４回の貼り替えでも十分な粘着力を有しているので、再使用が可能である。但し、本体部分がヘム長さに合わせて切断されているので、再使用における切断は本体部分の切断線に沿って生地だけを切ることになる。
【０１１６】
以上説明したように、本発明にかかる裾上げ具は、衣服の裾長さを着用する人に合わせて極めて短時間で調節することができる。具体的には、慣れた店員であれば片足５分程度即ち両足で１０分程度で完了するので、顧客を長時間待たせることなくその場で購入した紳士用ズボン等の衣服を持って帰ってもらうことができる。
【０１１７】
請求項３３の発明にかかる裾上げ具は、請求項３２の構成において、前記本体部分のいずれか一方または両方に山折り線を除く３辺に沿ってミシン目または切り取り溝からなる切り取り線が設けられ、該切り取り線と前記山折り線で囲まれた部分の表裏に一定間隔で平行に複数の目盛り線が引かれているとともに表裏のそれぞれ一部に両面テープが貼り付けられているものである。
【０１１８】
この裾上げ具を用いるときは、顧客の試着または顧客の股下寸法からの算出によって決定した裾上げ線に、第１の接着部分と本体部分との境界線を沿わせるとともに１本の垂線を衣服の裏側の脇線または股下線に合わせて、第１の接着部分及び第２の接着部分の裏側の両面テープの剥離紙を剥がして第１の接着部分及び第２の接着部分を密着させて衣服の裏側に貼り付ける。それから、衣服を完全に裏返すが、裾上げ具は第１の接着部分及び第２の接着部分によってしっかり貼り付いているので、第１の接着部分と本体部分との境界線が裾上げ線からずれることはない。
【０１１９】
続いて、切り取り線を設けたのが第１の接着部分側の場合には、外側から取り外すことになり、３辺に沿った切り取り線を切り離して本体部分を二つ折りにしたまま下方に倒し、３辺を切り離した部分を山折り線で下方に折り返す。この場合は、裏側に引かれた複数の目盛り線を用いることになる。また、表側の一部に貼り付けられた両面テープの剥離紙を剥がして３辺を切り離した部分を衣服の裏側に貼り付けることになる。
【０１２０】
一方、切り取り線を設けたのが第２の接着部分側の場合には、内側から取り外すことになり、３辺に沿った切り取り線を切り離して本体部分を二つ折りにしたまま下方に倒し、３辺を切り離した部分を下方に引き出す。この場合は、表側に引かれた複数の目盛り線を用いることになる。また、裏側の一部に貼り付けられた両面テープの剥離紙を剥がして３辺を切り離した部分を衣服の裏側に貼り付けることになる。
【０１２１】
さらに、本体部分の全体に亘って切り取り線を設けた場合には、第１の接着部分側でも第２の接着部分側でもいずれの側からも切り離すことができる。
【０１２２】
後は、請求項３２の発明にかかる裾上げ具の場合と同様の手順で裾上げを行うことができる。このようにして、本発明にかかる裾上げ具は、衣服の裾長さを着用する人に合わせて極めて短時間でかつ確実に調節することができ、顧客を長時間待たせることなくその場で購入した紳士用ズボン等の衣服を持って帰ってもらうことができる。
【０１２３】
請求項３４の発明にかかる裾上げ具は、請求項３３の構成において、前記本体部分のいずれか一方または両方に山折り線を除く３辺のうち１辺は第１の接着部分及び／または第２の接着部分との境界線に沿ってミシン目または切り取り溝からなる切り取り線が設けられているものである。
【０１２４】
これによって、第１の接着部分側でも第２の接着部分側でもいずれの側から切り離した場合でも、３辺を切り離した部分の上下方向の長さが最長になり、ヘム長さの選択範囲が最も広くなる。
【０１２５】
請求項３５の発明にかかる裾上げ具は、請求項３２の構成において、前記第２の接着部分が設けられていないものである。
【０１２６】
これによって、まず第１の接着部分を裾上げ線に沿わせて１本の垂線を脇線または股下線に合わせて貼り付け、次に本体部分の裏の両面テープの剥離紙を全て剥がして下へ引張りながら貼り付けるだけで良く、より簡単に裾上げ具を衣服の裏に取付けることができて、より短時間で同様の手順で裾上げを行うことができる。
【０１２７】
請求項３６の発明にかかる裾上げ具は、請求項３５の構成において、前記第１の接着部分と同形状の部品に糊代が設けられて前記第１の接着部分と前記同形状の部品が並ぶように、前記本体部分の裏側に前記糊代に糊・接着剤・工作用両面接着テープのいずれかをつけることによって接着されており、前記同形状の部品の裏側にも前記両面テープが貼り付けられているものである。
【０１２８】
このようにして第１の接着部分の縦方向の幅を広くすることによって、顧客の試着または顧客の股下寸法からの算出によって決定した裾上げ線に、第１の接着部分と本体部分との境界線を沿わせるとともに１本の垂線を衣服の裏側の脇線または股下線に合わせて、第１の接着部分の裏側の両面テープの剥離紙を剥がして第１の接着部分を衣服の裏側に貼り付ける。それから、衣服を完全に裏返すが、裾上げ具は第１の接着部分の面積の広い接着部分によってしっかり貼り付いているので、第１の接着部分と本体部分との境界線が裾上げ線からずれることはない。
【０１２９】
後は、請求項３２の発明にかかる裾上げ具の場合と同様の手順で裾上げを行うことができる。このようにして、本発明にかかる裾上げ具は、衣服の裾長さを着用する人に合わせて極めて短時間でかつ確実に調節することができ、顧客を長時間待たせることなくその場で購入した紳士用ズボン等の衣服を持って帰ってもらうことができる。
【０１３０】
請求項３７の発明にかかる裾上げ具は、幅が衣服の裾幅に近く前記幅方向に沿って２つに山折りに折られた支持部分と、前記支持部分の一方に接続して同じ幅で設けられた第１の接着部分と、前記支持部分の他方に接続して同じ幅で設けられた第２の接着部分とを具備し、前記第１の接着部分の裏側及び前記第２の接着部分の裏側の一部または全面に両面テープが貼り付けられるとともに前記第１の接着部分及び前記第２の接着部分の幅方向の中央部分にそれぞれ突出部分が設けられて該突出部分に前記幅方向に垂直に垂線が引かれ、前記支持部分の下方にストッパーテープを通すための貫通孔が複数穿設された支持体と、前記貫通孔に通され、長手方向に沿って一定間隔で目盛り線が引かれるとともに、上端部分と下端部分または全長の裏側に両面テープが貼り付けられている複数本の前記ストッパーテープとを有するものである。
【０１３１】
この裾上げ具は、衣服の表側・裏側どちらに貼り付けてもスムーズに裾上げを行うことができる。衣服の表側に貼り付けるときは、顧客の試着または顧客の股下寸法からの算出によって決定した裾上げ線に、支持体の第１の接着部分と支持部分との境界線を沿わせるとともに垂線を衣服の表側の脇線または股下線に合わせて、第１の接着部分及び第２の接着部分の裏側の両面テープの剥離紙を剥がして第１の接着部分及び第２の接着部分を密着させて衣服の表側に貼り付ける。
【０１３２】
続いて、複数本のストッパーテープを複数の貫通孔に通して、下端が仮の裾線の近傍にくるように調節して裏側の両面テープの剥離紙を剥がして、支持体を跨ぐ上端部分と下端部分を衣服の表側に貼り付ける。そして、ヘム長さを決めてヘム長さに相当する複数本のストッパーテープの目盛り線を目安にして、衣服の裾を切り落とす。次に、複数本のストッパーテープを両面テープを剥がすことによって全て取り外し、裾上げ線から支持体とともに衣服の裾を折り返してアイロンで裾上げ線の折り目をしっかり付ける。
【０１３３】
それから、衣服の裾を元に戻して、支持体の支持部分を摘んで持ち上げると折り返した部分（ヘム部分）が折り目から衣服の裾の中に入って行く。後は、支持体を取り外してアイロンで裾上げ線の折り目をしっかり付けてから、切断によってできた新しい裾線を裾上げテープを用いて衣服の裏側に熱接着すれば、片足の裾上げは完了である。
【０１３４】
一方、衣服の裏側に貼り付けるときは、顧客の試着または顧客の股下寸法からの算出によって決定した裾上げ線に、支持体の第１の接着部分と支持部分との境界線を沿わせるとともに垂線を衣服の裏側の脇線または股下線に合わせて、第１の接着部分及び第２の接着部分の裏側の両面テープの剥離紙を剥がして第１の接着部分及び第２の接着部分を密着させて衣服の裏側に貼り付ける。それから、衣服を完全に裏返すが、支持体は第１の接着部分及び第２の接着部分によってしっかり貼り付いているので、第１の接着部分と支持部分との境界線が裾上げ線からずれることはない。
【０１３５】
続いて、複数本のストッパーテープを複数の貫通孔に通して、下端が仮の裾線の近傍にくるように調節して裏側の両面テープの剥離紙を剥がして、支持体を跨ぐ上端部分と下端部分を衣服の裏側に貼り付ける。そして、ヘム長さを決めてヘム長さに相当する複数本のストッパーテープの目盛り線を目安にして、衣服の裾を切り落とす。次に、複数本のストッパーテープを両面テープを剥がすことによって全て取り外し、裾上げ線から支持体とともに衣服の裾を折り返してアイロンで裾上げ線の折り目をしっかり付ける。
【０１３６】
それから、衣服の裾を元に戻して、衣服の裾の中に両手を入れて対向する位置の裾上げ線の折り目を摘んで広げるように引張ると折り返した部分（ヘム部分）が折り目から綺麗に反転する。後は、支持体を取り外してアイロンで裾上げ線の折り目をしっかり付けてから、切断によってできた新しい裾線を裾上げテープを用いて衣服の裏側に熱接着すれば、片足の裾上げは完了である。
【０１３７】
衣服の片足の裾上げが完了してもう一方の足の裾上げを行う際には、表側に取付ける場合も裏側に取付ける場合も、両足を揃えることによって裾上げ線の位置を確認し、もう一方の足の裾を裏返して裾上げ線に沿って支持体を貼り付けることになる。ここで、新しい支持体及び新しいストッパーテープを貼り付けても良いが、片足の裾上げに用いて剥がした使用済みの支持体及びストッパーテープを再度用いることもできる。アパレル用の両面テープは剥がし易いだけでなく、一度の貼り付けでは粘着力を失わず３〜４回の貼り替えでも十分な粘着力を有しているので、再使用が可能である。但し、ストッパーテープはヘム長さに合わせて切断されているので、再使用における切断はストッパーテープの切断線に沿って生地だけを切ることになる。
【０１３８】
以上説明したように、本発明にかかる裾上げ具は、衣服の裾長さを着用する人に合わせて極めて短時間で調節することができる。具体的には、慣れた店員であれば片足５分程度即ち両足で１０分程度で完了するので、顧客を長時間待たせることなくその場で購入した紳士用ズボン等の衣服を持って帰ってもらうことができる。
【０１３９】
請求項３８の発明にかかる裾上げ具は、請求項３７の構成において、前記ストッパーテープに前記一定間隔で前記目盛り線とともにまたは前記目盛り線の代わりに、細長い貫通孔、外に膨らんだ襞、片側または両側に設けられた凸部または凹部のいずれかが設けられたものである。
【０１４０】
これらの構造を前記一定間隔でやや厚めの紙からなるストッパーテープに設けることによって、ヘム長さを決めて衣服の裾を切り落とすときの目安にもなるし、さらに支持体の貫通孔に突起を設ければストッパーテープの細長い貫通孔に嵌合して位置決めができ、支持体の貫通孔の幅を調節することによって外に膨らんだ襞と襞の間の隙間、片側または両側に設けられた凸部または凹部が支持体の貫通孔に引っ掛かって位置決めされることになる。
【０１４１】
このようにして、やや厚めのストッパーテープに種々の構造を一定間隔で設けることによって、ヘム長さを決めて衣服の裾を切り落とすときの目安にもなり、ストッパーテープの位置決めにも役立ってより使い易い裾上げ具となる。
【０１４２】
請求項３９の発明にかかる裾上げ具は、請求項３７または請求項３８の構成において、前記複数本のストッパーテープが下方で前記ストッパーテープを通すための複数の貫通孔と同じ間隔で繋がっており、または前記ストッパーテープが下方で衣服の裾幅近くに幅広となっており、前記繋がった部分及び前記幅広の部分にも前記一定間隔で前記目盛り線が引かれており、裏側の一部または全面に両面テープが貼られているものである。
【０１４３】
これによって、ヘム長さを決めて衣服の裾を切り落とす際の目盛り線が連続した長いものになり、この目盛り線に沿って切ることによって容易に真っ直ぐに切ることができる。さらに、繋がった部分または幅広の部分の裏側の両面テープの剥離紙を剥がして衣服の裾に貼り付けることによって、生地がぴんと張るため、より真っ直ぐに切り易くなる。
【０１４４】
このようにして、独立した複数のストッパーテープの目盛り線を目安にするよりも、遥かに真っ直ぐ切り易くなる裾上げ具となる。
【０１４５】
請求項４０の発明にかかる裾上げ具は、請求項２８乃至請求項３９のいずれか１つの構成において、前記目盛り線の前記一定間隔を１ｃｍとしたものである。
【０１４６】
請求項２８乃至請求項３９の構成においては、目盛り線の間隔は一定間隔として特に単位は定めていなかった。したがって、インチ単位でもフィート単位でもヤード単位でも寸単位でも、とにかくヘム長さが決まれば、目盛り線がどんな間隔で引かれていても裾上げを行うことができる。しかし、日本国内においては、メートル法にしたがってメートル単位を用いるのが一般的であるし、定規もメジャーもメートル単位で作られている。また、自分の股下寸法を覚えている人についてもセンチメートル単位で覚えている人が多い。さらに、出来上がりの衣服の裾長さも１ｃｍの誤差範囲内に入っていれば大多数の顧客は満足する。そこで、目盛り線の間隔を１ｃｍとすることによって、混乱することなくよりスムーズに裾上げ作業を行うことができる。
【０１４７】
請求項４１の発明にかかる裾上げ具は、請求項１乃至請求項１２，請求項２０乃至請求項２４，請求項２８乃至請求項４０のいずれか１つの構成において、前記目盛り線において、筆記具で引いた目盛り線に加えてミシン目または溝を設けたものである。
【０１４８】
このように、筆記具で引いた目盛り線に加えてミシン目または溝を設けることによって、ミシン目の場合には切るときの抵抗が弱くなって切るのが容易になり、溝の場合には鋏が溝にガイドされて目盛り線からそれることなく真っ直ぐに切ることができる。そして、筆記具で引いた目盛り線によってミシン目または溝だけのときよりも見易くなり、より切り易くなる。
【０１４９】
請求項４２の発明にかかる裾上げ具または裾上げ機能付き衣服は、請求項１乃至請求項１２、請求項２０乃至請求項２４、請求項３２乃至請求項３９のいずれか１つ、または請求項１３または請求項２５の構成において、裾上げテープを前記裾全周の長さに切って、前記新しい裾線が幅方向の中心にくるように前記裾上げテープを当てて、小型で薄型のクリップを用いて適当な間隔で止めて行き、全周に亘って止め終わったら、まず前記クリップで止めてある部分以外の前記裾上げテープにアイロンを掛けて前記裾上げテープの熱接着芯を融かして前記新しい裾線を前記衣服の裏側に熱接着させ、前記クリップで止めてある部分のみが残ったところで前記クリップを全て引き抜いて取り除き前記クリップで止めてあった部分にアイロンを掛けて前記新しい裾線を前記衣服の裏側に熱接着させ、最後に全周に亘ってスチームアイロンを掛けて仕上げることによって、前記裾上げテープで前記新しい裾線を前記衣服の裏側に熱接着するものである。
【０１５０】
ここで、「小型で薄型のクリップ」としては、ゼムクリップ、ゼムクリップＶ形、厚紙製クリップ等がある。これらのクリップを用いて、裾全周の長さに切った裾上げテープを衣服の新しい裾線が幅方向の中央にくるように、適当な間隔で全周に亘って止める。ここで、クリップごと裾上げテープの全周に亘ってアイロンを掛けても裾上げテープの熱接着芯を溶融させて熱接着させることは可能であるが、ゼムクリップ、ゼムクリップＶ形等は硬い金属製であるために、クリップの跡が衣服の裾に付いてしまう。特に、衣服の表側に付いたクリップの跡は衣服の商品価値を大きく下落させてしまう。
【０１５１】
そこで、まずクリップで止めていない部分のみにアイロンを掛けて熱接着させて、全周の形が整ったところでクリップを全て取り除いて、クリップで止めてあった部分にも全てアイロンを掛けて熱接着させる。そして、最後に全周に亘ってスチームアイロンを掛けて仕上げる。この接着方法は、次に述べる厚紙製クリップのみを用いる方法に比べると多少手間がかかるが、市販の小型クリップを用いることができ、厚紙製クリップをわざわざ製作しなくても良いという特長がある。
【０１５２】
このようにして、裾上げテープを新しい裾線に沿って適当な間隔でクリップで止め、先にクリップで止めてある周辺以外の部分を熱接着し、それからクリップを取り除いてクリップで止めてあった周辺部分を熱接着することによって、裾上げの最終段階である熱接着工程を短時間でクリップの跡を付けることなくスムーズに行うことができ、紳士用ズボン等の衣服の裾上げを極めて短時間で行うことができる裾上げ具及び裾上げ機能付き衣服となる。
【０１５３】
請求項４３の発明にかかる裾上げ具または裾上げ機能付き衣服は、請求項４２の構成において、前記クリップとして厚紙製のクリップを用いて、前記厚紙製のクリップで止めてある部分も含めて全周に亘ってアイロンを掛けて前記裾上げテープの熱接着芯を融かして前記新しい裾線を前記衣服の裏側に熱接着させ、その後前記厚紙製のクリップを取り除いて最後に全周に亘ってスチームアイロンを掛けて仕上げるものである。
【０１５４】
このように、本接着方法においては、特別に作製した厚紙製のクリップを用いて裾上げテープを新しい裾線に沿って適当な間隔で厚紙製クリップで止め、厚紙製クリップで止めてある部分も含めて裾の全周に亘って１回アイロンを掛けるだけで、裾の全周に亘って裾上げテープの熱接着芯を溶融させて熱接着させることができる。後は、厚紙製クリップを全て取り除いて全周に亘ってスチームアイロンを掛けて仕上げればよい。したがって、請求項４２の接着方法に比べてより短時間で仕上げることができる。
【０１５５】
このようにして、特製の厚紙製クリップを必要数用意しておくだけで、裾上げの最終段階である熱接着工程を、より短時間でスムーズに行うことができ、紳士用ズボン等の衣服の裾上げを極めて短時間で行うことができる裾上げ具及び裾上げ機能付き衣服となる。
【０１５６】
請求項４４の発明にかかる裾上げ具または裾上げ機能付き衣服は、請求項１乃至請求項１２、請求項２０乃至請求項２４、請求項３０乃至請求項３９のいずれか１つ、または請求項１３または請求項２５の構成において、衣服の裾の全周よりも長く切った前記裾上げテープの中央付近に、前記衣服の裾幅に近い長さのアパレル用片面接着テープを、前記裾上げテープの幅の半分の幅に切って前記裾上げテープの熱接着面でない面に前記裾上げテープの幅の半分を覆うように貼り付けるか、または前記裾上げテープの幅の半分以上の幅に切って前記裾上げテープの熱接着面でない面に前記裾上げテープの幅の半分を覆うように貼り付けてはみ出した部分は前記裾上げテープを前記新しい裾線に幅の中心を合わせるときに前記衣服の表側に貼り付けるものである。
【０１５７】
このように、裾上げテープの中央付近に裾上げテープの幅の半分を覆うようにアパレル用片面接着テープを貼り付けることによって、裾上げ線で折り返されて裾上げされた新しい裾線にアパレル用片面接着テープの上端を沿わせることによって、誰にでも簡単に裾上げテープの幅方向の中心線を新しい裾線に合わせることができ、この上からアイロンを掛けることによって裾上げテープで新しい裾線を衣服の裏側に熱接着することができる。
【０１５８】
さらに、アパレル用片面接着テープを裾上げテープの幅の半分以上の幅（例えば、裾上げテープとほぼ同じ幅）に切って、裾上げテープの中央付近に裾上げテープの幅の半分を覆うようにアパレル用片面接着テープを貼り付け、裾上げテープの幅から下へはみ出した部分は、新しい裾線にアパレル用片面接着テープの上端を沿わせる際に衣服の折り返された表側に貼り付ければ、これでもう裾上げテープの幅方向の中心線が新しい裾線からずれることがないので、初心者でも容易に裾上げテープによる熱接着を行うことができる。
【０１５９】
後は、残りの約半周の新しい裾線をアパレル用片面接着テープの両側にはみ出した裾上げテープで熱接着してアパレル用片面接着テープを剥がせば、衣服の片足の裾上げは完了である。このようにして、裾上げテープによる熱接着をより容易に行うことができる裾上げ具または裾上げ機能付き衣服となる。
【０１６０】
【発明の実施の形態】
以下、本発明の裾上げ具を主に紳士用ズボンに適用し、本発明の裾上げ機能付き衣服を主に紳士用ズボンとした場合の実施の形態について、図面を参照して説明する。
【０１６１】
実施の形態１
まず、本発明の実施の形態１について、図１乃至図４を参照して説明する。
【０１６２】
図１は本発明の実施の形態１にかかる裾上げ具を開いた状態を示す平面図である。図２（ａ）は折り畳んだ状態の裾上げ具を示す斜視図、（ｂ）は裾上げ具の目盛り部分を下へ開いた状態を示す斜視図、（ｃ）は裾上げ具の目盛り部分を左右に開いた状態を示す斜視図である。なお、図２においては、図１に示されている目盛り線・折り曲げ溝・剥離紙付き両面テープは図示省略されている。
【０１６３】
図３は本発明の実施の形態１にかかる裾上げ具を用いた裾上げの手順を示したもので、（ａ）は紳士用ズボンの裾を裏返して裾上げ具を取付けた状態を示す図、（ｂ）は図２の手順にしたがって裾上げ具を開くとともに裏側の両面テープを用いて紳士用ズボンの裏側に貼り付けた状態を示す図、（ｃ）はヘム長さを決めて目盛り線に沿って裾上げ具の上から紳士用ズボンの裾を切り落としたところを示す図、（ｄ）は裾上げ具の上端の裾上げ線で紳士用ズボンの裾を折り返した状態を示す図、（ｅ）は裾上げ具を外してヘム部分を開いて裏返そうとしている状態を示す図、（ｆ）は裾上げ線で紳士用ズボンの裾を裏返した状態を示す図、（ｇ）は裾上げテープで裏返した裾の先端部分を固定した状態を示す図である。
【０１６４】
図４（ａ）は本発明の実施の形態１の変形例にかかる裾上げ具を開いた状態を示す平面図、（ｂ）は紳士用ズボンの裾を裏返して変形例にかかる裾上げ具を取付けた状態を示す図である。
【０１６５】
図１に示されるように、本実施の形態１にかかる裾上げ具としての裾上げ紙１は、同じ高さの３個の長方形が連なってなる細長い長方形の端から端まで底辺から１ｃｍ間隔で平行に目盛り線６が引かれている目盛り部分２と、中央の長方形２ａの上に設けられた中央の長方形２ａとの境界線から０．５ｃｍ間隔で５本の平行な折り曲げ溝７が設けられている本体部分３と、本体部分３の上に設けられた接着部分４と、中央の長方形２ａの下に設けられた下部接着部分５とから構成されている。そして、接着部分４の表側全面と下部接着部分５の裏側全面にはアパレル用の両面テープ８が貼り付けられており、目盛り部分２の裏側にも左側の長方形２ｂの左端から一定間隔をおいて縦方向に両面テープ８が貼り付けられている。これらの各両面テープ８は、裾上げ紙１の使用時までは剥離紙を剥がさずにおく。
【０１６６】
さらに、本体部分３と中央の長方形２ａの中央には、目盛り線６及び５本の平行な折り曲げ溝７と垂直に１本の垂線９が引かれている。かかる裾上げ紙１は、使用時までは小さく折り畳まれた状態で保管される。即ち、左側の長方形２ｂを中央の長方形２ａとの境界線で折って中央の長方形２ａの上に重ね、右側の長方形２ｃを中央の長方形２ａとの境界線で折って左側の長方形２ｂの上に重ね、折り畳まれた目盛り部分２を本体部分３との境界線で折って本体部分３の上に重ね、接着部分４と下部接着部分５はそれぞれ山折りに折っておく。
【０１６７】
このようにして小さく折り畳まれた裾上げ紙１を示したのが、図２（ａ）である。図２（ａ）に示されるように、中央の長方形２ａの裏側にも中央に垂線１０が引かれている。これは、衣服の裾に取付けるときに裏表を間違えないためと、衣服の脇線または股下線に垂線１０を合わせることによって、裾上げ紙１を衣服の裾に対して直角・平行に取付けるためである。使用前には、小さく折り畳んだ裾上げ紙１が広がらないように接着部分４と下部接着部分５の合わせ目にセロハンテープを貼って止めておく。このように裾上げ紙１を小さく折り畳んでおくことによってほぼ名刺大の大きさとなり、保管・輸送の際の省スペース化が図れ、見た目にも美観に優れており、取付けの際も片手で取付けることができる。
【０１６８】
この小さく折り畳まれた裾上げ紙１を衣服に取付ける手順について、図２を参照して説明する。まず前記セロハンテープを取り除いて、接着部分４の表面に貼り付けられている両面テープの剥離紙を剥がして、山折りのまま決定された裾上げ線に山折り線を合わせ、脇線または股下線に垂線１０を合わせて貼り付ける。続いて、図２（ａ）に矢印で示されるように、三つに折り畳まれた目盛り部分２と下部接着部分５を下へ開いて、このとき中央の長方形２ａの裏側と下部接着部分５の裏側の両面テープの剥離紙を剥がしておく。
【０１６９】
次に、図２（ｂ）に矢印で示されるように、右側の長方形２ｃと左側の長方形２ｂを順に開いて、それぞれの裏側の両面テープの剥離紙を剥がしておく。そして、あらためて表側の垂線９が脇線または股下線に一致するように微調整しながら、まず下部接着部分５を、本体部分３と中央の長方形２ａがぴんと張るように下へ引張りながら衣服の裏側に貼り付ける。続いて、両手で中央の長方形２ａの中央を押えて左右へ目盛り部分２を引っ張るように押えながら両手を左右へずらして、中央の長方形２ａ及び左右の長方形２ｂ，２ｃを衣服の裏側に貼り付ける。
【０１７０】
こうして裾上げ紙１が衣服の裏側に貼り付けられた状態を示したのが、図２（ｃ）である。このように、裾上げ紙１は小さく折り畳んだり山折りに折ったりしなければならないので、裾上げ紙１の材料となる紙質としてはボール紙等の厚紙は使いづらい。また、衣服の裏側に貼り付ける際に引張りながら衣服の布地をぴんと張らせて、後述するようにヘム長さを決めるときに目盛り線６に沿って真っ直ぐに裾上げ紙１ごと切りたいので、コピー紙のように余り薄い紙や柔らかい紙も適当でない。適当な紙質としては、ある程度弾力性があってしかも折り曲げたときには素直に折り曲げることができること、要するに適度な弾力性としなやかさを兼ね備えた厚くない紙（コピー紙よりもやや厚い程度の紙）ということになる。
【０１７１】
但し、これは衣服の生地として通常の紳士用ズボンの布地に適用する場合であって、婦人用ズボン（パンツ）の布地には極めて薄い物もあるので、その場合には裾上げ紙もそれに合わせてより薄くしかも適度な弾力性としなやかさを兼ね備えた紙を用いる必要がある。即ち、裾上げ紙の厚さは衣服の生地の種類に応じて変化させる必要がある。
【０１７２】
次に、裾上げ紙１を用いた紳士用ズボンの裾上げの詳細な手順について、図３を参照して説明する。まず、紳士用ズボンを買い求めようとする顧客に試着をしてもらって、紳士用ズボン１１の裾を裏返しに折り返して好みの裾位置（裾上げ線１３）を決めてもらう。このとき、裾上げ紙１の接着部分４を山折りにして表側に貼られた両面テープ８の剥離紙を剥がして、裾上げ線１３に接着部分４の山折り線を一致させるとともに紳士用ズボン１１の裾の脇線１２に裾上げ紙１の外側の垂線１０を一致させて、接着部分４を紳士用ズボン１１の裾の裏側にしっかり貼り付ける（これは店員が行っても、場合によっては顧客自らにしてもらっても良い）。
【０１７３】
このように、本実施の形態１の裾上げ紙１においては、紳士用ズボン１１の裾を折り返したときに従来のように待ち針で止めたりしないため、店員や顧客がうっかり待ち針で怪我をする心配もない。また、自分の股下寸法を覚えている顧客については、仮の裾線１１ａが股下何ｃｍであるかによって、試着をしなくても即座に裾上げ線１３の位置が決定する。
【０１７４】
次に、図３（ａ）に示されるように、紳士用ズボン１１全体を完全に裏返しにして、図２で説明した手順にしたがって、裾上げ紙１を広げて紳士用ズボン１１の裾の裏側に取付ける。このとき、図３（ｂ）に示されるように、内側の垂線９が脇線１２に一致していなければならない。続いて、顧客の好みに基づいてヘム部分（裾折り返し部分）の長さを決定し、そのヘム長さになるように裾上げ紙１の上から紳士用ズボン１１の裾を切り落とす。本実施の形態１においては、ヘム長さを８ｃｍと決定したので、図３（ｃ）に示されるように、裾上げ線１３から８ｃｍ下の目盛り線６に沿って目盛り部分２ごと裁ち鋏で紳士用ズボン１１の裾を切り落とす。
【０１７５】
そして、ヘム長さが８ｃｍの場合の本体部分３の折り曲げ溝７ａで紳士用ズボン１１の裾と裾上げ紙１を一緒に谷折りして、目盛り部分２の切断線を本体部分３の上端即ち裾上げ線１３に一致させる。続いて、これらの目盛り部分２の切断線と本体部分３の上端を折り曲げ用定規として用いて、紳士用ズボン１１の裾を裾上げ紙１を包むように裾上げ線１３に沿ってもう一度折り曲げる。そして、この最後の折り曲げ線に沿ってアイロンを掛けて、紳士用ズボン１１の裾の全周に亘って裾上げ線１３の折り目を付ける。それから、図３（ｄ）に示されるように、折り曲げ溝７ａにおける谷折りを元に戻して、目盛り部分２の残りと接着部分４の両面テープ８を剥がすことによって裾上げ紙１を紳士用ズボン１１から取り外す。
【０１７６】
次に、図３（ｅ）に示されるように、切断によって新しく生じた紳士用ズボン１１の裾線１１ｂを広げて、両手で裾上げ線１３の折り目の対向する位置をそれぞれ摘んで引張ると、裾上げ線１３から裾線１１ｂまでの生地が綺麗に反転して、図３（ｆ）に示されるように、紳士用ズボン１１が裾上げされた状態になる。後は、図３（ｇ）に示されるように、裾線１１ｂと紳士用ズボン１１の裏側の間に裾上げテープ１５を置いてアイロンを掛け、全周に亘って熱接着させれば完成である。
【０１７７】
このように、本実施の形態１の裾上げ紙１及び裾上げ機能付き衣服１１においては、顧客の試着または股下寸法からの算出によって決定した裾上げ線１３に沿って裾上げ紙１の接着部分４を貼り付けて、小さく折り畳んであった裾上げ紙１を広げ、顧客の希望に基づいてヘム長さを決定して幅の広い目盛り部分２の目盛り線６に沿って裾上げ紙１ごと紳士用ズボン１１の裾を裁ち鋏で切るので切り易く、紳士用ズボン１１の生地が伸ばされた状態であるため切った後の裾線が真っ直ぐになるように切れる。そして、ヘム長さに対応する本体部分３の折り曲げ溝７で谷折りすることによって、幅の広い目盛り部分２の切った線も裾上げ線１３に一致するので、より確実に脇線１２に垂直に裾上げ線１３に合わせて紳士用ズボン１１の裾を折り返して、アイロンで折り目を付けることができる。
【０１７８】
なお、熟練者は図３（ｃ）で切り落とした後、ヘム長さに対応する本体部分３の折り曲げ溝７で谷折りする工程を省略して、本体部分３の上端の線のみを目安にして裾上げ線１３に合わせて紳士用ズボン１１の裾を折り返しても良い。すると直ちに図３（ｄ）に示される状態になる。このように、熟練者になると幅の広い目盛り部分２を目安にしなくても、本体部分３の上端の線のみを目安にして脇線１２に垂直に裾上げ線１３に合わせて折り返すことができる。
【０１７９】
そして、従来の裾上げ工程においては、図３（ｆ）に示されるように裾を全周に亘って綺麗に折り返すのに手間取って、様々な工夫がなされてきたが、本実施の形態１の裾上げ紙１及び裾上げ機能付き衣服１１においては、裾上げ紙１を用いることによって裾上げ線１３に合わせて裾上げ機能付き衣服１１を折り返してアイロンで折り目を付け、裾の中に両手を入れて裾上げ線１３の折り目の対向する位置をそれぞれ摘んで引張るだけで、裾上げ線１３から裾線１１ｂまでの生地が綺麗に反転して、図３（ｆ）に示される状態となる。このように、本実施の形態１においては、衣服の裾を片側に折って折り目を付けるだけで衣服の裾の全周を一瞬にして綺麗に折り返すことができ、画期的な裾上げ方法となる。
【０１８０】
次に、本実施の形態１の裾上げ紙の変形例について、図４を参照して説明する。図４（ａ）に示されるように、本実施の形態１の変形例にかかる裾上げ紙１６の構成は裾上げ紙１と殆ど同じである。異なるのは、接着部分４の表側ではなく裏側に両面テープ８が貼り付けられている点のみである。したがって、図４（ｂ）に示されるように、折り畳んだ状態の裾上げ紙１６を紳士用ズボン１１に貼り付けるときには、接着部分４を山折りすることなく接着部分４と本体部分３の境界線が裾上げ線１３に一致するように、接着部分４の裏側の両面テープ８の剥離紙を剥がして貼り付けることになる。以降の工程は、図３に示される裾上げ紙１の場合と同様である。
【０１８１】
なお、紳士用ズボン１１の片足の裾上げが完了してもう一方の足の裾上げを行う際には、両足を揃えることによって裾上げ線１３の位置を確認し、もう一方の足の裾を裏返して裾上げ線１３に沿って裾上げ紙１または裾上げ紙１６を貼り付けることになる。ここで、新しい裾上げ紙１または裾上げ紙１６を貼り付けても良いが、片足の裾上げに用いて剥がした使用済みの裾上げ紙１または裾上げ紙１６を貼り付けることもできる。アパレル用の両面テープは剥がし易いだけでなく、一度の貼り付けでは粘着力を失わず３〜４回の貼り替えでも十分な粘着力を有しているので、再使用が可能である。但し、目盛り部分２がヘム長さに合わせて切断されているので、再使用における切断は目盛り部分２の切断線に沿って生地だけを切ることになる。
【０１８２】
以上説明したように、本実施の形態１の裾上げ具としての裾上げ紙１，１６及び裾上げ機能付き衣服としての紳士用ズボン１１は、衣服の裾長さを着用する人に合わせて極めて短時間で調節することができる。具体的には、慣れた店員であれば片足５分程度即ち両足で１０分程度で完了するので、顧客を長時間待たせることなくその場で購入した紳士用ズボン１１等の衣服を持って帰ってもらうことができる。
【０１８３】
実施の形態２
次に、本発明の実施の形態２について、図５及び図６を参照して説明する。
【０１８４】
図５（ａ）は本発明の実施の形態２にかかる裾上げ具としての裾上げ紙を示す斜視図、（ｂ）は裾上げ紙の接着部分を紳士用ズボンの裾上げ線の上側に貼り付けた状態を示す図、（ｃ）は裾上げ紙の接着部分を紳士用ズボンの裾上げ線の下側に貼り付けた状態を示す図である。図６（ａ）〜（ｃ）は裾上げ紙の接着部分を裾上げ線の上側に貼り付けた場合の広げ方を示す図、（ｄ）〜（ｆ）は裾上げ紙の接着部分を裾上げ線の下側に貼り付けた場合の広げ方を示す図である。なお、図１と同一の部分には同一の符号を付して説明を一部省略する。
【０１８５】
図５（ａ）に示されるように、本実施の形態２にかかる裾上げ具としての裾上げ紙２０は、同じ高さの３個の長方形２ｂ，２ａ，２ｃが連なってなり表面に１ｃｍ間隔で目盛り線６が引かれている高さ５ｃｍの目盛り部分２と、中央の長方形２ａの上に設けられ表面に０．５ｃｍ間隔で折り曲げ溝７が設けられた高さ５ｃｍの本体部分３と、目盛り部分２の裏側に横方向に一定間隔を空けて縦に貼り付けられた複数枚の両面テープ８については、実施の形態１の裾上げ紙１と同様である。また、本体部分３の上に同じ幅の接着部分２１が設けられている点についても同様である。
【０１８６】
異なるのは、この接着部分２１が裾上げ紙１の接着部分４（高さ約１ｃｍ）のほぼ２倍の高さ（約２ｃｍ）を有し、表裏両面のほぼ全面に両面テープ２２ａ，２２ｂが貼り付けられている点と、下部接着部分が設けられていない点である。このように、接着部分２１の表裏両面に両面テープ２２ａ，２２ｂを貼り付けたのは、図５（ｂ），（ｃ）に示されるように、裾上げ紙１と同様に折り畳まれた裾上げ紙２０を紳士用ズボン１１の裏側の裾上げ線１３に貼り付けるときに、図５（ｂ）のように裾上げ線１３の上側から接着部分２１を止めても、図５（ｃ）のように裾上げ線１３の下側から接着部分２１を止めても、同じように裾上げができるようにするためである。
【０１８７】
これによって、未だ不慣れな店員でも、顧客が試着をしたり顧客の覚えている股下寸法から算出したりして決定した裾上げ線１３のどちら側から裾上げ紙２０を貼り付けるか迷うことなく、裾上げ線１３の上側からでも下側からでも貼り付けることができる。また、接着部分２１の高さを高くしたのは、裾上げ紙２０には下部接着部分が設けられていないため、接着面積を大きくして紳士用ズボン１１の裏側への接着力を補強するためである。
【０１８８】
次に、それぞれの取付け方をした場合の裾上げ紙２０を広げる手順について、図５及び図６を参照して説明する。なお、図６においては、図５に示されている目盛り線６・折り曲げ溝７・剥離紙付き両面テープ８は図示省略されている。
【０１８９】
裾上げ線１３の上側から止めた場合には、図５（ｂ）に示されるように、接着部分２１の裏側に貼り付けられた両面テープ２２ｂの剥離紙が剥がされて、裾上げ線１３に沿って貼り付けられている。裾上げ紙２０の折り畳んだ部分を矢印のように下へ降ろすと図６（ａ）に示される状態となり、さらに目盛り部分２を下へ降ろすと図６（ｂ）に示される状態となり、後は左右の長方形２ｂ，２ｃを広げれば図６（ｃ）に示される広げられた状態となる。この場合は接着部分２１の表側の両面テープ２２ａは使用しないので、剥離紙を貼り付けたままとなる。
【０１９０】
一方、裾上げ線１３の下側から止めた場合には、図５（ｃ）に示されるように、接着部分２１の表側に貼り付けられた両面テープ２２ａの剥離紙が剥がされて、裾上げ線１３に沿って貼り付けられている。裾上げ紙２０の折り畳んだ部分を矢印のように下へ降ろすと図６（ｄ）に示される状態となり、さらに目盛り部分２を本体部分３の下から引き出すと図６（ｅ）に示される状態となり、後は左右の長方形２ｂ，２ｃを中央の長方形２ａの下から引き出せば図６（ｆ）に示される広げられた状態となる。この場合は接着部分２１の裏側の両面テープ２２ｂは使用しないので、剥離紙を貼り付けたままとなる。
【０１９１】
以降の裾上げの手順は、実施の形態１と同様である。このように、本実施の形態２の裾上げ具としての裾上げ紙２０は、衣服の裾長さを着用する人に合わせて極めて短時間で調節することができるばかりでなく、裾上げ機能付き衣服としての紳士用ズボン１１に裾上げ紙２０を正式に取付ける場合に、未だ不慣れな店員でも取付け方を間違える可能性が極めて少ないという作用効果がある。
【０１９２】
実施の形態３
次に、本発明の実施の形態３について、図７及び図８を参照して説明する。
【０１９３】
図７（ａ）は本発明の実施の形態３にかかる裾上げ具としての裾上げ紙を示す平面図、（ｂ）は裾上げ紙の接着部分と第２の接着部分によって紳士用ズボンの裾上げ線を挟んで貼り付けた状態を示す図である。図８（ａ）は本発明の実施の形態３の変形例にかかる裾上げ具としての裾上げ紙を示す平面図、（ｂ）は裾上げ紙の接着部分と下部接着部分によって紳士用ズボンの裾上げ線を挟んで貼り付けた状態を示す図である。なお、図１と同一の部分には同一の符号を付して説明を一部省略する。
【０１９４】
図７（ａ）に示されるように、本実施の形態３にかかる裾上げ紙２５は、実施の形態１の裾上げ紙１と殆ど同じ構成である。異なるのは、本体部分３の上に設けられた接着部分４と二股になるようにして、第２の接着部分２６が糊代に接着剤をつけて本体部分３の上端に接着されることによって設けられている点のみである。この第２の接着部分２６には、接着部分４と向かい合う側に両面テープ８が貼り付けられている。この裾上げ紙２５は、実施の形態１の裾上げ紙１と同様の手順で小さく折り畳まれて保管され、或いは紳士用ズボン１１の裾近傍の裏側に接着部分４の両面テープ８の剥離紙を剥がして仮止めされて裾上げ機能付き衣服を構成している。
【０１９５】
この裾上げ紙２５を使用するときは、図７（ｂ）に示されるように、顧客が紳士用ズボン１１を試着して裾を裏返して決めた裾上げ線１３、または顧客の股下寸法から算出して裾を裏返して決めた裾上げ線１３を脇線１２を中心にして、接着部分４と第２の接着部分２６の両面テープ８の剥離紙を剥がして、接着部分４と第２の接着部分２６を表裏から貼り付けることによって挟み込んで止める。以後の裾上げ工程は、実施の形態１と同様であり、まず紳士用ズボン１１の全体を完全に裏返してから、図３に示される手順（但し、本実施の形態３の場合には下部接着部分５がなく、第２の接着部分２６が接着部分４の上に裾上げ線１３を跨いで貼り付けられている。）にしたがって裾上げを行う。
【０１９６】
ここで、実施の形態１のように接着部分４のみで裾上げ線１３に沿って紳士用ズボン１１の裏側に貼り付けると、紳士用ズボン１１の全体を完全に裏返す段階で裾上げ線１３からずれたり剥がれたりする危険性が皆無ではない。そこで、本実施の形態３においては、上述の如く接着部分４と第２の接着部分２６で裾上げ線１３を挟み込んで止めることによって、より確実に裾上げ紙２５を裾上げ線１３からずれないように紳士用ズボン１１の全体を完全に裏返すことができる。
【０１９７】
次に、本実施の形態３の変形例にかかる裾上げ紙について、図８を参照して説明する。図８（ａ）に示されるように、本実施の形態３の変形例にかかる裾上げ紙３０は、実施の形態１の裾上げ紙１と殆ど同じ構成である。異なるのは、目盛り部分２の下に設けられた下部接着部分５の裏側だけでなく表側にも両面テープ８が貼り付けられている点のみである。この裾上げ紙３０は、実施の形態１の裾上げ紙１と同様の手順で小さく折り畳まれて保管され、或いは紳士用ズボン１１の裾近傍の裏側に接着部分４の両面テープ８の剥離紙を剥がして仮止めされて裾上げ機能付き衣服を構成している。
【０１９８】
この裾上げ紙３０を使用するときは、図８（ｂ）に示されるように、顧客が紳士用ズボン１１を試着して裾を裏返して決めた裾上げ線１３、または顧客の股下寸法から算出して裾を裏返して決めた裾上げ線１３を脇線１２を中心にして、接着部分４と下部接着部分５の表側の両面テープ８の剥離紙を剥がして、接着部分４と下部接着部分５の表側を表裏から貼り付けることによって挟み込んで止める。
【０１９９】
そして、まず紳士用ズボン１１の全体を完全に裏返して、下部接着部分５の表側の両面テープ８を剥がして紳士用ズボン１１から一旦取り外してから下部接着部分５の裏側の両面テープ８の剥離紙を剥がして、裾上げ紙３０を縦に広げて下部接着部分５の裏側を紳士用ズボン１１の脇線１２に内側の垂線９が一致するように貼り付ける。以後の裾上げ工程は、図３（ｂ）〜（ｇ）に示される実施の形態１と同様である。このように、本実施の形態３の変形例においても、上述の如く接着部分４と下部接着部分５で裾上げ線１３を挟み込んで止めることによって、より確実に裾上げ紙３０を裾上げ線１３からずれないように紳士用ズボン１１の全体を完全に裏返すことができる。
【０２００】
このようにして、本実施の形態３の裾上げ紙２５，３０においては、衣服の裾長さを着用する人に合わせてより確実に極めて短時間で調節することができ、購入した衣服をその場で持って帰ってもらうことができる。
【０２０１】
実施の形態４
次に、本発明の実施の形態４について、図９及び図１０を参照して説明する。
【０２０２】
図９（ａ）は本発明の実施の形態４にかかる裾上げ具としての裾上げ紙を折り畳んだ状態を示す斜視図、（ｂ）は裾上げ紙の接着部分と第２の接着部分及び上下の二等辺三角形によって紳士用ズボンの裾上げ線を挟んで貼り付けた状態を示す図、（ｃ），（ｄ）は紳士用ズボンを全部裏返した後、裾上げ紙を開く手順を示す図である。図１０（ａ）は本発明の実施の形態４の変形例にかかる裾上げ具としての裾上げ紙を折り畳んだ状態を示す斜視図、（ｂ）は裾上げ紙の二等辺三角形の接着部分と下部接着部分によって紳士用ズボンの裾上げ線を挟んで貼り付けた状態を示す図、（ｃ），（ｄ）は紳士用ズボンを全部裏返した後、裾上げ紙を開く手順を示す図である。
【０２０３】
なお、図１と同一の部分には同一の符号を付して説明を一部省略する。また、図９及び図１０においては、図１に示されている目盛り線・折り曲げ溝・剥離紙付き両面テープは図示省略されている。
【０２０４】
図９に示されるように、本実施の形態４の裾上げ紙３１は、実施の形態１の裾上げ紙１の接着部分４及び下部接着部分５にそれぞれ二等辺三角形３２，３３を接続した構成を有している。これらの接着部分４，下部接着部分５，二等辺三角形３２，３３には、図９（ａ）のように折り畳んだときに互いに向き合う側に図示しない両面テープが全面に貼り付けられている。また、下部接着部分５及びそれに続く二等辺三角形３３には、裏面にも両面テープが全面に貼り付けられている。さらに、二等辺三角形３２，３３の表側には、広げたときに裾上げ紙３１の表側を貫く１本の垂線３４が引かれており、二等辺三角形３２，３３の裏側には本体３の外側の垂線１０ａの延長線上に垂線が引かれている。その他の部分の構成は、実施の形態１の裾上げ紙１と同様である。
【０２０５】
この裾上げ紙３１は、図９（ａ）のように小さく折り畳まれた状態で保管され、或いは紳士用ズボン１１の裾近傍の裏側に二等辺三角形３３の裏面の両面テープの剥離紙を剥がして仮止めされて裾上げ機能付き衣服を構成している。
【０２０６】
この裾上げ紙３１を使用するときは、図９（ｂ）に示されるように、顧客が紳士用ズボン１１を試着して裾を裏返して決めた裾上げ線１３、または顧客の股下寸法から算出して裾を裏返して決めた裾上げ線１３を、脇線１２を中心にして、接着部分４，下部接着部分５，二等辺三角形３２，３３の表側の両面テープの剥離紙を剥がして、接着部分４と下部接着部分５及び二等辺三角形３２，３３の表側を表裏から貼り付けることによって挟み込んで止める。このとき、外側の垂線１０ａが脇線１２に一致し、かつ二等辺三角形３２，３３の頂点が脇線１２上にくるように貼り付けることによって、裾上げ紙３１の取付けの直角平行度がより高くなる。
【０２０７】
そして、まず紳士用ズボン１１の全体を完全に裏返して、下部接着部分５及び二等辺三角形３３の表側の両面テープを剥がして紳士用ズボン１１から一旦取り外してから、図９（ｃ）に示されるように接着部分４と本体３の境界線で折り返す。続いて、下部接着部分５及び二等辺三角形３３の裏側の両面テープの剥離紙を剥がして、裾上げ紙３１を縦に広げて下部接着部分５及び二等辺三角形３３の裏側を、紳士用ズボン１１の脇線１２に内側の垂線３４が一致するとともに二等辺三角形３３の頂点が脇線１２の上にくるように貼り付ける。そして、図９（ｄ）に示されるように目盛り部分２を左右に開けば、以後の裾上げ工程は図３（ｂ）〜（ｇ）に示される実施の形態１と同様にして行うことができる。
【０２０８】
このように、本実施の形態４においては、上述の如く接着部分４と下部接着部分５及び二等辺三角形３２，３３で裾上げ線１３を挟み込んで止めることによって、さらに確実に裾上げ紙３１を裾上げ線１３からずれないように紳士用ズボン１１の全体を完全に裏返すことができる。さらに、二等辺三角形３２，３３の頂点が脇線１２の上にくるように貼り付けることによって、裾上げ紙３１の取付けの直角平行度がより高くなる。
【０２０９】
次に、本実施の形態４の変形例にかかる裾上げ紙について、図１０を参照して説明する。図１０（ａ）に示されるように、本実施の形態４の変形例にかかる裾上げ紙３６は、裾上げ紙３１から接着部分４及び下部接着部分５が除かれて、２つの二等辺三角形３７，３８が直接本体３，目盛り部分２に接続した構成をしている。即ち、裾上げ紙３６は、実施の形態１の裾上げ紙１において接着部分４及び下部接着部分５が二等辺三角形３７，３８に変形したものと考えることができる。二等辺三角形３７，３８の表面と二等辺三角形３８の裏面には、図示しない両面テープが全面に貼り付けられている。さらに、二等辺三角形３７，３８の表側には、広げたときに裾上げ紙３６の表側を貫く１本の垂線３９が引かれており、二等辺三角形３７，３８の裏側には本体３の外側の垂線１０ａの延長線上に垂線が引かれている。その他の部分の構成は、実施の形態１の裾上げ紙１と同様である。
【０２１０】
この裾上げ紙３６は、図１０（ａ）のように小さく折り畳まれた状態で保管され、或いは紳士用ズボン１１の裾近傍の裏側に二等辺三角形３８の裏面の両面テープの剥離紙を剥がして仮止めされて裾上げ機能付き衣服を構成している。
【０２１１】
この裾上げ紙３６を使用するときは、図１０（ｂ）に示されるように、顧客が紳士用ズボン１１を試着して裾を裏返して決めた裾上げ線１３、または顧客の股下寸法から算出して裾を裏返して決めた裾上げ線１３を、脇線１２を中心にして、二等辺三角形３７，３８の表側の両面テープの剥離紙を剥がして表裏から貼り付けることによって挟み込んで止める。このとき、外側の垂線１０ａが脇線１２に一致し、かつ二等辺三角形３７，３８の頂点が脇線１２上にくるように貼り付けることによって、裾上げ紙３６の取付けの直角平行度がより高くなる。
【０２１２】
そして、まず紳士用ズボン１１の全体を完全に裏返して、二等辺三角形３８の表側の両面テープを剥がして紳士用ズボン１１から一旦取り外してから、図１０（ｃ）に示されるように二等辺三角形（接着部分）３７と本体３の境界線で折り返す。続いて、二等辺三角形（下部接着部分）３８の裏側の両面テープの剥離紙を剥がして、裾上げ紙３６を縦に広げて二等辺三角形３８の裏側を、紳士用ズボン１１の脇線１２に内側の垂線３９が一致するとともに二等辺三角形３８の頂点が脇線１２の上にくるように貼り付ける。そして、図１０（ｄ）に示されるように目盛り部分２を左右に開けば、以後の裾上げ工程は図３（ｂ）〜（ｇ）に示される実施の形態１と同様にして行うことができる。
【０２１３】
このように、本実施の形態４の変形例においては、上述の如く二等辺三角形３７，３８で裾上げ線１３を挟み込んで止めることによって、さらに確実に裾上げ紙３６を裾上げ線１３からずれないように紳士用ズボン１１の全体を完全に裏返すことができる。さらに、二等辺三角形３７，３８の頂点が脇線１２の上にくるように貼り付けることによって、裾上げ紙３６の取付けの直角平行度がより高くなる。
【０２１４】
このようにして、本実施の形態４の裾上げ紙３１，３６においては、衣服の裾長さを着用する人に合わせて、さらに確実かつ正確に極めて短時間で調節することができ、購入した衣服をその場で持って帰ってもらうことができる。
【０２１５】
実施の形態５
次に、本発明の実施の形態５について、図１１及び図１２を参照して説明する。
【０２１６】
図１１（ａ）は本発明の実施の形態５にかかる裾上げ具としての裾上げ紙を折り畳んだ状態から目盛り部分を下へ開いた状態を示す斜視図、（ｂ）はさらに目盛り部分を左右へ開いた状態を示す斜視図、（ｃ）は全部裏返した紳士用ズボンに裾上げ紙を開いて全周に取付けた状態を示す図である。図１２（ａ）は本発明の実施の形態５の変形例にかかる裾上げ具としての裾上げ紙の主要部分を示す図、（ｂ）は裾上げ紙を折り畳んだ状態を示す斜視図である。なお、図１と同一の部分には同一の符号を付して説明を一部省略する。また、図１１及び図１２においては、図１に示されている目盛り線・折り曲げ溝・剥離紙付き両面テープは図示省略されている。
【０２１７】
図１１（ｂ）に示されるように、本実施の形態５の裾上げ紙４０は、実施の形態１の裾上げ紙１の目盛り部分２を２倍の幅に延長した構成を有している。即ち、左側の長方形２ｂの左にさらに同じ幅の長方形２ｄと半分の幅の長方形２ｆを接続し、右側の長方形２ｃの右にさらに同じ幅の長方形２ｅと半分の幅の長方形２ｇを接続している。そして、これらの長方形２ｄ，２ｅ，２ｆ，２ｇの裏側にも横方向に一定間隔を空けて、縦方向に両面テープ８が貼り付けられている。その他の部分の構成は、実施の形態１の裾上げ紙１と同様である。
【０２１８】
この裾上げ紙４０は、図１１（ａ）の状態から目盛り部分２を上へ折り畳んでセロハンテープで止めた小さく折り畳まれた状態で保管され、或いは紳士用ズボン１１の裾近傍の裏側に接続部分４の表面の両面テープの剥離紙を剥がして仮止めされて裾上げ機能付き衣服を構成している。
【０２１９】
この裾上げ紙４０を使用するときは、前述の如く小さく折り畳んだ状態で、顧客が紳士用ズボン１１を試着して裾を裏返して決めた裾上げ線１３、または顧客の股下寸法から算出して裾を裏返して決めた裾上げ線１３に沿って、脇線１２を中心にして、接着部分４の表側の両面テープの剥離紙を剥がして貼り付ける。このとき、外側の垂線１０ａが脇線１２に一致するようにする。
【０２２０】
そして、まず紳士用ズボン１１の全体を完全に裏返して、接着部分４と本体部分３の境界線で山折りにしてから、図１１（ａ），（ｂ）の順で裾上げ紙４０を広げて、始めに目盛り部分２の長方形２ａ，２ｂ，２ｃの裏側の両面テープの剥離紙を剥がして、紳士用ズボン１１の裏側の手前側に中央の垂線９から両側へ引張るように押えながら貼り付ける。続いて、長方形２ｂと２ｄ，２ｃと２ｅの境界線でそれぞれ山折りにして、長方形２ｄ，２ｅ，２ｆ，２ｇを紳士用ズボン１１の向こう側へ回し、両面テープの剥離紙を剥がして押えながら貼り付ける。すると、長方形２ｆ，２ｇの先端が丁度ぴったり合わさって、目盛り部分２で紳士用ズボン１１を挟み付けたような状態になる。
【０２２１】
これによって、ヘム長さを決定して目盛り部分２の長方形２ａ，２ｂ，２ｃに引かれた図示しない目盛り線に沿って裁ち鋏で裾を切り落とすとき、両面に裾上げ紙４０が貼り付けられているためより真っ直ぐに切り易く、向こう側の生地も確実に一直線に切り落とすことができる。以降の裾上げの手順は図３（ｃ）〜（ｇ）に示されるような実施の形態１と同様である。
【０２２２】
次に、本実施の形態５の変形例にかかる裾上げ紙について、図１２を参照して説明する。図１２（ａ）に示されるように、本実施の形態５の変形例にかかる裾上げ紙４１は、裾上げ紙４０と同様に左側の長方形２ｂの左にさらに同じ幅の長方形２ｄと半分の幅の長方形２ｆを接続し、右側の長方形２ｃの右にさらに同じ幅の長方形２ｅと半分の幅の長方形２ｇを接続している。そして、これらの長方形２ｄ，２ｅ，２ｆ，２ｇの裏側に横方向に一定間隔を空けて、縦方向に両面テープ８が貼り付けられている。
【０２２３】
裾上げ紙４０と異なるのは、中央の長方形２ａと本体部分３との境界に１ｍｍ程度の幅を有する広い溝４２を設けた点である。これによって、図１２（ｂ）に示されるように折り畳んだときに分厚くなる裾上げ紙４１の厚みがこの広い溝４２内に収められて、自然に広がろうとする力が弱くなって接着部分４と下部接着部分５をセロハンテープで止めたときに中央が膨らむようなこともなく、薄い箱形に収まって見栄えも良くなる。なお、裾上げ紙４１の使用方法は裾上げ紙４０と同様である。
【０２２４】
このようにして、本実施の形態５の裾上げ紙４０，４１においては、ヘム長さを決めて鋏で切るときにより真っ直ぐに切り易く、衣服の裾長さを着用する人に合わせて正確に極めて短時間で調節することができ、購入した衣服をその場で持って帰ってもらうことができる。
【０２２５】
実施の形態６
次に、本発明の実施の形態６について、図１３を参照して説明する。
【０２２６】
図１３（ａ）は本発明の実施の形態６にかかる裾上げ具としての裾上げ紙を開いた状態を示す平面図、（ｂ）は本発明の実施の形態６の変形例にかかる裾上げ紙を開いた状態を示す平面図、（ｃ）は本発明の実施の形態６の別の変形例にかかる裾上げ紙を開いた状態を示す平面図である。なお、図１と同一の部分には同一の符号を付して説明を一部省略する。また、図１３においては、図１に示されている目盛り線・折り曲げ溝・剥離紙付き両面テープは図示省略されている。
【０２２７】
図１３（ａ）に示されるように、本実施の形態６にかかる裾上げ具としての裾上げ紙４５は、接着部分４の左右及び本体部分３の上端の左右に接着部分４の約２倍の高さと接着部分４と同程度の幅を有する上部延長部分４６ａ，４６ｂを設けて、接着部分４と左右の上部延長部分４６ａ，４６ｂとの境界線に上から切れ目４７ａ，４７ｂを入れて、その他の部分は実施の形態１の裾上げ紙１と同様に構成したものである。
【０２２８】
この上部延長部分４６ａ，４６ｂは、図３と同様に裾上げ紙４５を用いて裾上げを行っていく過程で、図３（ｃ）に示されるようにヘム長さを決めて余分な部分を切り落とした後、対応する折り曲げ溝７ａで本体部分３を折り曲げて切断部分を裾上げ線１３に合わせるときに、本体部分３と接着部分４の境界線の延長線４８ａ，４８ｂで２つに折り曲げることによって裾上げ線１３に合わせ、紳士用ズボン１１の裾を裾上げ線１３に沿って折り曲げるときの支持をさらに強力にするものである。
【０２２９】
したがって、切れ目４７ａ，４７ｂを入れる代わりに接着部分４とともに延長線４８ａ，４８ｂで上部延長部分４６ａ，４６ｂを始めから２つに折り曲げておいても良い。以降の裾上げの手順は実施の形態１と同様である。
【０２３０】
図１３（ｂ）に示されるのは、本実施の形態６の変形例にかかる裾上げ紙５０である。この裾上げ紙５０においては、接着部分４の左右及び本体部分３の上端の左右に接着部分４の約３倍の高さと接着部分４と同程度の幅を有する上部延長部分５１ａ，５１ｂを設けて、接着部分４と左右の上部延長部分５１ａ，５１ｂとの境界線に上から切れ目５２ａ，５２ｂを入れて、その他の部分は実施の形態１の裾上げ紙１と同様に構成したものである。これによって、本体部分３と接着部分４の境界線の延長線５３ａ，５３ｂで２つに折り曲げることによって裾上げ線１３に合わせ、紳士用ズボン１１の裾を裾上げ線１３に沿って折り曲げるときの支持をさらに強力にするものである。
【０２３１】
図１３（ｃ）に示されるのは、本実施の形態６の別の変形例にかかる裾上げ紙５５である。この裾上げ紙５５においては、接着部分４の左右及び本体部分３の上端の左右に接着部分４の約２倍の高さと接着部分４と同程度の幅を有する上部延長部分４６ａ，４６ｂを設けて、本体部分３と左右の上部延長部分４６ａ，４６ｂとの境界線に下から切れ目５６ａ，５６ｂを入れて、その他の部分は実施の形態１の裾上げ紙１と同様に構成したものである。これによって、本体部分３と接着部分４の境界線の延長線４８ａ，４８ｂで２つに折り曲げることによって裾上げ線１３に合わせ、紳士用ズボン１１の裾を裾上げ線１３に沿って折り曲げるときの支持をさらに強力にするものである。
【０２３２】
このようにして、本実施の形態６の裾上げ紙４５，５０，５５においては、紳士用ズボン１１の裾を裾上げ線１３に沿って折り曲げるときの支持がさらに強力になり、衣服の裾長さを着用する人に合わせて正確に極めて短時間で調節することができ、購入した衣服をその場で持って帰ってもらうことができる。
【０２３３】
実施の形態７
次に、本発明の実施の形態７について、図１４を参照して説明する。
【０２３４】
図１４（ａ）は本発明の実施の形態７にかかる裾上げ具としての裾上げ紙を開いた状態を示す平面図、（ｂ）は本発明の実施の形態７の変形例にかかる裾上げ紙を開いた状態を示す平面図である。なお、図１と同一の部分には同一の符号を付して説明を一部省略する。また、図１４においては、図１に示されている目盛り線・折り曲げ溝・剥離紙付き両面テープは図示省略されている。
【０２３５】
図１４（ａ）に示されるように、本実施の形態７にかかる裾上げ具としての裾上げ紙６０は、実施の形態１の裾上げ紙１の左右の長方形２ｂ，２ｃの上下に同じ幅で高さが低い突出部分６１ａ，６１ｂ，６２ａ，６２ｂをそれぞれ設けたものである。上記実施の形態１〜実施の形態６の裾上げ紙においては、ヘム長さを５ｃｍまたは１０ｃｍにしようとする場合には、左右部分においては左右の長方形２ｂ，２ｃの上端または下端に沿って生地だけを切らなければならず、裾上げ紙と生地を一緒に切れるのは本体部分３と中央の長方形２ａとの境界線または中央の長方形２ａと下部接着部分５の境界線のみであり、真っ直ぐに切ることが困難であった。
【０２３６】
しかし、この裾上げ紙６０においては、突出部分６１ａ，６１ｂ，６２ａ，６２ｂを設けたことによって、ヘム長さを５ｃｍにしようとする場合には、左右部分において左右の長方形２ｂ，２ｃの上端と突出部分６１ａ，６１ｂの境界線に沿って切れば良く、ヘム長さを１０ｃｍにしようとする場合には、左右部分において左右の長方形２ｂ，２ｃの下端と突出部分６２ａ，６２ｂの境界線に沿って切れば良いので、全幅に亘って裾上げ紙６０と生地を一緒に切ることができる。したがって、ヘム長さを５ｃｍまたは１０ｃｍにしようとする場合でも生地を真っ直ぐに切ることが容易な裾上げ紙６０となる。
【０２３７】
なお、使用時においては、上下に切れ目６３ａ，６３ｂ，６４ａ，６４ｂを入れて、突出部分６１ａ，６１ｂ，６２ａ，６２ｂを谷折りして左右の長方形２ｂ，２ｃとともに中央に折り畳んでさらに目盛り部分２の全体を本体部分３に折り重ねて小さく折り畳んでおき、接着部分４を裾上げ線１３に沿って貼り付けてから、紳士用ズボン１１を完全に裏返して後、裾上げ紙６０を広げて突出部分６１ａ，６１ｂ，６２ａ，６２ｂも広げる。
【０２３８】
図１４（ｂ）に示されるのは、本実施の形態７の変形例にかかる裾上げ具としての裾上げ紙６６である。裾上げ紙６０との違いは、接着部分６８の高さが約２倍に高くなった点と、下からの切れ目６４ａ，６４ｂが入っていない点である。これによって、接着部分６８の接着強さがより強力になる。
【０２３９】
このようにして、本実施の形態７の裾上げ紙６０，６６においては、ヘム長さを５ｃｍまたは１０ｃｍとした場合でも鋏で切るときにより真っ直ぐに切り易く、衣服の裾長さを着用する人に合わせて正確に極めて短時間で調節することができ、購入した衣服をその場で持って帰ってもらうことができる。
【０２４０】
なお、上記各実施の形態１〜７においては、裾上げ紙を衣服としての紳士用ズボン１１の裏側に貼り付けて裾上げを行っているが、紳士用ズボン１１の表側に貼り付けても、やり難いが裾上げができないことはない。
【０２４１】
以上説明した実施の形態１〜７にかかる裾上げ紙及び裾上げ機能付き衣服においては、裾上げ線１３で折り曲げて裾上げ線１３をアイロン掛けして決めるところまでは一気に行うことができたが、折り返した裾の端を止める作業は別に裾上げテープ１５を用意してアイロン掛けして熱接着しなければならなかった。裾上げ紙及び裾上げ機能付き衣服に裾上げテープも予めセットされていれば、より裾上げがやり易く時間も短縮される。そこで、次に、裾上げテープも予めセットされた裾上げ具及び裾上げ機能付き衣服について説明する。
【０２４２】
実施の形態８
まず、本発明の実施の形態８について、図１５乃至図２１を参照して説明する。
【０２４３】
図１５（ａ）は本発明の実施の形態８にかかる裾上げ具の本体の作り方を示す説明図、（ｂ）は本発明の実施の形態８にかかる裾上げ具の型紙の１種類を示す平面図、（ｃ）は別の種類の型紙を示す平面図である。図１６（ａ）は本発明の実施の形態８にかかる裾上げ具の組み立て方を示す斜視図、（ｂ）は組み立て後の構造を示す部分斜視図である。図１７（ａ）は本発明の実施の形態８の改良型にかかる裾上げ具を示す斜視図、（ｂ），（ｃ）は改良型にかかる裾上げ具の作製方法を示す斜視図、（ｄ），（ｅ）は改良型にかかる裾上げ具の別の作製方法を示す斜視図である。図１８（ａ）〜（ｆ）は本発明の実施の形態８の改良型にかかる裾上げ具の折り畳み方を示す説明図である。図１９（ａ）〜（ｄ），図２０（ａ）〜（ｄ），図２１（ａ）〜（ｅ）は本発明の実施の形態８の改良型にかかる裾上げ具を用いた裾上げの手順を示す説明図である。
【０２４４】
図１５（ａ）に示されるように、本実施の形態８にかかる裾上げ具の本体７０の中央には二等辺三角形を乗せた長方形からなる五角形の接着部分７１があり、その下には長方形の中心部分７２が設けられていて、その左右には同じ高さの高さ５．０ｃｍの長方形７４ｂ，７５ｂが設けられている。これらの左右の長方形７４ｂ，７５ｂの上にはほぼ同形の長方形７４ａ，７５ａが設けられていて、長方形７４ａ，７５ａの全面または上端部分に接着剤を塗って、折り返して長方形７４ｂ，７５ｂに貼り付けて二重の長方形７４，７５となる。このときの折り返し線が裾上げ工程の裾上り線に一致させられるので、このように二重にすることによって裾上り線での折り曲げを支持する部分が強化されることになる。
【０２４５】
これらの中心部分７２及び二重の長方形７４，７５の下には０．５ｃｍ幅の空白部分７６があり、さらにその下には１ｃｍ幅の下部接合部分７７が設けられていて、裏側に両面テープ７８が貼り付けられている。この空白部分７６と下部接合部分７７の境界線で下部接合部分７７が山折りにほぼ直角に折り曲げられて、図１５（ｂ）の型紙８０または図１５（ｃ）の型紙８６に接着させられる。図１５（ｂ），（ｃ）に示されるように、型紙８０と型紙８６は、空白部分８１，８７の寸法が幅０．５ｃｍと幅０．８ｃｍと異なるだけで、あとは両面テープ７８の貼り付けられた幅１ｃｍの接合部分８２、切断線８４が中央に引かれた幅１ｃｍの切断部分８３は全く同様である。
【０２４６】
型紙８０は幅２ｃｍの裾上げテープに用いられ、型紙８６は幅２．５ｃｍの裾上げテープに用いられる。ここでは、図１６（ａ）に示されるように、型紙８０を用いた場合について説明する。上述の如く、下部接合部分７７が山折りにほぼ直角に折り曲げられて、型紙８０の両面テープ７８の剥離紙が剥がされて幅１ｃｍの接合部分８２に幅１ｃｍの下部接合部分７７の底（両面テープ７８の貼られていない面）が貼り付けられる。このようにして、本体７０と型紙８０を接合した後、下部接合部分７７の両面テープ７８の剥離紙を剥がして幅２ｃｍの裾上げテープＴ１の接着面でない面を貼り付けて止める。
【０２４７】
このようにして、本実施の形態８の裾上げ具７９が広げられた状態で完成する。本体７０の左右の長方形７４，７５の折り曲げ線（上端）が裾上げ線に合わせられ、左右の長方形７４，７５の高さは５ｃｍ、その下の空白部分７６の高さは０．５ｃｍ、さらに型紙８０の接合部分８２から切断線８４までの幅は０．５ｃｍであるから、この裾上げ具７９を使用した場合のヘム長さは６ｃｍとなる。
【０２４８】
ここで、型紙８０の下部接合部分７７への突出幅が１．５ｃｍしかないため、裾上げ具７９からはみ出さないためには幅２ｃｍの裾上げテープＴ１の０．５ｃｍ分を下部接合部分７７の折り目に沿って折り曲げなければならない。この裾上げ具７９を用いても、後述するような手順にしたがって裾上げは可能であるが、この裾上げ具７９も上記実施の形態１〜７の裾上げ紙と同様に、使用前は小さく折り畳んで保管されるため、裾上げテープＴ１の０．５ｃｍ分の曲げ痕が強く付いてしまう恐れがあり、裾上げテープＴ１にアイロン掛けして熱接着で裾を止める工程がかなりやり難くなる。
【０２４９】
そこで、図１７（ａ）に示されるように、下部接合部分または型紙の裏側への突出幅が裾上げテープＴ１の幅の約２ｃｍである本実施の形態８の改良型の裾上げ具９０を作製して、裾上げテープＴ１に長手方向に沿った折り目を付けることなく小さく折り畳めるようにした。この裾上げ具９０は、図１５，図１６に示される裾上げ具７９と同じく、長方形からなる中心部分９２の上に五角形からなる接着部分９１が設けられ、中心部分９２の左右には同じ高さの長方形からなる左右の長方形９４，９５が二重に紙を貼り合わせて設けられ、その下の下部接合部分は図示裏側へ略直角に折り曲げられ、型紙の接合部分の両面テープに貼り付けられて接合され、手前には１．５ｃｍの縦幅を有する切断部分９６が突出しており、中心部分９２及び左右の長方形９４，９５の下端から１ｃｍのところには切断線９７が引かれている。
【０２５０】
裾上げ具９０においても左右の長方形９４，９５の上端が裾上げ線に合わせられ、左右の長方形９４，９５の高さは５ｃｍであり、左右の長方形９４，９５の下端から切断線９７までの幅は１ｃｍであるから、この裾上げ具９０を用いた場合のヘム長さは６ｃｍとなる。接着部分９１の裏側の周囲と中心部分９２及び左右の長方形９４，９５の裏側の上端には両面テープ７８が貼り付けられており、折り曲げられた下部接合部分の上面にも全長に亘って両面テープが貼り付けられている。この両面テープの剥離紙を剥がして、幅２ｃｍで衣服の裾の一周分以上の長さに切られた裾上げテープＴ１が平らに貼り付けられ、両側へはみ出た部分は折り返して重ねられ、上の先端はセロハンテープで止められる。
【０２５１】
かかる裾上げ具９０を作製するには、種々の方法がある。例えば、図１７（ｂ）に示されるように、幅１ｃｍの下部接合部分９８を有する本体１００を、幅１ｃｍの空白部分９９と幅１ｃｍの両面テープ７８を貼り付けた接合部分及び幅１．５ｃｍの切断部分９６を有する型紙１０１に、両面テープ７８の剥離紙を剥がして接合することによって、図１７（ｃ）に示されるように、裏側への突出部分９８，９９が合わせて２ｃｍの裾上げ具９０となり、この２ｃｍの突出部分９８，９９に幅２ｃｍの裾上げテープＴ１が貼り付けられて収容される。
【０２５２】
また、図１７（ｄ）に示されるように、幅２ｃｍの下部接合部分９８を有する本体１００を、空白部分がなく幅１ｃｍの両面テープ７８を貼り付けた接合部分及び幅１．５ｃｍの切断部分９６を有する型紙１０２に、両面テープ７８の剥離紙を剥がして接合することによって、図１７（ｅ）に示されるように、裏側への突出部分（下部接合部分）９８が２ｃｍの裾上げ具９０となり、この２ｃｍの突出部分９８に幅２ｃｍの裾上げテープＴ１が貼り付けられて収容される。
【０２５３】
次に、このようにして作製された裾上げ具９０を小さく折り畳む手順について、図１８を参照して説明する。
【０２５４】
まず、図１８（ａ）に示されるように、下部接合部分９８を完全に折り畳んで下部接合部分９８・空白部分９９と中心部分９２及び左右の長方形９４，９５の間に裾上げテープＴ１を挟み込む。続いて、切断部分９６を矢印で示されるように接合部分との境界線で接合部分の裏側へ回り込むように折り畳み、図１８（ｂ），（ｃ）に矢印で示されるように、左右の長方形９４，９５を中心部分９２の裏側に重なるように順に折り畳む。
【０２５５】
最後に、図１８（ｄ）に矢印で示されるように、接着部分９１を中心部分９２との境界線で中心部分９２の裏側に重なるように折り畳めば、図１８（ｅ）に示されるように、小さく折り畳まれた裾上げ具９０となる。後は広がってこないように、接着部分９１の先端を中心部分９２の表側に届くまでセロハンテープＳ１で止めれば良い。裾上げ具９０は使用前はこのように小さく折り畳まれた状態で保管され、或いは紳士用ズボン等の衣服の裾近傍に両面テープで止められて、裾上げ機能付き衣服を構成している。
【０２５６】
次に、かかる裾上げ具９０を用いた衣服としての紳士用ズボン１１の裾上げの手順について、図１９乃至図２１を参照して説明する。
【０２５７】
まず、図１９（ａ）に示されるように接着部分９１の先端のセロハンテープＳ１を剥がして接着部分９１を広げ、顧客の試着または股下寸法からの算出によって決定した裾上げ線１３に接着部分９１と中心部分９２の境界線を合わせ、かつ紳士用ズボン１１の表側の脇線１２に裾上げ具９０の垂線９３を合わせて、接着部分９１の裏側の両面テープ７８の剥離紙を剥がして紳士用ズボン１１の表側に貼り付ける。
【０２５８】
次に、図１９（ｂ），（ｃ）に示されるように、左右の長方形９４，９５を中心部分９２の下から引き出して広げ、これらの裏側の上端に付いている両面テープ７８の剥離紙を剥がして、左右の長方形９４，９５の上端が裾上げ線１３に一致するように貼り付ける。続いて、切断部分９６を表側へ引き出して裁ち鋏で切断線９７に沿って紳士用ズボン１１の生地と一緒に切り落とす。図１９（ｃ）に示されるように、紙（切断部分９６）と一緒に切るので真っ直ぐに切ることができ、図１９（ｄ）に示されるように切断線９７に沿って新しい裾下端１１ｂができる。このときの裾上げ線１３から新しい裾下端１１ｂまでの長さ、即ちヘム長さは前述の如く６ｃｍとなる。
【０２５９】
次に、図２０（ａ）に示されるように、裾上げ線１３に沿って、即ち左右の長方形９４，９５の上端及び中心部分９２と接着部分９１の境界線に沿って、紳士用ズボン１１と裾上げ具９０を一緒に折り返す。それから、裾上げ線１３に沿ってアイロン１０５を掛け、紳士用ズボン１１に裾上げ線１３の折り目を付ける。続いて、図２０（ｂ）に示されるように一旦折り返す前の状態に戻してから、裾上げ線１３を摘んで図２０（ｃ）に示されるように、裾上げ具９０ごと紳士用ズボン１１のヘム部分を裾上げ線１３で内側へ折り返して、ヘム部分全周を紳士用ズボン１１の内部に入れ、再度裾上げ線１３に沿ってアイロン１０５を掛けて裾上げ線１３を全周に亘ってしっかり付ける。なお、紳士用ズボン１１の表側からアイロン１０５を掛けるときは、当て布をしなければならない。
【０２６０】
そして、紳士用ズボン１１の裾を裏返すと図２０（ｄ）に示されるような状態になっている。そこで、図２１（ａ）に示されるように、切断部分９６の裏に隠れている突出部分９９を起こし、図２１（ｂ）に示されるように、さらにその裏に挟み込まれている裾上げテープＴ１の折り返し部分を止めていたセロハンテープＳ２を剥がして、裾上げテープＴ１を伸ばす。すると、図２１（ｃ）に示されるように、新しい裾下端１１ｂが丁度裾上げテープＴ１の中心にくるようになっているので、まず突出部分９９の上からアイロン１０５を掛けて新しい裾下端１１ｂの半周分を紳士用ズボン１１の裏側に熱接着して止める。
【０２６１】
次に、図２１（ｄ）に示されるように、紳士用ズボン１１を裏返して股下線１４側の新しい裾下端１１ｂにも裾上げテープＴ１の折り返されていた部分を被せて、裾上げテープＴ１の上から直接アイロン１０５を掛けて新しい裾下端１１ｂの残り半周分を紳士用ズボン１１の裏側に熱接着して止める。ここで、裾上げテープＴ１は上述したように紳士用ズボン１１の裾一周分より長く切られているので、図２１（ｄ）に示されるように裾上げテープＴ１の重なる部分ができて、新しい裾下端１１ｂを全周に亘ってしっかり止めることができる。後は、不要になった裾上げ具９０を全ての両面テープ７８を剥がすことによって取り外せば、紳士用ズボン１１の片足の裾上げは完了する。
【０２６２】
なお、片足の裾上げが完了してもう一方の足の裾上げを行う際には、両足を揃えることによって裾上げ線１３の位置を確認し、裾上げ線１３に沿って裾上げ具９０を貼り付けることになる。ここで、新しい裾上げ具９０を貼り付けても良いが、片足の裾上げに用いて剥がした使用済みの裾上げ具９０を貼り付けることもできる。アパレル用の両面テープは剥がし易いだけでなく、一度の貼り付けでは粘着力を失わず３〜４回の貼り替えでも十分な粘着力を有しているので、再使用が可能である。但し、裾上げテープＴ１を補充しなければならず、また新しい切断部分９６が切断線９７において既に切断されているので、再使用における切断は切断線９７に沿って生地だけを切ることになる。
【０２６３】
また、前述した裾上げ具７９についても、同様の手順で小さく折り畳むことができ、同様の手順で裾上げを行うことができる。
【０２６４】
さらに、裾上げテープには裾上げテープＴ１のように幅２ｃｍのものだけでなく、もっと細いものからもっと太いものまで様々の幅のものがあるが、本実施の形態８の裾上げ具９０には幅２ｃｍ、幅２．５ｃｍ、幅３ｃｍぐらいのものが使い易い。幅２．５ｃｍ、幅３ｃｍの裾上げテープを用いる場合には、裾上げテープを貼り付ける突出部分の幅も２．５ｃｍ、３ｃｍとそれぞれ増やし、かつ切断線の接合部分からの長さも１．２５ｃｍ、１．５ｃｍとそれぞれ増やす必要がある。また、これに合わせて、中心部分９２と左右の長方形９４，９５の高さも、幅２ｃｍの裾上げテープを用いる場合には５ｃｍであったが、幅２．５ｃｍの裾上げテープを用いる場合には４．７５ｃｍ、幅３ｃｍの裾上げテープを用いる場合には４．５ｃｍと、高さを変化させる必要がある。
【０２６５】
このようにして、本実施の形態８の裾上げ具７９，９０においては、裾上げテープＴ１も予めセットされており、しかも裾上げテープＴ１の幅と取付け位置に合わせて切断線８４，９７の位置を予め設定してあるため、切断線８４，９７で紳士用ズボン１１を切断したときに新しくできる裾下端が裾上げ線１３から折り返したときに裾上げテープＴ１の丁度中央に位置するので、そのままアイロンを掛けて熱接着すれば良く、より裾上げがやり易くなり時間も短縮される。このように、衣服の裾長さを着用する人に合わせてより短時間で調節することができ、購入した衣服をその場で持って帰ってもらうことができる。
【０２６６】
実施の形態９
次に、本発明の実施の形態９について、図２２及び図２３を参照して説明する。
【０２６７】
図２２（ａ）は本発明の実施の形態９にかかる裾上げ具を示す斜視図、（ｂ）は本発明の実施の形態９にかかる裾上げ具の作製方法を示す斜視図、（ｃ）は作製後の構造を示す部分斜視図である。図２３（ａ）は本発明の実施の形態９の変形例にかかる裾上げ具を示す斜視図、（ｂ）は変形例にかかる裾上げ具の構造を示す部分斜視図である。
【０２６８】
図２２（ａ）に示されるように、本実施の形態９にかかる裾上げ具１０６は、実施の形態８の裾上げ具７９，９０と同様に、長方形からなる中心部分１０８の上に五角形からなる接着部分１０７が設けられ、中心部分１０８の左右には同じ高さの長方形からなる左右の長方形１０９，１１０が二重に紙を貼り合わせて設けられ、その下の下部接合部分１１３は図示裏側へ略直角に折り曲げられ、型紙の接合部分の両面テープに貼り付けられて接合され、手前には０．５ｃｍの縦幅を有する切断部分１１１が突出しており、中心部分１０８及び左右の長方形１０９，１１０の下端に沿って切断線１１２が引かれている。
【０２６９】
接着部分１０７の周囲、中心部分１０８及び左右の長方形１０９，１１０の上端、並びに下部接合部分１１３の上面には両面テープ７８が貼り付けられ、下部接合部分１１３の両面テープの剥離紙のみが剥がされて、幅２ｃｍの裾上げテープＴ１が紳士用ズボン１１の裾の一周分より長く切られて、中央から１ｃｍ幅に折られて貼り付けられている。
【０２７０】
図２２（ｂ）に示されるように、この裾上げ具１０６は幅１ｃｍの下部接合部分１１３を有する本体１１４と、幅１ｃｍの両面テープ７８が貼り付けられた幅１ｃｍの接合部分１１６と幅０．５ｃｍの切断部分１１１からなる型紙１１５とを、接合部分１１６の両面テープ７８の剥離紙を剥がして本体１１４の下部接合部分１１３を貼り付けることによって接合してなるものである。
【０２７１】
図２２（ｃ）に示されるように、裾上げ具１０６においても左右の長方形１０９，１１０の上端が裾上げ線に合わせられ、左右の長方形１０９，１１０の高さは６ｃｍであるから、この裾上げ具１０６を用いた場合のヘム長さは６ｃｍとなる。
【０２７２】
裾上げ具１０６を小さく折り畳む手順や、裾上げ具１０６を用いて紳士用ズボン１１の裾上げを行う場合の手順については、実施の形態８と同様である。異なるのは、裾上げテープＴ１が中央から１ｃｍ幅に折られて貼り付けられている点であり、これによって裾上げテープＴ１には幅２ｃｍの中央に長手方向に沿った折り目が付くことになるが、実施の形態８の裾上げ具７９の場合のように中途半端な位置に折り目が付く場合と違って、幅２ｃｍの中央に真っ直ぐに折り目が付いているので、切断線１１２に沿って紳士用ズボン１１の裾が切断されてできる新しい裾下端にこの折り目を合わせてアイロンを掛けて熱接着すれば良いため、折り目が目印になって裾上げがよりやり易くなる。
【０２７３】
なお、幅２．５ｃｍ、幅３ｃｍの裾上げテープを用いる場合には、裾上げテープを貼り付ける下部接合部分１１３の幅も１．２５ｃｍ、１．５ｃｍとそれぞれ増やす必要がある。
【０２７４】
次に、本実施の形態９の変形例にかかる裾上げ具について、図２３を参照して説明する。図２３（ａ）に示されるように、この変形例にかかる裾上げ具１１８は裾上げ具１０６と類似しており、裾上げテープＴ１に幅２ｃｍの中央に長手方向に沿った折り目を付けて目印にするという同様の作用効果を狙ったものであるが、裾上げ具１０６の本体１１４のみと極めて類似した構造を有している。異なるのは、高さ６ｃｍの左右の長方形１０９，１１０の二重になった部分の下１ｃｍ程度が一重になっている点のみである。
【０２７５】
これは、この裾上げ具１１８には切断部分がなく、中心部分１０８及び左右の長方形１０９，１１０の下端に沿って生地だけを切断しなくてはならないため、少しでも切り易くするため長方形１０９，１１０の下端を一重にしたものである。なお、幅２．５ｃｍ、幅３ｃｍの裾上げテープを用いる場合には、裾上げテープを貼り付ける下部接合部分１１３の幅も１．２５ｃｍ、１．５ｃｍとそれぞれ増やす必要がある。
【０２７６】
このようにして、本実施の形態９の裾上げ具１０６，１１８においては、裾上げテープＴ１に幅２ｃｍの中央に長手方向に沿った折り目を付けて目印にすることによって裾上げがよりやり易くなり、衣服の裾長さを着用する人に合わせてより短時間で調節することができ、購入した衣服をその場で持って帰ってもらうことができる。
【０２７７】
実施の形態１０
次に、本発明の実施の形態１０について、図２４を参照して説明する。
【０２７８】
図２４（ａ）は本発明の実施の形態１０にかかる裾上げ具の折り曲げ前の状態を示す斜視図、（ｂ）は本発明の実施の形態１０にかかる裾上げ具の折り曲げ後の構造を示す部分斜視図である。
【０２７９】
図２４（ａ）に示されるように、本実施の形態１０にかかる裾上げ具１２０は、実施の形態９の変形例にかかる裾上げ具１１８のように型紙を貼り付ける必要がなく一枚物として製造でき、しかも切断部分を設けて真っ直ぐに切断し易くしたものである。この裾上げ具１２０の上半分は中心部分１０８及び左右の長方形１０９，１１０の高さが５ｃｍである点以外は、実施の形態９の裾上げ具１０６，１１８と同様なので、図２２，図２３と同一の符号を付して説明を省略する。
【０２８０】
中心部分１０８及び左右の長方形１０９，１１０と２ｃｍの幅を有する第１の折り曲げ部分１２１との境界線は、第１の折り曲げ線１２１ａとなっており、略直角に山折りして図２４（ｂ）に示されるように、上面に両面テープが貼り付けられて剥離紙を剥がして裾上げテープＴ１が貼り付けられる。同じく２ｃｍの幅を有する第２の折り曲げ部分１２２と第１の折り曲げ部分１２１との境界線は第２の折り曲げ線１２２ａとなっており、第２の折り曲げ部分１２２が第１の折り曲げ部分１２１と密着するように谷折りに折り返される。なお、このとき、糊・接着剤・工作用の両面接着テープ等で第１の折り曲げ部分１２１と第２の折り曲げ部分１２２とを貼り合わせてしまっても良い。
【０２８１】
第２の折り曲げ部分１２２の下には幅１．５ｃｍの切断部分１２３が設けられており、第２の折り曲げ部分１２２との境界線から１ｃｍ離れて切断線１２４が引かれている。したがって、この裾上げ具１２０を使用した場合のヘム長さは６ｃｍとなる。裾上げ具１２０を小さく折り畳む手順や、裾上げ具１２０を用いて紳士用ズボン１１の裾上げを行う場合の手順については、実施の形態８と同様である。
【０２８２】
なお、幅２．５ｃｍの裾上げテープを用いる場合には、中心部分１０８及び左右の長方形１０９，１１０の高さを４．７５ｃｍとし、第１の折り曲げ部分１２１，第２の折り曲げ部分１２２の幅も２．５ｃｍ、切断部分１２３の切断線１２４までの長さも１．２５ｃｍとそれぞれ増やす必要がある。また、幅３ｃｍの裾上げテープを用いる場合には、中心部分１０８及び左右の長方形１０９，１１０の高さを４．５ｃｍとし、第１の折り曲げ部分１２１，第２の折り曲げ部分１２２の幅も３ｃｍ、切断部分１２３の切断線１２４までの長さも１．５ｃｍとそれぞれ増やす必要がある。
【０２８３】
このようにして、本実施の形態１０の裾上げ具１２０は１枚の紙を折り曲げて製造できるので製造が容易であり、衣服の裾長さを着用する人に合わせて極めて短時間で調節することができ、購入した衣服をその場で持って帰ってもらうことができる。
【０２８４】
実施の形態１１
次に、本発明の実施の形態１１について、図２５及び図２６を参照して説明する。
【０２８５】
図２５は本発明の実施の形態１１にかかる裾上げ具を広げた状態を示す平面図である。図２６は本発明の実施の形態１１の変形例にかかる裾上げ具を広げた状態を示す平面図である。なお、図２５及び図２６に示される裾上げ具の中心部分は図１７に示される実施の形態８の裾上げ具９０と同様なので、同一符号を付して説明を省略する。また、図２５及び図２６に示される裾上げ具の裏側に貼り付けられている両面テープは図示省略されている。
【０２８６】
図２５に示されるように、本実施の形態１１にかかる裾上げ具１２５は、左右の長方形９４，９５の外側に長方形９４，９５と同じ高さの延長部分１２６，１２７が設けられており、裏側にも型紙の突出部分１３０が全長に亘って設けられて、この突出部分１３０の全長に亘って両面テープが貼り付けられ、剥離紙が剥がされて幅２．５ｃｍの裾上げテープＴ２が貼り付けられて本体部分との間に挟み込まれている。また、延長部分１２６，１２７の裏側上端にも両面テープが貼り付けられているので、この裾上げ具１２５は衣服としての紳士用ズボン１１の裾の全周に裾上げ線１３に沿って貼り付けることができる。
【０２８７】
この裾上げ具１２５を小さく折り畳む手順は、延長部分１２６，１２７を裏側へ折り畳んだ後は、実施の形態８と同様である。また、裾上げ具１２５を用いて紳士用ズボン１１の裾上げを行う場合の手順についても、ほぼ実施の形態８と同様である。異なるのは、図２１（ｄ）に示される最終段階で先に裾上げ具１２５を取り外してから、裾上げテープＴ２の端を重ねてアイロン１０５で熱接着して仕上げる点である。
【０２８８】
次に、本実施の形態１１の変形例にかかる裾上げ具１３１について、図２６を参照して説明する。図２６に示されるように、本実施の形態１１の変形例にかかる裾上げ具１３１は、左右の長方形９４，９５の外側に長方形９４，９５と同じ高さの延長部分１２６，１２７の代わりに、裾上げテープＴ１とほぼ同じ高さの延長部分１３２が設けられている。そして、裾上げ具１２５と同様に裏側にも型紙の突出部分１３０が全長に亘って設けられて、この突出部分１３０の全長に亘って両面テープが貼り付けられ、剥離紙が剥がされて幅２ｃｍの裾上げテープＴ１が貼り付けられて本体部分との間に挟み込まれている。
【０２８９】
この裾上げ具１３１を小さく折り畳む手順は、左右の延長部分１３２を裏側へ折り畳んだ後は、実施の形態８と同様である。また、裾上げ具１３１を用いて紳士用ズボン１１の裾上げを行う場合の手順についても、ほぼ実施の形態８と同様である。異なるのは、図２１（ｄ）に示される最終段階で先に裾上げ具１３１を取り外してから、裾上げテープＴ１の端を重ねてアイロン１０５で熱接着して仕上げる点である。
【０２９０】
このようにして、本実施の形態１１にかかる裾上げ具１２５，１３１は、裾上げテープＴ１，Ｔ２を全長に亘ってカバーしているので、確実に裾上げテープＴ１，Ｔ２による熱接着仕上げをすることができ、衣服の裾長さを着用する人に合わせて極めて短時間で調節することができ、購入した衣服をその場で持って帰ってもらうことができる。
【０２９１】
上記各実施の形態８〜１１においては、ヘム長さが６ｃｍとなる場合について説明したが、中心部分及び左右の長方形の高さを変え、それに応じて切断線の位置を変えることによって、ヘム長さは何ｃｍにもすることができる。
【０２９２】
ここで、これまで説明してきた裾上げ紙または裾上げ具の幅と紳士用ズボン１１の脇線１２及び股下線１４の関係について、図２７及び図２８を参照して説明する。図２７（ａ）は裾上げ具９０の各部の寸法の一例を示す概略図、（ｂ）は裾上げ具９０と紳士用ズボン１１の脇線１２の位置関係を示す概略図である。図２８（ａ）は裾上げ具９０の各部の寸法の別の例を示す概略図、（ｂ）は裾上げ具９０と紳士用ズボン１１の脇線１２の位置関係を示す概略図である。
【０２９３】
衣服としての紳士用ズボン１１はメーカーによって裾幅が異なり、紳士物レギュラーパンツ（ズボン）においては平均２３ｃｍ〜２４ｃｍである。さらに、上記各実施の形態においては簡単のために紳士用ズボン１１の脇線１２が中央にあるものとして説明してきたが、実際には前身頃は後身頃より短いため、図２７（ｂ）に示されるように、裾幅２３ｃｍの紳士用ズボンにおいては前幅（前のセンターライン（ズボンの折り目）から脇線１２間での長さ）は１０．５ｃｍで、後幅（後のセンターライン（ズボンの折り目）から脇線１２間での長さ）は１２．５ｃｍと２ｃｍも差がある。
【０２９４】
このため、図２７（ａ）に示されるように、裾上げ具９０の幅が中央線９３の左右に１１ｃｍずつあった場合は、図２７（ｂ）に示されるように、前のセンターラインから０．５ｃｍ飛び出してしまう。さらに図２８（ａ）に示されるように、裾上げ具９０の幅が中央線９３の左右に１２ｃｍずつあった場合は、図２８（ｂ）に示されるように、前のセンターラインから１．５ｃｍも飛び出してしまう。但し、この程度の飛び出しは中へ折り込んでしまうか、図２８（ｂ）に示されるようにミシン目９０ａを設けておいて、前のセンターラインより内側のミシン目９０ａで切り取ってしまえば済むことなので、実際の裾上げ工程においては何の支障もない。したがって、以後の説明においても、簡単のために脇線１２が中央にあるものとして説明することとする。
【０２９５】
次に、上記実施の形態１〜１１における裾上げ紙・裾上げ具とは形状の全く異なる裾上げ紙及び裾上げ紙を取付けた裾上げ機能付き衣服の実施の形態について説明する。
【０２９６】
実施の形態１２
まず、本発明の実施の形態１２について、図２９乃至図３２を参照して説明する。
【０２９７】
図２９（ａ）は本発明の実施の形態１２にかかる裾上げ具としての裾上げ紙を広げた状態を示す図、（ｂ）は裾上げ紙を中央から横に折り畳んだ状態を示す図、（ｃ）はさらに縦に４分の１に折り畳んだ状態を示す図である。図３０（ａ）〜（ｅ）は本発明の実施の形態１２にかかる裾上げ紙の目盛り線及び折り畳み線の種類を示す図である。図３１（ａ）は本発明の実施の形態１２にかかる裾上げ紙を折り畳んだ状態で衣服の裾の裏に取り付ける方法を示す図、（ｂ），（ｃ）はさらにセロハンテープで止めた状態を示す図である。図３２（ａ）〜（ｈ）は本発明の実施の形態１２にかかる裾上げ紙による裾上げの手順を示す説明図である。
【０２９８】
図２９（ａ）に示されるように、本実施の形態１２にかかる裾上げ具としての裾上げ紙１４０は、ほぼＡ４サイズの大きさで裏面にはアパレル用の適切な接着力を有する接着剤が全面に塗布されており、その上から剥離紙が付けられている片面全面接着紙である。表面には下端に２ｃｍの取付け代１４２を残して、その上から上端まで１ｃｍ刻みの目盛り線１４１（途中から図示省略されている）が平行に引かれている。また、中央には縦に垂直に中央折り線１４３が引かれており、その延長線上の取付け代１４２ａには２ｃｍの切り込み１４２が入れられている。
【０２９９】
図２９（ｂ）に示されるように、裾上げ紙１４０はこの中央折り線１４３に沿って谷折りに２つに折られる。すると、裏面の剥離紙には裾上げ紙１４０の目盛り線１４１が引かれている部分を縦に四等分する折り線１４４が引かれているので、この折り線１４４に沿って上から順に折り畳まれる。これによって、図２９（ｃ）に示されるように、取付け代１４２を残して裾上げ紙１４０は約８分の１の大きさに折り畳まれる。なお、縦折りは四等分に限られず、二等分・三等分・五等分・六等分・七等分・八等分等でも良いし、裾上げ紙１４０の大きさも、広げたときに紳士用ズボン等の衣服の裾幅より幅が小さければどんな大きさでも良い。さらに、幅が紳士用ズボン等の衣服の裾幅より大きくても、はみ出す部分を折り畳まなければならないのでやり難いが、同様に裾上げはできる。
【０３００】
また、目盛り線１４１，中央折り線１４３，折り線１４４としては、図３０に示されるように、様々な種類がある。鉛筆・ボールペン等の筆記具と定規を使って引いた単なる直線でも良いし、図３０（ａ）に示されるようなミシン目、図３０（ｂ）に示されるような破線、図３０（ｃ）に示されるような切り込み線、図３０（ｄ）に示されるような細長い貫通孔、あるいは図３０（ｅ）に断面を示されるような溝を形成しても良い。また、これらのミシン目や溝等が良く見えるように、上から鉛筆・ボールペン等の筆記具と定規を使って直線を引くとさらに良い。
【０３０１】
次に、紳士用ズボン１５０への裾上げ紙１４０の取付け方について、図３１を参照して説明する。図３１（ａ）に示されるように紳士用ズボン１５０の裾を裏返して、折り畳んだ裾上げ紙１４０の中央折り線１４３側を紳士用ズボン１５０の脇線１５２に沿わせ、取付け代１４２ａを仮の裾線１５０ａの近傍に沿わせて、取付け代１４２ａの上側を折り返して下側に粗くミシン掛けして紳士用ズボン１５０の裾に仮止めする。
【０３０２】
なお、仮止めの方法としては、粗くミシン掛けする以外にも、ボンド等の接着剤で接着する、工作用の両面テープで接着する、或いは取付け代１４２ａの下側の裏の剥離紙を剥がして接着する等の方法がある。これは、以下の実施の形態においても同様である。
【０３０３】
続いて、図３１（ｂ），（ｃ）に示されるようにセロハンテープＳ３で、折り畳んだ裾上げ紙１４０が開いてこないように３箇所を止める。このように裾上げ紙１４０が取付けられたことによって、紳士用ズボン１５０は本発明の裾上げ機能付き衣服となる。
【０３０４】
次に、裾上げ紙１４０を用いた裾上げ機能付き衣服としての紳士用ズボン１５０の裾上げの手順について、図３２を参照して説明する。まず、裾を表側に戻しておいた紳士用ズボン１５０を顧客に試着してもらって、図３２（ａ）に示されるように裾上げ線１５３を決める。また、自分の股下寸法を覚えている顧客の場合には、仮の裾線１５０ａの股下長さから算出することによって、試着しなくても裾上げ線１５３の位置を決めることができる。こうして決定した裾上げ線１５３の位置の端にチャコ等で印を付けておくか、または１ｃｍ刻みの目盛りの付いた３０ｃｍ程度の両面テープをセンターラインに沿って貼り付けておき、裾上げ線１５３の位置でちぎって目印とし、紳士用ズボン１５０を全て裏返しにする。
【０３０５】
そして、３箇所のセロハンテープＳ３を剥がして図３２（ｂ）に示されるように裾上げ紙１４０を縦に伸ばし、右半分の剥離紙のみを剥がして中央折り線１４３を紳士用ズボン１５０の脇線１５２に合わせて、矢印のように右側に開いて裾上げ紙１４０の右半分全面を紳士用ズボン１５０の裏側に貼り付ける。続いて、図３２（ｃ）に示されるように、仮止めのミシン縫い目１４５を取り除いて、未だ剥離紙の付いている裾上げ紙１４０の左半分を中央折り線１４３から右へ折り返す。次に、図３２（ｄ）に示されるように裾上げ紙１４０の左半分の剥離紙も剥がして、左半分全面も紳士用ズボン１５０の裏側に貼り付ける。
【０３０６】
そして、図３２（ｅ）に示されるように、チャコ等で付けておいた目印１５３ａで裾上げ線１５３の位置を知り、ヘム長さを決めて相当する目盛り線１４１に沿って裁ち鋏で裾上げ紙１４０とともに紳士用ズボン１５０の裾を切り落とす。次に、図３２（ｆ）に示されるように、裾上げ線１５３で裾上げ紙１４０とともに紳士用ズボン１５０を折り曲げて、折り目にアイロンを掛ける。そして、図３２（ｇ）に示されるように、反対側に折り返してアイロンプレスされた裾上げ線１５３できちんと折り返し、図３２（ｈ）に示されるように綺麗に折り返して、裾上げ線１５３の全周にアイロンをしっかり掛ける。
【０３０７】
後は裾上げ紙１４０を剥がして取り除き、新しい裾線１５０ｂの全周を裾上げテープで紳士用ズボン１５０の裏側に熱接着すれば、片足の裾上げは完了する。もう一方の足の裾上げを行う際には、両足を揃えることによって裾上げ線１５３の位置を確認し、もう一方の足の裾を裏返して裾上げ線１５３に沿って裾上げ紙１４０を貼り付けることになる。
【０３０８】
ここで、新しい裾上げ紙１４０を貼り付けても良いが、片足の裾上げに用いて剥がした使用済みの裾上げ紙１４０を貼り付けることもできる。アパレル用の片面全面接着紙は剥がし易いだけでなく、一度の貼り付けでは粘着力を失わず３〜４回の貼り替えでも十分な粘着力を有しているので、再使用が可能である。但し、目盛り線１４１がヘム長さに合わせて切断されているので、再使用における切断は目盛り線１４１の切断線に沿って生地だけを切ることになる。
【０３０９】
このようにして、本実施の形態１２の裾上げ紙１４０及び裾上げ機能付き衣服（紳士用ズボン）１５０は、衣服の裾長さを着用する人に合わせて極めて短時間で調節することができ、購入した衣服をその場で持って帰ってもらうことができる。
【０３１０】
実施の形態１３
次に、本発明の実施の形態１３について、図３３乃至図３５を参照して説明する。
【０３１１】
図３３（ａ）は本発明の実施の形態１３にかかる裾上げ具としての裾上げ紙を広げた状態を示す図、（ｂ）は裾上げ紙を中央に３分の１に折り畳んだ状態を示す図である。図３４は本発明の実施の形態１３の変形例にかかる裾上げ紙を広げた状態を示す図である。図３５は本発明の実施の形態１３の別の変形例にかかる裾上げ紙を広げた状態を示す図である。
【０３１２】
図３３（ａ）に示されるように、本実施の形態１３にかかる裾上げ具としての裾上げ紙１４６は、実施の形態１２の裾上げ紙１４０と同じくアパレル用の片面全面接着紙を用いており、同じ幅に横に三等分された中央部分１４６ａ、左部分１４６ｂ、右部分１４６ｃから成っている。裾上げ紙１４６の表面には、図示しない１ｃｍ刻みの目盛り線が付けられている。
【０３１３】
そして、裾上げ紙１４０と同じく横方向及び縦方向に小さく折り畳まれた状態から、図３３（ａ）に示されるように広げられた状態で裏側の剥離紙を剥がして貼り付けられるが、まず中央部分１４６ａの裏側の剥離紙が剥がされて中央部分１４６ａの中心線が紳士用ズボン１５０の脇線１５２に一致するように、紳士用ズボン１５０の裏側に貼り付けられる。続いて、左部分１４６ｂの裏側の剥離紙が剥がされて左部分１４６ｂが貼り付けられ、最後に右部分１４６ｃの裏側の剥離紙が剥がされて右部分１４６ｃが貼り付けられる。
【０３１４】
図３３（ｂ）に示されるように、この裾上げ紙１４６は広げられる前は、中央部分１４６ａに左部分１４６ｂと右部分１４６ｃが重ねられるように折り畳まれており、さらに縦に四分割されて折り畳まれ、紳士用ズボン１５０の脇線１５２上に仮止めされている。裾上げ紙１４６を用いた裾上げの手順は、実施の形態１２と同様である。
【０３１５】
次に、本実施の形態１３の変形例にかかる裾上げ紙について、図３４を参照して説明する。図３４に示されるように、この裾上げ紙１４７は、裾上げ紙１４６と同じく中央部分１４７ａ、左部分１４７ｂ、右部分１４７ｃから成っているが、中央部分１４７ａの幅が左右部分１４７ｂ，１４７ｃの幅の２倍になっており、中央部分１４７ａの中心線で四等分されることになる。この裾上げ紙１４７の表面にも、図示しない１ｃｍ刻みの目盛り線が付けられており、左部分１４７ｂ、右部分１４７ｃが中央部分１４７ａに重なるように谷折りされ、さらに縦方向に折り畳まれて仮止めされる。この裾上げ紙１４７を用いた裾上げの手順は、実施の形態１２と同様である。
【０３１６】
次に、本実施の形態１３の別の変形例にかかる裾上げ紙について、図３５を参照して説明する。図３５に示されるように、この裾上げ紙１４８は、裾上げ紙１４６と同じく三等分された中央部分１４８ａ、左部分１４８ｂ、右部分１４８ｃから成り、表面には図示しない１ｃｍ刻みの目盛り線が付けられており、裾上げ紙１４６と同じく横方向に三つ折り、縦方向に四つ折りされて小さく折り畳まれる。異なるのは、中央部分１４８ａの中央線に沿って４つの貫通孔１４８ｄが設けられている点である。
【０３１７】
これによって、これらの貫通孔１４８ｄから見える紳士用ズボン１５０の脇線１５２に中央部分１４８ａの中央線をぴったり合わせることができ、より確実に広げた裾上げ紙１４８を紳士用ズボン１５０の脇線１５２を中心にして貼り付けることができる。この裾上げ紙１４８を用いた裾上げの手順も、実施の形態１２と同様である。
【０３１８】
これらの裾上げ紙１４６，１４７，１４８以外にも、横方向に五等分・六等分等、片面全面接着紙の様々な折り畳み方が可能である。
【０３１９】
実施の形態１４
次に、本発明の実施の形態１４について、図３６を参照して説明する。図３６は本発明の実施の形態１４にかかる裾上げ具としての裾上げ紙を広げた状態を示す図である。
【０３２０】
図３６に示されるように、本実施の形態１４にかかる裾上げ具としての裾上げ紙１４９は、上記実施の形態１２及び１３のように片面全面接着紙を用いたものではなく、同様な大きさの接着力のない紙の表面に縦方向に中央線１５８を引き、横方向には下端に取付け代１５６ａを余して切り込み１５６を入れ、その上の部分を四等分する折り曲げ線１５７ａ，１５７ｂ，１５７ｃを引き、さらに取付け代１５６ａの上から上端まで１ｃｍ刻みで目盛り線１５９が付けられている。そして、裾上げ紙１４９の裏面には縦方向に両端及び中央線１５８を挟んでぴったり密着して、４本の両面テープ１５５ａ，１５５ｂ，１５５ｃ，１５５ｄが貼り付けられている。
【０３２１】
かかる裾上げ紙１４９の折り畳み方及び紳士用ズボン１５０の裾への仮止めの仕方は、実施の形態１２と同様である。また、裾上げ紙１４９を用いた紳士用ズボン１５０の裾上げの手順も実施の形態１２と同様であるが、広げた裾上げ紙１４９を半分ずつ紳士用ズボン１５０の裏に貼り付けるときは中央と端にしか接着部分がないので、まず中央の両面テープ１５５ｃ（或いは両面テープ１５５ｂ）の剥離紙を剥がして脇線１５２に沿ってしっかり貼りつけ、それから端の両面テープ１５５ｄ（或いは両面テープ１５５ａ）の剥離紙を剥がして中間部分が弛んだり皺にならないように引張りながら貼り付けなければならない。
【０３２２】
このようにして、本実施の形態１４の裾上げ紙１４９は、片面全面接着紙を用いず普通の紙に４本の両面テープを貼り付けて製造されるので、より安価に製造することができるとともに、衣服の裾長さを着用する人に合わせて極めて短時間で調節することができ、購入した衣服をその場で持って帰ってもらうことができる。
【０３２３】
ここで、折り畳んだ裾上げ紙の紳士用ズボン１５０の裾への仮止めの仕方について、裾上げ紙１４０を例として図３７を参照して説明する。図３７（ａ），（ｂ），（ｃ）は折り畳んだ裾上げ紙１４０の仮止めの仕方の様々な例を示す説明図である。
【０３２４】
図３７（ａ）においては、裾上げ紙１４０の取付け代１４２ａで紳士用ズボン１５０の仮の裾線１５０ａを挟むようにして、脇線１５２に沿わせて取付け代１４２ａに粗くミシン掛けして仮止めしている。図３７（ｂ）においては、裾上げ紙１４０の取付け代１４２ａを紳士用ズボン１５０の裏側の裾に載せるようにして、粗くミシン掛けして仮止めしている。これらをそのまま上に折り返して紳士用ズボン１５０の裏側にセロハンテープで仮止めすれば、実施の形態１２と同様に紳士用ズボン１５０を裏返して裾上げを行うことができる。
【０３２５】
これに対して、図３７（ａ）或いは図３７（ｂ）に示されるように仮止めした裾上げ紙１４０を紳士用ズボン１５０の表側に折り返して、セロハンテープＳ４で仮止めした状態を示したのが図３７（ｃ）である。但し、この場合は、裾上げ紙１４０を折り畳む前の表裏が逆になっている。これによって、セロハンテープＳ４を剥がして裾上げ紙１４０を紳士用ズボン１５０の表側に広げて貼り付けることによって、表側においても実施の形態１２と同様の手順で紳士用ズボン１５０の裾上げを行うことができる。
【０３２６】
次に、片面全面接着紙を用いた裾上げ紙における剥離紙の様々な剥がし方について、図３８乃至図４０を参照して説明する。図３８（ａ）〜（ｅ）は片面全面接着紙を用いた裾上げ紙の裏面の剥離紙側を示したもので、剥離紙に種々の切れ目を入れることによって様々な剥がし方ができる裾上げ紙の幾つかの例を示したものである。図３９（ａ）〜（ｅ）は、その中の１つの裾上げ紙を用いて小さく折り畳んで衣服としての紳士用ズボンに取付けた状態から、剥離紙を剥がして行く手順の一部を示した説明図である。図４０（ａ）は小さく折り畳んだ裾上げ紙を衣服としての紳士用ズボンの脇線を中心にして取付けた状態を示す図であり、図４０（ｂ）〜（ｇ）はこうして取付けるための裾上げ紙の幾つかの例を示したものである。
【０３２７】
図３８（ａ）〜（ｅ）に示されるように、裾上げ紙の裏面の剥離紙には様々な切れ目を入れることができ、裾上げ紙１６０Ａは中心線１６１及び取付け代１６２と折り畳み部分の境界線に沿って縦横２本の切れ目を入れたものであり、実施の形態１２の裾上げ紙１４０にはこのような切れ目が入っている。また、裾上げ紙１６０Ｂは裾上げ紙１６０Ａの応用で、中心線１６１に沿った中央部分だけが別に剥がせるようになっている。これら図３８（ａ），（ｂ）に示される裾上げ紙１６０Ａ，１６０Ｂは、裾上げする衣服の素材に張りが有って伸び縮みしないものに適している。
【０３２８】
一方、図３８（ｃ）〜（ｅ）に示される裾上げ紙１６０Ｃ，１６０Ｄ，１６０Ｅは中心線１６１で２つに折った後、縦方向に四等分して３回折り畳むもの（実施の形態１２の裾上げ紙１４０もその一例であるが）のうち、広げるときに広げながら剥離紙を下の方から順に剥がして貼り付けて行く方法をとる場合に用いられるものである。このうち裾上げ紙１６０Ｃは、以下説明する図３９のように紳士用ズボン１５０の裏側の脇線１５２の左側に仮止めする場合に用いられ、裾上げ紙１６０Ｄは脇線１５２の右側に仮止めする場合に用いられ、裾上げ紙１６０Ｅは左右どちら側に仮止めする場合にも使用できるものである。
【０３２９】
実際の貼り付け方について、図３９を参照して説明する。図３９（ａ）に示されるように、ここでは小さく畳んだ裾上げ紙１６０Ｅを用いて紳士用ズボン１５０の裏側の脇線１５２の左側に仮止めされている。そこで、まず図３９（ｂ）に示されるように、小さく畳んだ裾上げ紙１６０Ｅを下へ倒して一番下の部分１６６の剥離紙を剥がして、図３９（ｃ）に示されるように、元へ戻して紳士用ズボン１５０の裏側に部分１６６をしっかり貼り付ける。続いて、下から２番目の部分１６５の剥離紙を剥がして、図３９（ｄ）に示されるようにさらに上へ倒して、部分１６５をしっかり貼り付ける。
【０３３０】
以下同様にして、下から３番目の部分１６４の剥離紙を剥がしてさらに上へ倒して部分１６４をしっかり貼り付け、一番上の部分１６３の剥離紙を剥がしてさらに上へ倒して部分１６３をしっかり貼り付ける。これで裾上げ紙１６０Ｅの左半分の貼り付けが終了したので、後は図３９（ｅ）に示されるように右側の４枚の剥離紙を全部剥がして、右半分も紳士用ズボン１５０の裏側に貼り付ける。したがって、この例の場合には裾上げ紙１６０Ｃを用いることもできる。このように、裾上げ紙１６０Ｃ，１６０Ｄ，１６０Ｅは、少しずつ貼り付けて行くので、裾上げする衣服の素材に張りがなく伸び縮みするものに適している。
【０３３１】
次に、紳士用ズボン１５０の脇線１５２を中心にして取付ける裾上げ紙の例について、図４０を参照して説明する。図４０（ａ）は小さく折り畳んだ裾上げ紙１７０Ａを紳士用ズボン１５０の脇線１５２を中心にして取付けた状態を示しており、取付け代１７２に粗いミシン掛けして仮止めされている。
【０３３２】
このように取付ける裾上げ紙の例として、図４０（ｂ）に示される裾上げ紙１７０Ｂは中央部分１７４，左部分１７５，右部分１７６の幅が全て同じで縦に四分割されて折り畳まれたどの部分から広げていっても一部分ずつ剥離紙を剥がして接着できるようになっている。これに対して、図４０（ｃ）に示される裾上げ紙１７０Ｃは中央部分１７４から上に広げて行く場合に用いられるものである。
【０３３３】
また、図４０（ｄ）に示される裾上げ紙１７０Ｄは中央部分１７４の幅が左部分１７５，右部分１７６の幅の約２倍であって、どの部分から広げていっても一部分ずつ剥離紙を剥がして接着できるようになっている。これに対して、図４０（ｅ）に示される裾上げ紙１７０Ｅは中央部分１７４から上に広げて行く場合に用いられるものである。
【０３３４】
さらに、図４０（ｆ）に示される裾上げ紙１７０Ｆは中央部分１７４の幅が左部分１７５，右部分１７６の幅の約２倍で、かつ中心線１７１の４箇所に貫通孔１７７が設けられている。これによって、中心線１７１を脇線１５２に揃えるのが容易になり、どの部分から広げていっても一部分ずつ剥離紙を剥がして接着できるようになっている。これに対して、図４０（ｇ）に示される裾上げ紙１７０Ｇにも中心線１７１の４箇所に貫通孔１７７が設けられていて、中心線１７１を脇線１５２に揃えるのが容易になり、中央部分１７４から上に広げて行く場合に用いられるものである。
【０３３５】
なお、実施の形態１２〜１４及び図３８〜図４０においては、いずれも裾上げ紙を縦に四等分して折り畳む場合について説明したが、縦折りは四等分に限られず、二等分・三等分・五等分・六等分・七等分・八等分等でも構わない。
【０３３６】
次に、図１８（ｆ）に示される本発明の実施の形態８の改良型にかかる裾上げ具９０の折り畳み方の別例について、図４１を参照して説明する。図４１は小さく折り畳んだ裾上げ具９０の止め方の別例を示す図である。
【０３３７】
図１８（ｆ）においては、小さく折り畳んだ裾上げ具９０の接着部分９１の先端をセロハンテープで止めているが、この例では図４１に示されるように、折り畳むときに上になった左側の長方形９４に切り込み９４ａを設けて、接着部分９１の三角形の先端９１ａを切り込み９４ａに差し込んで止めている。この例では、裾上げ具９０を使用するときにセロハンテープを剥がす必要がなく、接着部分９１の先端９１ａを切り込み９４ａから抜き出すだけで裾上げ具９０を広げることができる。
【０３３８】
実施の形態１５
次に、本発明の実施の形態１５にかかる裾上げ具について、図４２及び図４３を参照して説明する。図４２は本発明の実施の形態１５にかかる裾上げ具の全体構成を示す図である。図４３（ａ）〜（ｇ）は本発明の実施の形態１５の変形例にかかる裾上げ具を用いた裾上げの手順を示す図、（ｈ）はさらにその応用例を示す図である。
【０３３９】
図４２に示されるように、本実施の形態１５にかかる裾上げ具２４０は、中央の長方形２４１とその左右に同じ高さで連続する左側の長方形２４２及び右側の長方形２４３、そしてこれら３つの長方形２４１，２４２，２４３の底辺からなる第１の折り曲げ線２４４ａと、第１の折り曲げ線２４４ａを境界線として２ｃｍの縦幅で設けられた第１の折り曲げ部分２４４、さらに下へ続いて第２の折り曲げ線２４５ａを境界線として２ｃｍの縦幅で設けられた第２の折り曲げ部分２４５、そして１．５ｃｍの縦幅の切断部分２４６を有している。
【０３４０】
切断部分２４６の第２の折り曲げ部分２４５との境界線から１ｃｍのところには、切断線２４７が引かれており、中央の長方形２４１の中央から切断部分２４６にかけて１本の垂線２４８が引かれている。さらに、３つの長方形２４１，２４２，２４３の裏側上端に沿って両面テープ７８がそれぞれ貼り付けられている。そして、第１の折り曲げ部分２４４の上面には両面テープで幅２ｃｍの裾上げテープＴ１が貼り付けられている。
【０３４１】
したがって、本実施の形態１５にかかる裾上げ具２４０は、図２４に示される実施の形態１０にかかる裾上げ具１２０の五角形の接着部分を取り除くとともに左右の長方形を一重にして、簡略化したものと考えることもできる。よって、実施の形態１０にかかる裾上げ具１２０と同様に衣服としての紳士用ズボンの表側に貼り付けて裾上げを行うことができる。
【０３４２】
このようにして、本実施の形態１５の裾上げ具２４０は１枚の紙を折り曲げて製造でき、しかも構造が簡単なので製造が容易であり、裾上げテープも予めセットしてあるので紳士用ズボンの裾長さを着用する人に合わせて極めて短時間で調節することができ、購入した紳士用ズボンをその場で持って帰ってもらうことができる。
【０３４３】
次に、本実施の形態１５の変形例にかかる裾上げ具２５０を用いた紳士用ズボン１９０の裾上げの手順について、図４３を参照して説明する。
【０３４４】
図４３（ａ）に示されるように、本実施の形態１５の変形例にかかる裾上げ具２５０は、上述した裾上げ具２４０と同じ型紙から製造され、第１の折り曲げ部分２４４と第２の折り曲げ部分２４５を向こう側に折り返す代わりに手前側へ折り返したものであり、上述した裾上げ具２４０が衣服としての紳士用ズボン１９０の裾の表側に貼り付けて使用されるのに対して、変形例にかかる裾上げ具２５０は紳士用ズボン１９０の裾の裏側に貼り付けて使用されるものである。
【０３４５】
図４３（ａ）に示されるように、この裾上げ具２５０を用いるときには、顧客の試着または顧客の股下寸法からの算出によって決定した裾上げ線１９３に、中央の長方形２４１及び左右の長方形２４２，２４３の上端を沿わせるとともに、１本の垂線２４８を紳士用ズボン１９０の裏側の脇線１９２（または股下線１９４）に合わせて、中央の長方形２４１及び左右の長方形２４２，２４３の裏側の上端の両面テープ７８の剥離紙を剥がして中央の長方形２４１及び左右の長方形２４２，２４３を紳士用ズボン１９０の裏側に貼り付ける。
【０３４６】
それから、紳士用ズボン１９０を完全に裏返しにするが、裾上げ具２５０は中央の長方形２４１及び左右の長方形２４２，２４３の裏側の上端の両面テープ７８で紳士用ズボン１９０の裏側にしっかり貼り付いているので、中央の長方形２４１及び左右の長方形２４２，２４３の上端が裾上げ線１９３からずれることはない。
【０３４７】
続いて、図４３（ｂ）に示されるように、切断線２４７で紳士用ズボン１９０の裾を切り落として予め定められたヘム長さとしてから、図４３（ｃ）に示されるように、中央の長方形２４１及び左右の長方形２４２，２４３の上端即ち裾上げ線１９３で紳士用ズボン１９０の裾を裾上げ具２５０ごと折り返してアイロンを掛け、裾上げ線１９３の折り目をしっかり付ける。それから、図４３（ｄ）に示されるように、紳士用ズボン１９０の裾を広げて裾上げ線１９３の折り目から折り返して、図４３（ｅ）に示されるように、全周に亘って新しい裾線１９０ｂを反転させる。
【０３４８】
そして、図４３（ｆ）に示されるように、取り付け時とは上下逆になっている裾上げ具２５０の第２の折り曲げ部分２４５を引き出して、折り畳まれて収容されている裾上げテープＴ１を引き出し、切断部２４６の裏側に貼り付けられている両面テープ７８の剥離紙を剥がして、第２の折り曲げ線２４５ａから折って折り返された紳士用ズボン１９０の裾に貼り付ける。すると、図４３（ｇ）に示されるように、第２の折り曲げ部分２４５に貼り付けられている裾上げテープＴ１の幅方向の中心線が丁度新しい裾線１９０ｂと一致する位置に来る。
【０３４９】
そこで、第２の折り曲げ線２４５ａから裾上げ具２５０を分断して、折り返された紳士用ズボン１９０の裾の中に入っている部分の裾上げ具２５０を取り除いた後、第２の折り曲げ部分２４５の上からアイロンを掛けて新しい裾線１９０ｂを裾上げテープＴ１によって熱接着する。そして、残り約半周分の裾上げテープＴ１を後側へ回して後側の新しい裾線１９０ｂもアイロンを掛けて裾上げテープＴ１によって熱接着する。後は、残された裾上げ具２５０の部分（第２の折り曲げ部分２４５及び切断部２４６）を剥がして取り除けば完了である。
【０３５０】
このように、本実施の形態１５の変形例にかかる裾上げ具２５０は、裾上げ具２４０と類似の構成を持ちながら紳士用ズボン１９０の裏側に取り付けて裾上げができるものであり、構造が簡単で製造し易くより安価になり、裾上げテープＴ１が予めセットされているのでより短時間で裾上げをすることができる。
【０３５１】
なお、図４３（ｈ）に示されるように、この裾上げ具２５０は中央の長方形２４１及び左右の長方形２４２，２４３を上方へ延長することによって、ヘム長さを自由に長くすることができる。具体的には、図のように中央の長方形２４１及び左右の長方形２４２，２４３を長めに作っておいて、１ｃｍ刻みでミシン目２４３ａを入れておき、好みのヘム長さに相当するミシン目２４３ａで中央の長方形２４１及び左右の長方形２４２，２４３の上方を切り離すことによって、ヘム長さを自由に調節することができる。
【０３５２】
実施の形態１６
次に、本発明の実施の形態１６にかかる裾上げ具について、図４４乃至図４７を参照して説明する。図４４（ａ）は本発明の実施の形態１６にかかる裾上げ具の全体構成を示す図、（ｂ）は本発明の実施の形態１６の第１の変形例にかかる裾上げ具の全体構成を示す図である。図４５は本発明の実施の形態１６にかかる裾上げ具を用いた裾上げの手順を示す図である。図４６（ａ），（ｂ）は本発明の実施の形態１６にかかる裾上げ具を用いた裾上げにおいて股下長さが短かった場合の対処方法を説明するための図である。図４７（ａ）は本発明の実施の形態１６の第２の変形例にかかる裾上げ具の全体構成を示す図、（ｂ）は本発明の実施の形態１６の第３の変形例にかかる裾上げ具の全体構成を示す図、（ｃ），（ｄ）は本発明の実施の形態１６の第２の変形例にかかる裾上げ具を用いた裾上げの手順を示す図である。
【０３５３】
図４４（ａ），（ｂ）に示されるように、本実施の形態１６にかかる裾上げ具２５１及び第１の変形例にかかる裾上げ具２５２は、図２９に示される実施の形態１２にかかる片面全面接着紙を用いた裾上げ具としての裾上げ紙１４０に２ｃｍ幅の裾上げテープＴ１をセットしたものである。したがって、１ｃｍ間隔で引かれた目盛り線１４１（左下半分は図示省略）、これらの目盛り線１４１と垂直に中央に引かれた縦方向中心線１４３、下端から２ｃｍ幅で設けられた取付け代１４２ａ及び切り込み１４２が同様に設けられている。但し、目盛り線１４１に沿って切り取り易いようにミシン目が入れられている。
【０３５４】
さらに、裾上げ具２５１，２５２には上端部分に裾上げテープ収容部分２５５，２５６が設けられている。裾上げ具２５１の場合には、上端部分を山折りに裏側へ折った後裾上げテープＴ１の幅（２ｃｍ）の位置で谷折りに上へ折り返し、上端部分が最初の折り目より上にはみ出るようにする。そして、最後の折り目に沿って２ｃｍ幅で両面テープを貼り付けて、剥離紙を剥がして、紳士用ズボンの裾１周分より長く切った裾上げテープＴ１の熱接着面でない面を貼り付ける。裾上げテープ収容部分２５５から両側へはみ出した部分は折り返して先端を重ねてセロハンテープで止め、裾上げテープ収容部分２５５内に収容する。そして、裾上げ具２５１の最初の折り目より上にはみ出した上端部分には、図示しない両面テープを全幅に亘って貼り付けておく。
【０３５５】
一方、裾上げ具２５２の場合には、上端部分を谷折りに手前に約３ｃｍ折り返しただけで、折り目に沿って裾上げテープ収容部分２５６の下側の面に２ｃｍ幅で両面テープを貼り付けて、剥離紙を剥がして、紳士用ズボンの裾１周分より長く切った裾上げテープＴ１の熱接着面でない面を貼り付ける。裾上げテープ収容部分２５６から両側へはみ出した部分は折り返して先端を重ねてセロハンテープで止め、裾上げテープ収容部分２５６内に収容する。そして、裾上げテープ収容部分２５６の下側の面の残り約１ｃｍの部分には、図示しない両面テープを全幅に亘って貼り付けておく。
【０３５６】
さらに、裾上げ具２５１の場合には、裾上げテープ収容部分２５５の裏側に裾上げテープＴ１の幅方向の中心線に当る位置に目印となる線（図示省略）を引いておく。同様に、裾上げ具２５２の場合には、裾上げテープ収容部分２５６の上側に裾上げテープＴ１の幅方向の中心線に当る位置に目印となる線２５４を引いておく。
【０３５７】
かかる構成の裾上げ具２５１，２５２の折り畳み方及び紳士用ズボンへの取り付け方は、図２９及び図３１に示される裾上げ具１４０の場合と同様に行われる。次に、これらの裾上げ具２５１，２５２を用いた裾上げの手順について、図４５及び図４６を参照して説明する。
【０３５８】
まず、顧客の試着または顧客の股下寸法からの算出によって裾上げ線１９３を決定し（この場合は仮の裾線から１０ｃｍ）、それから紳士用ズボン１９０を完全に裏返しにして、裾上げ具２５１をまず上方向に、続いて横方向に裏面の剥離紙を剥がしながら広げて紳士用ズボン１９０の裏面に接着して行く。次に、ヘム長さを決定し（この場合は８ｃｍ）、相当する目盛り線１４１を切断線２５７として裾上げ具２５１とともに紳士用ズボン１９０の裾を切り落とす。そして、裾上げ線１９３において、ヘム部分を裾上げ具２５１とともに折り返して、アイロンを掛けて裾上げ線１９３の折り目をしっかり付け、ヘム部分を元に戻す。
【０３５９】
続いて、広げて貼り付けられている裾上げ具２５１を上端２５３から剥がして上端２５３を切断線２５７つまり新しい裾線に一致させて、その位置で裾上げ具２５１を二つ折りにして上端に貼り付けておいた図示しない両面テープの剥離紙を剥がして新しい裾線に沿って貼り付ける。このとき二つ折りの位置は、通常は裾上げ線１９３より上に来るので、次に裾上げ線１９３で二つ折りにした裾上げ具２５１ごと紳士用ズボン１９０の裾（ヘム部分）を上に折り返す。後は、実施の形態１５にかかる裾上げ具２５０と同様な操作を行って、新しい裾線を裾上げテープＴ１で紳士用ズボン１９０の裾の裏側に熱接着して止めれば良い。
【０３６０】
図４６（ｂ）に示されるように、着用者の股下が短くて、二つ折りの位置２５８が裾上げ線１９３より下に来てしまった場合には、二つ折りにした裾上げ具２５１を一旦取り外して伸ばし、上端２５３が裾上げ線１９３と一致するように貼り付け直して新しい裾線から下へはみ出した部分は全て切り落とし、もう一度剥がして切り落とした線が裾上げ線１９３と一致するように貼り付け直す必要がある。
【０３６１】
このようにして、本実施の形態１６にかかる裾上げ具２５１は予め裾上げテープＴ１がセットしてあるので、より短時間で裾上げを行うことができる。
【０３６２】
次に、本実施の形態１６の第２の変形例にかかる裾上げ具２７１及び本実施の形態１６の第３の変形例にかかる裾上げ具２７２について、図４７を参照して説明する。
【０３６３】
図４７（ａ）に示されるように、本実施の形態１６の第２の変形例にかかる裾上げ具２７１は、本実施の形態１６にかかる裾上げ具２５１と類似しているが、上端部分の折り方が異なる。即ち、片面全面接着紙の上端２７３ａを山折りに向こう側へ折り、裾上げテープＴ１の幅（２ｃｍ）と同じ長さ下がったところで谷折りして上方に折り返して、最初の山折り線２７３ｂから若干（約１ｃｍ）上へはみ出させたところで再び谷折りして下方へ折り返して、最初の谷折り線２７３ｃのところでまた谷折りして上方に折り返して、片面全面接着紙の上端２７３ａが最初の山折り線２７３ｂに略一致するように折り、最後の折り返し部分２７１ｂを最初の折り返し部分２７１ａに工作用両面接着テープで接着して固定する。
【０３６４】
そして、二重になった折り返し部分の手前側２７１ｃを３つ目の谷折り線２７３ｅから裾上げテープＴ１の幅だけ剥離紙を剥がして、紳士用ズボンの裾全周より長く切った裾上げテープＴ１を貼り付けて止め、折り返し部分２７１ｃから両側へはみ出した裾上げテープＴ１は折り返して折り返し部分２７１ｃに収容し、折り返し部分の上端のはみ出させた部分２７１ｄの剥離紙を剥がせるように切れ目を入れ、第１の谷折り線２７３ｃから裾上げテープＴ１の幅の１／２上がったところ（折り返し部分の一番裏側）には図示しない目印線が引かれている。
【０３６５】
即ち、本実施の形態１６の第２の変形例にかかる裾上げ具２７１は、実施の形態１６にかかる裾上げ具２５１において両面テープで裾上げテープＴ１を止めて、両面テープで二つ折りした先端を新しい裾線２５７に沿って貼り付けているのを、裾上げテープ収容部分２７６を二重に折ることによって片面全面接着紙の剥離紙を剥がすだけで裾上げテープＴ１を止めて、かつ二つ折りした先端２７１ｄを紳士用ズボンの裾に貼り付けることができる。これによって、両面テープを一々貼り付ける手間が省けてより製造し易い裾上げ具となる。
【０３６６】
本実施の形態１６の第２の変形例にかかる裾上げ具２７１による裾上げの手順は、実施の形態１６にかかる裾上げ具２５１の場合と若干異なっている。即ち、実施の形態１２にかかる裾上げ具１４０と同様に折り畳んで紳士用ズボンの裾に仮止めした裾上げ具２７１を、裾上げ線を決定して紳士用ズボンを完全に裏返してから広げながら紳士用ズボンの裏側に貼り付けて行き、ヘム長さを決めて相当する目盛り線１４１に沿って鋏で切り落とし、裾上げ線１９３に沿って折り返してアイロンで裾上げ線１９３に折り目をしっかり付けるところまでは同様である。
【０３６７】
異なるのは、図４７（ｃ）に示されるように、この時点で紳士用ズボン１９０の裾を広げて裾上げ線１９３から折り返してしまう点である。それから、裾上げテープＴ１の折り返し部分を取り出して裾上げ具２７１を上端２７３から剥がし、図４７（ｄ）に示されるように、目印線２７５が裾上げされた新しい裾線１９０ｂに一致するように二つ折りして、折り返し部分の上端のはみ出させた部分２７１ｄの剥離紙を剥がして紳士用ズボン１９０のヘム部分に貼り付ける。
【０３６８】
そして、ヘム部分に入っている裾上げ具２７１の下端部分を紳士用ズボン１９０から剥がして引き出し、裾上げ具２７１の上からアイロンを掛けて裾上げテープＴ１で裾上げされた新しい裾線１９０ｂを紳士用ズボン１９０の裏側に熱接着する。さらに、紳士用ズボン１９０を裏返して残りの半周についてもアイロンを掛けて裾上げテープＴ１で熱接着する。最後に裾上げ具２７１を剥がして取り除けば、片足の裾上げは完了である。
【０３６９】
次に、本実施の形態１６の第３の変形例にかかる裾上げ具２７２について、図４７（ｂ）を参照して説明する。図４７（ｂ）に示されるように、本実施の形態１６の第３の変形例にかかる裾上げ具２７２も、本実施の形態１６の第１の変形例にかかる裾上げ具２５２と類似しているが、やはり上端部分の折り方が異なる。
【０３７０】
即ち、片面全面接着紙の上端２７８ａを谷折りに手前側へ折り、裾上げテープＴ１の幅（２ｃｍ）より長い位置のところで再び谷折りして上方へ折り返して、第１の谷折り線２７８ｂのところでまた谷折りして下方に沿って折り返して、片面全面接着紙の上端２７８ａが第２の谷折り線２７８ｃと略一致するように折り、最後の折り返し部分２７２ｂを片面全面接着紙の表側２７２ａに工作用両面接着テープで接着して固定する。
【０３７１】
そして、第３の谷折り線２７８ｄから裾上げテープＴ１の幅の分だけ剥離紙を剥がして紳士用ズボンの裾全周より長く切った裾上げテープＴ１を貼り付けて止め、両側へはみ出した裾上げテープＴ１は折り返して収容し、片面全面接着紙の内側の残った部分２７２ｃは剥離紙を剥がせるように切れ目を付け、第１の谷折り線２７８ｂから裾上げテープＴ１の幅の１／２下がったところには目印線２７４が引かれている。本実施の形態１６の第３の変形例にかかる裾上げ具２７２を用いた裾上げの手順も、第２の変形例にかかる裾上げ具２７１の場合と同様である。
【０３７２】
このように、本実施の形態１６の第２の変形例にかかる裾上げ具２７１、第３の変形例にかかる裾上げ具２７２による裾上げは、先に裾上げを済ませてしまってから裾上げ具２７１，２７２を上から剥がして二つ折りにして裾上げテープＴ１を新しい裾線１９０ｂに合わせるので、顧客の股下が短くても関係なく裾上げができて、本実施の形態１６にかかる裾上げ具２５１よりもさらに裾上げが容易にできる。
【０３７３】
次に、裾上げテープが裾上げ具に予めセットされていない場合に用いられる裾上げテープ取付け補助具（以下、「補助具」とも略する。）について、図４８を参照して説明する。図４８（ａ）は初心者用の補助具を裾上げテープに取付けた状態を示す図、（ｂ）は補助具の変形例を裾上げテープに取付けた状態を示す図、（ｃ）は初心者用の補助具を用いて裾上げテープで新しい裾線を止める方法を示す図、（ｄ）は補助具の変形例を用いて裾上げテープで新しい裾線を止める方法を示す図である。
【０３７４】
図４８（ａ）に示されるように、初心者用の補助具２６０は、紳士用ズボン１９０の裾の全周よりも長く切った裾上げテープＴ１の中央付近に、紳士用ズボン１９０の裾幅に近い長さのアパレル用片面接着テープを、裾上げテープＴ１の幅（２ｃｍ）の半分以上の幅（ここでは、裾上げテープＴ１と同じ幅２ｃｍ）に切って、裾上げテープＴ１の熱接着面でない面に裾上げテープＴ１の幅の半分を覆うようにアパレル用片面接着テープ２６０を貼り付けたものである。
【０３７５】
また、図４８（ｂ）に示されるように、補助具の変形例２６２は、紳士用ズボン１９０の裾の全周よりも長く切った裾上げテープＴ１の中央付近に、紳士用ズボン１９０の裾幅に近い長さのアパレル用片面接着テープを、裾上げテープＴ１の幅（２ｃｍ）の半分の幅（１ｃｍ）に切って裾上げテープＴ１の熱接着面でない面に裾上げテープＴ１の幅の半分を覆うように貼り付けたものである。いずれの補助具２６０，２６２にも、中央に垂線２６１が引かれている。
【０３７６】
これらの補助具２６０，２６２の使い方は、図４８（ｃ），（ｄ）に示されるように、裾上げテープＴ１の中央付近に裾上げテープＴ１の幅の半分を覆うようにアパレル用片面接着テープを貼り付けることによって、裾上げ線１９３で折り返されて裾上げされた新しい裾線１９０ｂにアパレル用片面接着テープの上端を沿わせることによって、誰にでも簡単に裾上げテープＴ１の幅方向の中心線を新しい裾線１９０ｂに合わせることができ、この上からアイロンを掛けることによって裾上げテープＴ１で新しい裾線１９０ｂを紳士用ズボン１９０の裏側に熱接着することができる。
【０３７７】
このとき、垂線２６１を紳士用ズボン１９０の脇線１９２（または股下線）に合わせることによって紳士用ズボン１９０の前後のセンターラインが左右の端に来るので、アイロンが掛けやすくなる。
【０３７８】
さらに、図４８（ｃ）に示されるように、アパレル用片面接着テープを裾上げテープＴ１の幅の半分以上の幅（ここでは、裾上げテープＴ１と同じ幅）に切って、裾上げテープＴ１の中央付近に裾上げテープＴ１の幅の半分を覆うようにアパレル用片面接着テープを貼り付け、裾上げテープＴ１の幅から下へはみ出した部分は、新しい裾線１９０ｂにアパレル用片面接着テープの上端を沿わせる際に紳士用ズボン１９０の折り返された表側に貼り付ければ、これでもう裾上げテープＴ１の幅方向の中心線が新しい裾線１９０ｂからずれることがないので、初心者でも容易に裾上げテープＴ１による熱接着を行うことができる。
【０３７９】
後は、残りの約半周の新しい裾線１９０ｂをアパレル用片面接着テープの両側にはみ出した裾上げテープＴ１で熱接着してアパレル用片面接着テープを剥がせば、紳士用ズボン１９０の片足の裾上げは完了である。このようにして、裾上げテープＴ１による熱接着をより容易に行うことができる。
【０３８０】
これらの補助具２６０，２６２は、予め裾上げ具に裾上げテープがセットされていない上記の実施の形態１〜実施の形態７、実施の形態１２〜実施の形態１４、及び下記の実施の形態１７〜実施の形態１９に応用することができる。
【０３８１】
実施の形態１７
次に、本発明の実施の形態１７について、図４９及び図５０を参照して説明する。図４９（ａ）は本発明の実施の形態１７にかかる裾上げ具としての裾上げ紙を折り畳んだ状態を示す斜視図、（ｂ）〜（ｅ）は裾上げ紙の衣服への取付け方を示す説明図である。図５０（ａ），（ｂ）は本発明の実施の形態１７にかかる裾上げ紙の折り畳んだ状態と取付けた状態を改めて示す図、（ｃ），（ｄ）は本発明の実施の形態１７の変形例にかかる裾上げ紙の折り畳んだ状態と取付けた状態を示す図、（ｅ），（ｆ）は本発明の実施の形態１７の別の変形例にかかる裾上げ紙の折り畳んだ状態と取付けた状態を示す図である。
【０３８２】
図４９（ａ）に示されるように、本実施の形態１７にかかる裾上げ具としての裾上げ紙１８０は、衣服の裾幅に近い幅を有し山折りに２つに折られた本体部分１８１と、本体部分１８１の一方に接続されて同じ幅で縦幅が短い第１の接着部分１８３と、本体部分１８１の他方に接続されて同じ幅で縦幅が短い第２の接着部分１８４とからなる。
【０３８３】
第１の接着部分１８３の裏側の全面、第２の接着部分１８４の裏側の全面、及び本体部分１８１の裏側の横方向に間隔をおいて縦方向に両面テープ１８８が貼り付けられ、本体部分１８１の表側には、幅方向に沿って１ｃｍ間隔で平行に複数の目盛り線１８６が引かれ、これらの複数の目盛り線１８６と垂直に本体部分１８１の中央に第１の接着部分１８３の表側、本体部分１８１の表側、第２の接着部分１８４の表側に亘って１本の垂線１８７が引かれている。以下、図４９（ｂ）〜（ｅ）においては、目盛り線１８６，両面テープ１８８は図示省略されている。
【０３８４】
図４９（ｂ）に示されるように、この裾上げ紙１８０を衣服としての紳士用ズボン１９０の裾上げに用いるときは、顧客の試着または顧客の股下寸法からの算出によって決定した裾上げ線１９３に、第１の接着部分１８３と本体部分１８１との境界線を沿わせるとともに１本の垂線１８７を紳士用ズボン１９０の裏側の脇線１９２（または股下線）に合わせて、第１の接着部分１８３の裏側の両面テープ１８８の剥離紙を剥がして第１の接着部分１８３を紳士用ズボン１９０の裏側に貼り付ける。
【０３８５】
続いて、紳士用ズボン１９０を完全に裏返し、本体部分１８１の裏側の両面テープ１８８の剥離紙を全て剥がして下へ引張り、図４９（ｃ），（ｄ）に示されるように、山折り部分１８２が真っ直ぐになるように伸ばしながら本体部分１８１を紳士用ズボン１９０の裏側に貼り付ける。そして、図４９（ｅ）に示されるように第２の接着部分１８４の裏側の両面テープ１８８の剥離紙を剥がして第２の接着部分１８４を紳士用ズボン１９０の裏側に貼り付ける。
【０３８６】
それから、ヘム長さを決めてそのヘム長さに相当する目盛り線１８６に沿って本体部分１８１ごと紳士用ズボン１９０の裾を切り落とすが、このとき裾上げ紙１８０が貼り付けられて紳士用ズボン１９０がぴんと張っているので真っ直ぐに切り易い。続いて、裾上げ線１９３即ち第１の接着部分１８３と本体部分１８１との境界線で紳士用ズボン１９０の裾を裾上げ紙１８０とともに折り返し、アイロンを掛けて裾上げ線１９３の折り目をしっかり付ける。そして、元に戻して両面テープ１８８を全て剥がすことによって裾上げ紙１８０を紳士用ズボン１９０から取り外し、紳士用ズボン１９０の裾の中に両手を入れて裾上げ線１９３の折り目の対向する位置を摘んで広げるように引っ張る。すると、裾上げ線１９３から切断によって新しくできた裾線までの生地（ヘム部分）が綺麗に反転する。
【０３８７】
このように、本実施の形態１７においては、紳士用ズボン１９０の裾を片側に折って折り目を付けるだけで紳士用ズボン１９０の裾の全周を一瞬にして綺麗に折り返すことができ、画期的な裾上げ方法となる。後は、裾上げ線１９３にしっかりアイロンを掛け、新しくできた裾線を全周に亘って裾上げテープで紳士用ズボン１９０の裏側に熱接着して止めれば、片足の裾上げは完了する。なお、この裾上げ紙１８０は紳士用ズボン１９０の裏側のみならず紳士用ズボン１９０の表側の脇線１９２（または股下線）に合わせて裾上げ線１９３に沿って貼り付けても同様に裾上げを行うことができるが、最終段階で紳士用ズボンの裾の全周を一瞬にして綺麗に折り返すことはできず、手間がかかる。
【０３８８】
また、紳士用ズボン１９０の片足の裾上げが完了してもう一方の足の裾上げを行う際には、両足を揃えることによって裾上げ線１９３の位置を確認し、もう一方の足の裾を裏返して裾上げ線１９３に沿って裾上げ紙１８０を貼り付けることになる。ここで、新しい裾上げ紙１８０を貼り付けても良いが、片足の裾上げに用いて剥がした使用済みの裾上げ紙１８０を貼り付けることもできる。アパレル用の両面テープ１８８は剥がし易いだけでなく、一度の貼り付けでは粘着力を失わず３〜４回の貼り替えでも十分な粘着力を有しているので、再使用が可能である。但し、本体部分１８１がヘム長さに合わせて切断されているので、再使用における切断は本体部分１８１の切断線に沿って生地だけを切ることになる。
【０３８９】
このようにして、本実施の形態１７にかかる裾上げ紙１８０は、紳士用ズボン１９０の裾長さを着用する人に合わせて極めて短時間で調節することができる。具体的には、慣れた店員であれば片足５分程度即ち両足で１０分程度で完了するので、顧客を長時間待たせることなくその場で購入した紳士用ズボン１９０を持って帰ってもらうことができる。
【０３９０】
次に、本実施の形態１７の変形例にかかる裾上げ紙について、図５０（ｃ），（ｄ）を参照して説明する。なお、図５０においては、目盛り線１８６，垂線１８７，両面テープ１８８は図示省略されている。図５０（ａ），（ｂ）に示されるのが、上述した本実施の形態１７にかかる裾上げ紙１８０である。これに対して、図５０（ｃ），（ｄ）に示されるのが、本実施の形態１７の変形例にかかる裾上げ紙１９５である。両者を比較して分かるように、変形例にかかる裾上げ紙１９５には第２の接着部分１８４が設けられておらず、その他の部分は全て裾上げ紙１８０と同一である。
【０３９１】
これによって、変形例にかかる裾上げ紙１９５を紳士用ズボンの裏側に取り付けるときは、裾上げ線１９３に第１の接着部分１８３と本体部分１８１の境界線を合わせるとともに紳士用ズボンの脇線１９２に図示しない垂線を合わせて、第１の接着部分１８３の裏側の両面テープの剥離紙を剥がして第１の接着部分１８３を貼り付ける。続いて、紳士用ズボンを完全に裏返し、本体部分１８１の裏側の両面テープの剥離紙を全て剥がして下へ引張り、山折り部分１８２が真っ直ぐになるように伸ばしながら本体部分１８１を紳士用ズボン１９０の裏側に貼り付ける。
【０３９２】
このように、本実施の形態１７の変形例にかかる裾上げ紙１９５は、紳士用ズボンの裏側への取付けが裾上げ紙１８０より簡単であり、より短時間で裾上げを行うことができる。
【０３９３】
次に、本実施の形態１７の別の変形例にかかる裾上げ紙について、図５０（ｅ），（ｆ）を参照して説明する。図５０（ｅ）に示されるように、本実施の形態１７の別の変形例にかかる裾上げ紙２００は、第１の接着部分１８３と同形状の部品１８３ａに糊代が設けられて、第１の接着部分１８３と同形状の部品１８３ａとが並ぶように、本体部分１８１の裏側に糊代に糊・接着剤・工作用両面接着テープのいずれかをつけることによって接着されているものである。この同形状の部品１８３ａの裏側の全面にも、図示しない両面テープが貼り付けられている。
【０３９４】
上述した裾上げ紙１８０，裾上げ紙１９５のように、第１の接着部分１８３のみで裾上げ線１９３に沿って紳士用ズボンの裏側に貼り付けると、紳士用ズボンの全体を完全に裏返す段階で裾上げ線１９３からずれたり剥がれたりする危険性が皆無ではない。そこで、裾上げ紙２００においては、同形状の部品１８３ａを付け加えることによって、第１の接着部分１８３の接着面積を約２倍になるようにした。
【０３９５】
そして、顧客の試着または顧客の股下寸法からの算出によって決定した裾上げ線１９３に、第１の接着部分１８３と本体部分１８１との境界線を沿わせるとともに図示しない垂線を紳士用ズボンの裏側の脇線１９２に合わせて、第１の接着部分１８３の裏側の両面テープの剥離紙を剥がして第１の接着部分１８３を紳士用ズボンの裏側に貼り付ける。それから、紳士用ズボンを完全に裏返すが、裾上げ紙２００は第１の接着部分１８３の面積の広い接着部分によってしっかり貼り付いているので、第１の接着部分１８３と本体部分１８１との境界線が裾上げ線１９３からずれることはない。
【０３９６】
このようにして、本実施の形態１７にかかる裾上げ紙１８０，１９５，２００は、紳士用ズボン１９０の裾長さを着用する人に合わせて極めて短時間で調節することができる。
【０３９７】
実施の形態１８
次に、本発明の実施の形態１８について、図５１乃至図５４を参照して説明する。図５１（ａ）は本発明の実施の形態１８にかかる裾上げ具としての裾上げ紙を折り畳んだ状態を示す斜視図、（ｂ）は切り取り線を切り取った状態を示す斜視図、（ｃ）は裾上げ紙の衣服への取付け方を示す説明図である。図５２（ａ）は本発明の実施の形態１８の第１の変形例にかかる裾上げ紙の折り畳んだ状態を示す斜視図、（ｂ）は第１の変形例にかかる裾上げ紙の衣服への取付け方を示す説明図である。
【０３９８】
図５３（ａ）は本発明の実施の形態１８の第２の変形例にかかる裾上げ紙の折り畳んだ状態を示す斜視図、（ｂ），（ｃ）は第２の変形例にかかる裾上げ紙の衣服への取付け方を示す説明図である。図５４（ａ）は本発明の実施の形態１８の第３の変形例にかかる裾上げ紙を折り畳んだ状態を示す斜視図、（ｂ）は切り取り線を切り取った状態を示す斜視図、（ｃ）は裾上げ紙の衣服への取付け方を示す説明図、（ｄ）は反対側を切り取った場合の裾上げ紙の衣服への取付け方を示す説明図である。
【０３９９】
図５１（ａ）に示されるように、本実施の形態１８にかかる裾上げ具としての裾上げ紙２０１は、衣服の裾幅に近い幅を有し山折りに２つに折られた本体部分２０４と、本体部分２０４の一方に接続されて同じ幅で縦幅が短い第１の接着部分２０２と、本体部分２０４の他方に接続されて同じ幅で縦幅が短い第２の接着部分２０３とからなり、これらの点では実施の形態１７の裾上げ紙１８０に類似している。異なるのは、本体部分２０４の手前側（第２の接着部分２０３側）の山折り線２０４ｂを除く３辺に沿ってミシン目からなる切り取り線２０５が設けられている点である。
【０４００】
さらに、第１の接着部分２０２の裏側の全面、第２の接着部分２０３の裏側の全面、及び本体部分２０４の切り取り線２０５に囲まれた部分２０４ａの裏側の横方向に間隔をおいて縦方向に図示しない両面テープが貼り付けられ、切り取り線２０５に囲まれた部分２０４ａの表側には、幅方向に沿って１ｃｍ間隔で平行に複数の目盛り線２０６が引かれ、これらの複数の目盛り線２０６と垂直に本体部分２０４の中央に第１の接着部分２０２の表側、本体部分２０４の表側、第２の接着部分２０３の表側に亘って１本の垂線２０４ｃが引かれている。
【０４０１】
この裾上げ紙２０１を衣服としての紳士用ズボンの裾上げに用いるときは、図５１（ｂ）に示されるように、まず切り取り線２０５を全て切り離しておき、顧客の試着または顧客の股下寸法からの算出によって決定した裾上げ線１９３に、本体部分２０４と第１の接着部分２０２との境界線を合わせるとともに垂線２０４ｃを紳士用ズボンの裏側の脇線１９２に合わせて、第１の接着部分２０２の裏側の両面テープの剥離紙を剥がして第１の接着部分２０２を紳士用ズボンの裏側に貼り付ける。
【０４０２】
続いて、第２の接着部分２０３の裏側の両面テープの剥離紙を剥がして、第２の接着部分２０３を第１の接着部分２０２に密着させて紳士用ズボンの裏側に貼り付ける。次に、紳士用ズボンを完全に裏返しにするが、このとき裾上げ紙２０１は第１の接着部分２０２及び第２の接着部分２０３によってしっかり貼り付けられているので、本体部分２０４と第１の接着部分２０２との境界線が裾上げ線１９３からずれることはない。
【０４０３】
それから、図５１（ｃ）に示されるように、本体部分２０４を下方へ倒すとともに切り取り線２０５で切り離された部分２０４ａを下へ伸ばして、切り離された部分２０４ａの裏側の両面テープの剥離紙を全て剥がし、垂線２０４ｃが脇線１９２に合うように切り離された部分２０４ａを紳士用ズボンの裏側に貼り付ける。そして、ヘム長さを決めて、相当する目盛り線２０６に沿って切り離された部分２０４ａごと紳士用ズボンの裾を切り落とす。
【０４０４】
その後、裾上げ線１９３で裾上げ紙２０１と紳士用ズボンの裾を上方に折り返し、アイロンを掛けて裾上げ線１９３の折り目を全周に亘ってしっかり付けておく。そして、元に戻して両面テープを全て剥がすことによって裾上げ紙２０１を紳士用ズボンから取り外し、紳士用ズボンの裾の中に両手を入れて裾上げ線１９３の折り目の対向する位置を摘んで広げるように引っ張る。すると、裾上げ線１９３から切断によって新しくできた裾線までの生地（ヘム部分）が綺麗に反転する。
【０４０５】
このように、本実施の形態１８においては、紳士用ズボンの裾を片側に折って折り目を付けるだけで紳士用ズボンの裾の全周を一瞬にして綺麗に折り返すことができ、画期的な裾上げ方法となる。後は、裾上げ線１９３にしっかりアイロンを掛け、新しくできた裾線を全周に亘って裾上げテープで紳士用ズボンの裏側に熱接着して止めれば、片足の裾上げは完了する。
【０４０６】
こうして、紳士用ズボンの片足の裾上げが完了してもう一方の足の裾上げを行う際には、両足を揃えることによって裾上げ線１９３の位置を確認し、もう一方の足の裾を裏返して裾上げ線１９３に沿って裾上げ紙２０１を貼り付けることになる。ここで、新しい裾上げ紙２０１を貼り付けても良いが、片足の裾上げに用いて剥がした使用済みの裾上げ紙２０１を貼り付けることもできる。アパレル用の両面テープは剥がし易いだけでなく、一度の貼り付けでは粘着力を失わず３〜４回の貼り替えでも十分な粘着力を有しているので、再使用が可能である。但し、切り離された部分２０４ａがヘム長さに合わせて切断されているので、再使用における切断は切り離された部分２０４ａの切断線に沿って生地だけを切ることになる。
【０４０７】
このようにして、本実施の形態１８にかかる裾上げ紙２０１は、紳士用ズボンの裾長さを着用する人に合わせて極めて短時間で調節することができる。具体的には、慣れた店員であれば片足５分程度即ち両足で１０分程度で完了するので、顧客を長時間待たせることなくその場で購入した紳士用ズボンを持って帰ってもらうことができる。
【０４０８】
次に、本実施の形態１８の第１の変形例にかかる裾上げ紙２１１について、図５２を参照して説明する。図５２（ａ）に示されるように、第１の変形例にかかる裾上げ紙２１１の基本的な構成は上述した裾上げ紙２０１と同様である。異なるのは、切り取り線２０５が本体部分２０４の手前側（第２の接着部分２０３側）ではなく、向こう側（第１の接着部分２０２側）に設けられている点である。さらに、これに伴って切り取り線２０５に囲まれた部分２０４ａの裏側に幅方向に沿って１ｃｍ間隔で平行に複数の目盛り線２０６が引かれ、切り取り線２０５に囲まれた部分２０４ａの表側に横方向に間隔をおいて縦方向に図示しない両面テープが貼り付けられている。
【０４０９】
また、複数の目盛り線２０６と垂直に本体部分２０４の中央に第１の接着部分２０２の表側、本体部分２０４の表側及び裏側、第２の接着部分２０３の表側に亘って１本の垂線２０４ｃが引かれている。
【０４１０】
この裾上げ紙２１１を衣服としての紳士用ズボンの裾上げに用いるときは、まず切り取り線２０５を全て切り離しておき、顧客の試着または顧客の股下寸法からの算出によって決定した裾上げ線１９３に、本体部分２０４と第１の接着部分２０２との境界線を合わせるとともに垂線２０４ｃを紳士用ズボンの裏側の脇線１９２に合わせて、第１の接着部分２０２の裏側の両面テープの剥離紙を剥がして第１の接着部分２０２を紳士用ズボンの裏側に貼り付ける。
【０４１１】
続いて、第２の接着部分２０３の裏側の両面テープの剥離紙を剥がして、第２の接着部分２０３を第１の接着部分２０２に密着させて紳士用ズボンの裏側に貼り付ける。次に、紳士用ズボンを完全に裏返しにするが、このとき裾上げ紙２１１は第１の接着部分２０２及び第２の接着部分２０３によってしっかり貼り付けられているので、本体部分２０４と第１の接着部分２０２との境界線が裾上げ線１９３からずれることはない。
【０４１２】
それから、図５２（ｂ）に示されるように、本体部分２０４を下方へ倒すとともに切り取り線２０５で切り離された部分２０４ａを山折り線２０４ｂで下へ折り返して、切り離された部分２０４ａの表側の両面テープの剥離紙を全て剥がし、垂線２０４ｃが脇線１９２に合うように切り離された部分２０４ａを紳士用ズボンの裏側に貼り付ける。後は、裾上げ紙２０１の場合と同様にヘム長さを決めて相当する目盛り線２０６に沿って紳士用ズボンの裾を切り落とし、裾上げ線１９３から折り返してアイロンでしっかり折り目を付け、裾上げ紙２１１を取り外して折り目を両手で持って反転させ、裾上げテープで仕上げれば良い。
【０４１３】
このようにして、本実施の形態１８の第１の変形例にかかる裾上げ紙２１１は、紳士用ズボンの裾長さを着用する人に合わせて極めて短時間で調節することができる。
【０４１４】
次に、本実施の形態１８の第２の変形例にかかる裾上げ紙２１２について、図５３を参照して説明する。図５３（ａ）に示されるように、第２の変形例にかかる裾上げ紙２１２の基本的な構成は上述した裾上げ紙２０１と同様である。異なるのは、切り取り線２０５が本体部分２０４と第２の接着部分２０３との境界線に沿って設けられている点である。これによって、切り取り線２０５で囲まれた部分２０４ａの縦方向長さは５ｃｍとなり、裾上げ紙２０１より１ｃｍ長くなる。
【０４１５】
さらに、切り取り線２０５で囲まれた部分２０４ａの４本の目盛り線２０６と垂直に１ｃｍ間隔で複数の横方向目盛り線２０７が引かれている。これらの横方向目盛り線２０７は、裾上げ線を決めるときに物差しとして使えるものであり、上記他の裾上げ紙１８０，１９５，２００，２０１，２１１にも付けることができる。また、目盛り線２０６と同じ色で引いても良いが、異なる色（例えば、黒色と赤色、青色と赤色等）で引いた方が一層読み取り易い。以下、図５３（ｂ），（ｃ）においては、これらの横方向目盛り線２０７は図示省略する。
【０４１６】
また、これらの横方向目盛り線２０７と平行に、本体部分２０４の中央に第１の接着部分２０２の表側、本体部分２０４の表側、第２の接着部分２０３の表側に亘って１本の垂線２０４ｃが引かれている。
【０４１７】
この裾上げ紙２１２を用いるときは、まず切り取り線２０５を全て切り離しておき、図５３（ｂ）に示されるように、顧客の試着または顧客の股下寸法からの算出によって決定した裾上げ線１９３に、本体部分２０４と第１の接着部分２０２との境界線を合わせるとともに垂線２０４ｃを紳士用ズボンの裏側の脇線１９２に合わせて、第１の接着部分２０２の裏側の両面テープの剥離紙を剥がして第１の接着部分２０２を紳士用ズボンの裏側に貼り付ける。
【０４１８】
続いて、第２の接着部分２０３の裏側の両面テープの剥離紙を剥がして、第２の接着部分２０３を第１の接着部分２０２に密着させて紳士用ズボンの裏側に貼り付ける。次に、紳士用ズボンを完全に裏返しにするが、このとき裾上げ紙２１２は第１の接着部分２０２及び第２の接着部分２０３によってしっかり貼り付けられているので、本体部分２０４と第１の接着部分２０２との境界線が裾上げ線１９３からずれることはない。
【０４１９】
それから、図５３（ｃ）に示されるように、本体部分２０４を下方へ倒すとともに切り取り線２０５で切り離された部分２０４ａを下へ伸ばして、切り離された部分２０４ａの裏側の両面テープの剥離紙を全て剥がし、垂線２０４ｃが脇線１９２に合うように切り離された部分２０４ａを紳士用ズボンの裏側に貼り付ける。後は、裾上げ紙２０１の場合と同様にヘム長さを決めて相当する目盛り線２０６に沿って紳士用ズボンの裾を切り落とし、裾上げ線１９３から折り返してアイロンでしっかり折り目を付け、裾上げ紙２１２を取り外して折り目を両手で持って反転させ、裾上げテープで仕上げれば良い。
【０４２０】
このようにして、本実施の形態１８の第２の変形例にかかる裾上げ紙２１２は、紳士用ズボンの裾長さを着用する人に合わせて極めて短時間で調節することができる。
【０４２１】
次に、本実施の形態１８の第３の変形例にかかる裾上げ紙２１５について、図５４を参照して説明する。図５４（ａ）に示されるように、第３の変形例にかかる裾上げ紙２１５の基本的な構成は上述した裾上げ紙２１２と同様である。異なるのは、切り取り線２０５が本体部分２０４の手前側（第２の接着部分２０３側）だけではなく、向こう側（第１の接着部分２０２側）にも設けられている点である。そして、手前側の切り取り線２０５は本体部分２０４と第２の接着部分２０３との境界線に沿って設けられており、同様に向こう側の切り取り線２０５は本体部分２０４と第１の接着部分２０２との境界線に沿って設けられている。
【０４２２】
さらに、これに伴って切り取り線２０５に囲まれた部分２０４ａの手前側の表側と向こう側の裏側には、幅方向に沿って１ｃｍ間隔で平行に複数の目盛り線２０６が引かれ、切り取り線２０５に囲まれた部分２０４ａの手前側の裏側と向こう側の表側には、横方向に間隔をおいて縦方向に図示しない両面テープが貼り付けられている。
【０４２３】
また、複数の目盛り線２０６と垂直に本体部分２０４の中央に第１の接着部分２０２の表側、本体部分２０４の表側及び裏側、第２の接着部分２０３の表側に亘って１本の垂線２０４ｃが引かれている。
【０４２４】
これによって、本実施の形態１８の第３の変形例にかかる裾上げ紙２１１は、手前側を切り取っても使えるし、向こう側を切り取っても使えるように構成されている。手前側を切り取って使う場合には、図５４（ｂ）に示されるように、手前側の３辺の切り取り線２０５を全て切り離しておいて、顧客の試着または顧客の股下寸法からの算出によって決定した裾上げ線１９３に、本体部分２０４と第１の接着部分２０２との境界線を合わせるとともに垂線２０４ｃを紳士用ズボンの裏側の脇線１９２に合わせて、第１の接着部分２０２の裏側の両面テープの剥離紙を剥がして第１の接着部分２０２を紳士用ズボンの裏側に貼り付ける。
【０４２５】
続いて、第２の接着部分２０３の裏側の両面テープの剥離紙を剥がして、第２の接着部分２０３を第１の接着部分２０２に密着させて紳士用ズボンの裏側に貼り付ける。次に、紳士用ズボンを完全に裏返しにするが、このとき裾上げ紙２１５は第１の接着部分２０２及び第２の接着部分２０３によってしっかり貼り付けられているので、本体部分２０４と第１の接着部分２０２との境界線が裾上げ線１９３からずれることはない。
【０４２６】
それから、図５４（ｃ）に示されるように、本体部分２０４を下方へ倒すとともに切り取り線２０５で切り離された部分２０４ａを下へ伸ばして、切り離された部分２０４ａの裏側の両面テープの剥離紙を全て剥がし、垂線２０４ｃが脇線１９２に合うように切り離された部分２０４ａを紳士用ズボンの裏側に貼り付ける。後は、裾上げ紙２０１の場合と同様にヘム長さを決めて相当する目盛り線２０６に沿って紳士用ズボンの裾を切り落とし、裾上げ線１９３から折り返してアイロンでしっかり折り目を付け、裾上げ紙２１１を取り外して折り目を両手で持って反転させ、裾上げテープで仕上げれば良い。
【０４２７】
また、向こう側を切り取って使う場合には、向こう側の３辺の切り取り線２０５を全て切り離しておいて、後は手前側を切り取って使う場合と同様に行い、図５４（ｄ）に示されるように本体部分２０４を下方へ倒すとともに切り取り線２０５で切り離された部分２０４ａを山折り線２０４ｂで下へ折り返して、切り離された部分２０４ａの表側の両面テープの剥離紙を全て剥がし、垂線２０４ｃが脇線１９２に合うように切り離された部分２０４ａを紳士用ズボンの裏側に貼り付ける。後は、手前側を切り取って使う場合と同様に処理すれば良い。
【０４２８】
このようにして、本実施の形態１８の第３の変形例にかかる裾上げ紙２１５は、紳士用ズボンの裾長さを着用する人に合わせて極めて短時間で調節することができる。
【０４２９】
実施の形態１９
次に、本発明の実施の形態１９について、図５５乃至図５７を参照して説明する。図５５（ａ）は本発明の実施の形態１９にかかる裾上げ具を構成する支持体を示す斜視図、（ｂ）は裾上げ具全体の構成を示す図である。図５６（ａ）〜（ｅ）は本発明の実施の形態１９の裾上げ具を構成するストッパーテープの様々な変形例を示す図である。図５７（ａ）〜（ｅ）は本発明の実施の形態１９の裾上げ具を構成するストッパーテープの別の変形例を示す図である。
【０４３０】
図５５に示されるように、本実施の形態１９にかかる裾上げ具２２０は、１個の支持体２２１と複数本のストッパーテープ２３０によって構成されている。図５５（ａ）に示されるように、支持体２２１は、幅が紳士用ズボン等の衣服の裾幅に近く、幅方向に沿って２つに山折りに折られた支持部分２２２と、支持部分２２２の一方に接続して同じ幅で設けられた第１の接着部分２２３と、支持部分２２２の他方に接続して同じ幅で設けられた第２の接着部分２２４とを有している。そして、第１の接着部分２２３の裏側及び第２の接着部分２２４の裏側の全面に図示しない両面テープが貼り付けられるとともに、第１の接着部分２２３及び第２の接着部分２２４の幅方向の中央部分にそれぞれ突出部分２２６が設けられている。
【０４３１】
この突出部分２２６には、幅方向に垂直に垂線２２７が引かれており、さらに支持部分２２２の下方には、ストッパーテープ２３０を通すための貫通孔２２５が複数穿設されている。ストッパーテープ２３０はやや厚手の紙で作られた細長いテープで、１ｃｍ間隔で目盛り線２３１が引かれており、裏側には全長に亘って図示しない両面テープが貼り付けられている。
【０４３２】
かかる構成を有する裾上げ具２２０は、衣服としての紳士用ズボン１９０の表側・裏側どちらに貼り付けてもスムーズに裾上げを行うことができる。図５５（ｂ）に示されるように、紳士用ズボン１９０の表側に貼り付けるときは、顧客の試着または顧客の股下寸法からの算出によって決定した裾上げ線１９３に、支持体２２１の第１の接着部分２２３と支持部分２２２との境界線を沿わせるとともに垂線２２７を紳士用ズボン１９０の表側の脇線１９２（または股下線）に合わせて、第１の接着部分２２３及び第２の接着部分２２４の裏側の両面テープの剥離紙を剥がして第１の接着部分２２３及び第２の接着部分２２４を密着させて紳士用ズボン１９０の表側に貼り付ける。
【０４３３】
続いて、３本のストッパーテープ２３０を３箇所の貫通孔２２５に通して、下端が仮の裾線の近傍にくるように調節し、３本のストッパーテープ２３０の裏側の両面テープの剥離紙を剥がして、支持体２２１を跨ぐ上端部分と下端部分を紳士用ズボン１９０の表側に貼り付ける。そして、ヘム長さを決めてヘム長さに相当する３本のストッパーテープ２３０の目盛り線２３１を目安にして、紳士用ズボン１９０の裾を切り落とす。次に、３本のストッパーテープ２３０を両面テープを剥がすことによって全て取り外し、裾上げ線１９３から支持体２２１とともに紳士用ズボン１９０の裾を折り返してアイロンで裾上げ線の折り目をしっかり付ける。
【０４３４】
それから、紳士用ズボン１９０の裾を元に戻して、支持体２２１の支持部分２２２を摘んで持ち上げると、折り返した部分（ヘム部分）が折り目から紳士用ズボン１９０の裾の中に入って行く。後は、支持体２２１を取り外してアイロンで裾上げ線１９３の折り目をしっかり付けてから、切断によってできた新しい裾線を裾上げテープを用いて紳士用ズボン１９０の裏側に熱接着すれば、片足の裾上げは完了である。
【０４３５】
一方、衣服の裏側に貼り付けるときは、顧客の試着または顧客の股下寸法からの算出によって決定した裾上げ線１９３に、支持体２２１の第１の接着部分２２３と支持部分２２２との境界線を沿わせるとともに垂線２２７を紳士用ズボン１９０の裏側の脇線１９２（または股下線）に合わせて、第１の接着部分２２３及び第２の接着部分２２４の裏側の両面テープの剥離紙を剥がして第１の接着部分２２３及び第２の接着部分２２４を密着させて紳士用ズボン１９０の裏側に貼り付ける。それから、紳士用ズボン１９０を完全に裏返すが、支持体２２１は第１の接着部分２２３及び第２の接着部分２２４によってしっかり貼り付いているので、第１の接着部分２２３と支持部分２２２との境界線が裾上げ線１９３からずれることはない。
【０４３６】
続いて、３本のストッパーテープ２３０を３箇所の貫通孔２２５に通して、下端が仮の裾線の近傍にくるように調節して裏側の両面テープの剥離紙を剥がして、支持体２２１を跨ぐ上端部分と下端部分を紳士用ズボン１９０の裏側に貼り付ける。そして、ヘム長さを決めてヘム長さに相当する３本のストッパーテープ２３０の目盛り線２３１を目安にして、紳士用ズボン１９０の裾を切り落とす。次に、３本のストッパーテープ２３０を両面テープを剥がすことによって全て取り外し、裾上げ線１９３から支持体２２１とともに紳士用ズボン１９０の裾を折り返してアイロンで裾上げ線１９３の折り目をしっかり付ける。
【０４３７】
それから、紳士用ズボン１９０の裾を元に戻して、紳士用ズボン１９０の裾の中に両手を入れて対向する位置の裾上げ線１９３の折り目を摘んで広げるように引張ると折り返した部分（ヘム部分）が折り目から綺麗に反転する。後は、支持体２２１を取り外してアイロンで裾上げ線１９３の折り目をしっかり付けてから、切断によってできた新しい裾線を裾上げテープを用いて紳士用ズボン１９０の裏側に熱接着すれば、片足の裾上げは完了である。
【０４３８】
紳士用ズボン１９０の片足の裾上げが完了してもう一方の足の裾上げを行う際には、表側に取付ける場合も裏側に取付ける場合も、両足を揃えることによって裾上げ線１９３の位置を確認し、もう一方の足の裾上げ線１９３に沿って支持体２２１を貼り付けることになる。ここで、新しい支持体２２１及び新しいストッパーテープ２３０を貼り付けても良いが、片足の裾上げに用いて剥がした使用済みの支持体２２１及びストッパーテープ２３０を再度用いることもできる。アパレル用の両面テープは剥がし易いだけでなく、一度の貼り付けでは粘着力を失わず３〜４回の貼り替えでも十分な粘着力を有しているので、再使用が可能である。但し、ストッパーテープ２３０はヘム長さに合わせて切断されているので、再使用における切断はストッパーテープ２３０の切断線に沿って生地だけを切ることになる。
【０４３９】
このようにして、本実施の形態１９にかかる裾上げ具２２０は、衣服としての紳士用ズボン１９０の裾長さを着用する人に合わせて極めて短時間で調節することができる。具体的には、慣れた店員であれば片足５分程度即ち両足で１０分程度で完了するので、顧客を長時間待たせることなくその場で購入した紳士用ズボン１９０を持って帰ってもらうことができる。
【０４４０】
次に、本実施の形態１９にかかる裾上げ具２２０に用いられるストッパーテープ２３０の様々な変形例について、図５６を参照して説明する。図５６（ａ）〜（ｄ）に示されるストッパーテープ２３０Ａ，２３０Ｂ，２３０Ｃ，２３０Ｄは、裾上げ具２２０に用いられるストッパーテープ２３０の様々な変形例を示したもので、図５６（ｅ）に示されるストッパーテープ２３０Ｅは、図５５（ｂ）で説明したストッパーテープ２３０と同じものであり、これらは皆やや厚手の紙で作られている。
【０４４１】
図５６（ａ）に示されるストッパーテープ２３０Ａは、上端から１ｃｍ間隔で細長い貫通孔２３２を設けたもので、このストッパーテープ２３０Ａが差し込まれる支持体２２１の貫通孔２２５内に突起を設けることによって、これらの細長い貫通孔２３２に嵌合して１ｃｍごとに縦方向の位置決めができる。図５６（ｂ）に示されるストッパーテープ２３０Ｂは、上端から１ｃｍ間隔で外に膨らんだ襞（ひだ）２３３を設けたもので、支持体２２１の貫通孔２２５の幅をこの襞２３３を合わせた幅よりもやや細めにしておくことによって、１ｃｍごとに外に膨らんだ襞２３３と襞２３３の間の隙間２３３ａに嵌合して縦方向の位置決めができる。
【０４４２】
図５６（ｃ）に示されるストッパーテープ２３０Ｃは、上端から１ｃｍ間隔で細い凸部２３４を両側に設けたもので、１ｃｍごとにこれらの凸部２３４が支持体２２１の貫通孔２２５に当って縦方向の位置決めができる。図５６（ｄ）に示されるストッパーテープ２３０Ｄは、上端から１ｃｍ間隔で細い凹部２３５を両側に設けたもので、支持体２２１の貫通孔２２５の幅をこの凹部２３５から凹部２３５までの幅にしておくことによって、１ｃｍごとにこれらの凹部２３５に支持体２２１の貫通孔２２５が嵌合して縦方向の位置決めができる。
【０４４３】
そして、これらの細長い貫通孔２３２，隙間２３３ａ，凸部２３４，凹部２３５は、図５６（ｅ）に示されるストッパーテープ２３０Ｅの目盛り線２３１と同じく、本実施の形態１９にかかる裾上げ具２２０を用いる場合に、ヘム長さを決めて紳士用ズボン１９０の裾を切り落とすときの目印になる。
【０４４４】
次に、本実施の形態１９にかかる裾上げ具２２０に用いられるストッパーテープのさらなる変形例について、図５７を参照して説明する。図５７（ａ）〜（ｃ）に示されるストッパーテープ２３６Ａ，２３６Ｂ，２３６Ｃは、支持体２２１の貫通孔２２５が左右両端近くに２つ以上ある場合にその左右両端近くの貫通孔２２５に差し込んで用いるものである。また、図５７（ｄ），（ｅ）に示されるストッパーテープ２３６Ｄ，２３６Ｅは、支持体２２１の少なくとも中央近傍に貫通孔２２５が設けられている場合に用いられるものである。
【０４４５】
図５７（ａ）に示されるストッパーテープ２３６Ａは、２本の細長いストッパーテープ２３０が下方で繋がった形状をしており、その繋がった部分２３７にも１ｃｍ刻みで目盛り線２３１が引かれ、さらに繋がった部分２３７の裏側にも横方向に間隔をおいて縦方向に図示しない複数本の両面テープが貼られている。これによって、ヘム長さを決めて紳士用ズボン１９０の裾を切り落とす際の目盛り線２３１が連続した長いものになり、この目盛り線２３１に沿って切ることによって容易に真っ直ぐに切ることができる。さらに、繋がった部分２３７の裏側の両面テープの剥離紙を剥がして紳士用ズボン１９０の裾に貼り付けることによって、生地がぴんと張るため、より真っ直ぐに切り易くなる。
【０４４６】
図５７（ｂ）に示されるストッパーテープ２３６Ｂも、２本の細長いストッパーテープ２３０が下方で繋がった形状をしているが、繋がった部分２３７が２ｃｍの高さしかないので、この２ｃｍの間に引かれた目盛り線２３１で紳士用ズボン１９０の裾を切り落とすためには、２本の細長いストッパーテープ部分を支持体２２１の貫通孔２２５に差し込んで裏側の両面テープで止める位置を調節しなければならない。なお、このストッパーテープ２３６Ｂの繋がった部分２３７の裏側には全面に亘って両面テープが貼り付けられている。
【０４４７】
図５７（ｃ）に示されるストッパーテープ２３６Ｃも、２本の細長いストッパーテープ２３０が下方で繋がった形状をしているが、繋がった部分２３７が１ｃｍの高さしかないので繋がった部分２３７で切り落とすことはできず、この繋がった部分２３７の下端に沿って紳士用ズボン１９０の裾のみを切り落とすことになる。なお、このストッパーテープ２３６Ｃの繋がった部分２３７の裏側にも全面に亘って両面テープが貼り付けられている。
【０４４８】
図５７（ｄ）に示されるストッパーテープ２３６Ｄは、支持体２２１の中央近傍の貫通孔２２５に差し込まれた１本の細長いストッパーテープ部分が下端で広がって幅広の部分２３８が形成されているが、幅広の部分２３８の高さが２ｃｍしかないのでこの２ｃｍの間に引かれた目盛り線２３１で紳士用ズボン１９０の裾を切り落とすためには、１本の細長いストッパーテープ部分を支持体２２１の貫通孔２２５に差し込んで裏側の両面テープで止める位置を調節しなければならない。なお、このストッパーテープ２３６Ｄの繋がった部分２３７の裏側にも全面に亘って両面テープが貼り付けられている。
【０４４９】
図５７（ｅ）に示されるストッパーテープ２３６Ｅも、支持体２２１の中央近傍の貫通孔２２５に差し込まれた１本の細長いストッパーテープ部分が下端で広がって幅広の部分２３８が形成されている。その幅広の部分２３８にも１ｃｍ刻みで目盛り線２３１が引かれ、さらに幅広の部分２３８の裏側にも横方向に間隔をおいて縦方向に図示しない複数本の両面テープが貼られている。これによって、ヘム長さを決めて紳士用ズボン１９０の裾を切り落とす際の目盛り線２３１が連続した長いものになり、この目盛り線２３１に沿って切ることによって容易に真っ直ぐに切ることができる。さらに、幅広の部分２３８の裏側の両面テープの剥離紙を剥がして紳士用ズボン１９０の裾に貼り付けることによって、生地がぴんと張るため、より真っ直ぐに切り易くなる。
【０４５０】
上記各実施の形態においては、本発明の裾上げ具及び裾上げ機能付き衣服を紳士用ズボンに適用した場合について説明したが、本発明の裾上げ具及び裾上げ機能付き衣服は紳士用ズボンに限らず、種々の衣服に適用できるものであり、婦人用ズボン（パンツ）、綿パン、学生服、子供服等にも適用することができ、種々の衣服の裾上げに用いることができるものである。
【０４５１】
裾上げ具及び裾上げ機能付き衣服の構造、形状、数量、材料、大きさ、接続関係等についても、上記各実施の形態に限定されるものではない。
【０４５２】
【発明の効果】
以上説明したように、請求項１の発明にかかる裾上げ具は、紙またはそれに類似のある程度弾力性があってしかも折り曲げたときには素直に折り曲げることができる適度なしなやかさを兼ね備えた材料からなり、衣服の裾の幅に近い幅を有する細長い長方形で一定間隔で前記長方形の底辺に平行に目盛り線が付けられた目盛り部分と、前記目盛り部分を横に３分割した中央の長方形の上に設けられた前記中央の長方形と同形の長方形で、前記中央の長方形との境界部分から半分の高さまでに亘って前記目盛り線に平行に前記一定間隔の半分の間隔でミシン目または折り曲げ溝が付けられている本体部分と、前記本体部分の上に設けられた前記本体部分と同じ幅で高さが低い接着部分と、前記中央の長方形の下に設けられた前記中央の長方形と同じ幅で高さが低い下部接着部分とを有し、前記本体部分及び前記中央の長方形には幅方向の中央に前記ミシン目または前記折り曲げ溝及び前記目盛り線に垂直に１本の垂線が引かれ、前記接着部分には表側または裏側の一部または全面に両面テープが貼られ、前記目盛り部分には裏側に縦方向に間隔をおいてまたは横方向に間隔をおいて或いは全面に両面テープが貼られ、前記下部接着部分には裏側の一部または全面に両面テープが貼られ、前記両面テープの剥離紙を付けたまま前記目盛り部分の左右の長方形が前記中央の長方形との境界線で折られてそれぞれ前記中央の長方形に重ねられるように折り畳まれ、折り畳まれた前記目盛り部分がさらに前記本体部分との境界線で折られて前記本体部分に重ねられるように折り畳まれ、折り畳まれた前記本体部分及び前記中央の長方形には外側にも幅方向の中央に１本の垂線が引かれているものである。
【０４５３】
かかる裾上げ具を用いて衣服の裾上げを行うには、顧客に衣服を試着してもらって好みの部分で裾を折り返してもらい、また自分の股下寸法を覚えている顧客の場合は衣服の仮の股下長さから算出して裾を折り返して裾上げ線を決め、この裾上げ線に沿って裾上げ具の接着部分を表側または裏側の両面テープの剥離紙を剥がして貼り付ける。表側を貼り付ける場合は本体部分と接着部分の境界線を裾上げ線に合わせて、裏側を貼り付ける場合は接着部分を本体部分との境界線で折り返して、その折り返し線を裾上げ線の下側に合わせて貼り付ける。このとき、折り畳まれた中央の長方形の外側中央に引かれた１本の垂線を衣服の脇線（または股下線）に合わせる。
【０４５４】
次に、衣服を完全に裏返しにしてから、裾上げ具を折り畳んだときと逆の順番で本体部分及び目盛り部分を広げて、下部接着部分及び目盛り部分の裏側の両面テープの剥離紙を全て剥がして、まず本体部分及び目盛り部分がぴんと張った状態で下部接着部分を本体部分及び目盛り部分に引かれた１本の垂線が衣服の脇線（または股下線）に合うように貼り付ける。続いて、目盛り部分を垂線から外側へ伸ばすように押えながら貼り付ける。そして、ヘム長さを決めてそのヘム長さに相当する目盛り線に沿って、目盛り部分を衣服の裾と一緒に切り落とすが、張りのある目盛り部分とともに切るため衣服を容易に真っ直ぐに切ることができる。
【０４５５】
次に、切った目盛り線に対応する本体部分のミシン目または折り曲げ溝で残った裾上げ具と衣服の裾を折り返すと、切り落とした部分が本体部分の上端即ち裾上げ線に一致して、裾上げ線でさらに上に折り返すときの支持が強力になる。裾上げ線でさらに上に折り返したら、アイロンを掛けて裾上げ線の折り目をしっかり付ける。そして、裾上げ具を両面テープを剥がすことによって取り外し、裾を広げて脇線側と股下線側の裾上げ線の折り目を両手で摘んで広げるように引っ張ると、裾上げ線から切り落として新しくできた裾線までの部分が全周に亘って綺麗に裏返る。後は、新しくできた裾線を全周に亘って衣服の裏側に裾上げテープで熱接着して止めれば、片足の裾上げは完成である。
【０４５６】
なお、熟練者は目盛り線に沿って切り落とした後、ヘム長さに対応する本体部分のミシン目または折り曲げ溝で谷折りする工程を省略して、本体部分の上端の線のみを目安にして裾上げ線に合わせて衣服の裾を折り返しても良い。このように、熟練者になると幅の広い目盛り部分を目安にしなくても、本体部分の上端の線のみを目安にして脇線に垂直に裾上げ線に合わせて折り返すことができ、工程の短縮になる。
【０４５７】
従来の裾上げ工程においては、裾を全周に亘って綺麗に折り返すのに手間取って、様々な工夫がなされてきたが、本発明においては裾上げ具を用いることによって裾上げ線に合わせて衣服を折り返してアイロンで折り目を付け、裾の中に両手を入れて裾上げ線の折り目の対向する位置をそれぞれ摘んで引張るだけで、裾上げ線から裾線までの生地が綺麗に反転する。このように、本発明においては、衣服の裾を片側に折って折り目を付けるだけで衣服の裾の全周を一瞬にして綺麗に折り返すことができ、画期的な裾上げ方法となる。
【０４５８】
なお、衣服の片足の裾上げが完了してもう一方の足の裾上げを行う際には、両足を揃えることによって裾上げ線の位置を確認し、もう一方の足の裾を裏返して裾上げ線に沿って裾上げ具を貼り付けることになる。ここで、新しい裾上げ具を貼り付けても良いが、片足の裾上げに用いて剥がした使用済みの裾上げ具を貼り付けることもできる。アパレル用の両面テープは剥がし易いだけでなく、一度の貼り付けでは粘着力を失わず３〜４回の貼り替えでも十分な粘着力を有しているので、再使用が可能である。但し、目盛り部分がヘム長さに合わせて切断されているので、再使用における切断は目盛り部分の切断線に沿って生地だけを切ることになる。
【０４５９】
以上説明したように、本発明にかかる裾上げ具は、衣服の裾長さを着用する人に合わせて極めて短時間で調節することができる。具体的には、慣れた店員であれば片足５分程度即ち両足で１０分程度で完了するので、顧客を長時間待たせることなくその場で購入した紳士用ズボン等の衣服を持って帰ってもらうことができる。
【０４６０】
請求項２の発明にかかる裾上げ具は、請求項１の構成において、前記接着部分の表裏両面に両面テープが貼り付けられ、前記下部接着部分が設けられていないものである。
【０４６１】
このように、接着部分の表裏両面に両面テープを貼り付けたのは、折り畳まれた裾上げ具を衣服の裏側の裾上げ線に貼り付けるときに、裾上げ線の上側から接着部分を止めても、裾上げ線の下側から接着部分を止めても、同じように裾上げができるようにするためである。
【０４６２】
これによって、未だ不慣れな店員でも、顧客が試着をしたり顧客の覚えている股下寸法から算出したりして決定した裾上げ線のどちら側から裾上げ具を貼り付けるか迷うことなく、裾上げ線の上側からでも下側からでも貼り付けることができる。
【０４６３】
請求項３の発明にかかる裾上げ具は、請求項１の構成において、前記接着部分に前記接着部分とほぼ同じ大きさの第２の接着部分を糊代に接着剤を付けて前記接着部分と二股を成すように接着し、前記第２の接着部分の前記接着部分側に両面テープが貼り付けられているものである。
【０４６４】
この裾上げ具を使用するときは、顧客が衣服を試着して裾を裏返して決めた裾上げ線、または顧客の股下寸法から算出して裾を裏返して決めた裾上げ線を脇線（または股下線）を中心にして、接着部分と第２の接着部分の両面テープの剥離紙を剥がして、接着部分と第２の接着部分を表裏から貼り付けることによって挟み込んで止める。以後の裾上げ工程は、請求項１にかかる発明の場合と同様であり、まず衣服の全体を完全に裏返してから裾上げを行う。
【０４６５】
ここで、請求項１にかかる発明の場合のように接着部分のみで裾上げ線に沿って衣服の裏側に貼り付けると、衣服の全体を完全に裏返す段階で裾上げ線からずれたり剥がれたりする危険性が皆無ではない。そこで、本発明においては、上述の如く接着部分と第２の接着部分で裾上げ線を挟み込んで止めることによって、より確実に裾上げ具を裾上げ線からずれないように衣服に取付けることができる。
【０４６６】
請求項４の発明にかかる裾上げ具は、請求項１の構成において、前記下部接着部分の表側にも前記両面テープが貼られているものである。
【０４６７】
この裾上げ具を使用するときは、顧客が衣服を試着して裾を裏返して決めた裾上げ線、または顧客の股下寸法から算出して裾を裏返して決めた裾上げ線を脇線（または股下線）を中心にして、接着部分と下部接着部分の表側の両面テープの剥離紙を剥がして、接着部分と下部接着部分の表側を表裏から貼り付けることによって挟み込んで止める。
【０４６８】
そして、まず衣服の全体を完全に裏返して、下部接着部分の表側の両面テープを剥がして衣服から一旦取り外してから下部接着部分の裏側の両面テープの剥離紙を剥がして、裾上げ具を縦に広げて下部接着部分の裏側を衣服の脇線（または股下線）に内側の垂線が一致するように貼り付ける。以後の裾上げ工程は、請求項１にかかる発明の場合と同様である。このように、本発明においても、上述の如く接着部分と下部接着部分で裾上げ線を挟み込んで止めることによって、より確実に裾上げ具を裾上げ線からずれないように衣服に取付けることができる。
【０４６９】
請求項５の発明にかかる裾上げ具は、請求項１の構成において、前記接着部分の上に前記接着部分との境界線を底辺とする二等辺三角形が設けられ、またはさらに前記下部接着部分の下に前記下部接着部分との境界線を底辺とする二等辺三角形が設けられ、前記接着部分、前記下部接着部分及び前記二等辺三角形部分には裏側の一部または全面に両面テープが貼られているものである。
【０４７０】
この裾上げ具を使用するときは、顧客が衣服を試着して裾を裏返して決めた裾上げ線、または顧客の股下寸法から算出して裾を裏返して決めた裾上げ線を、脇線（または股下線）を中心にして、接着部分，または接着部分と下部接着部分，二等辺三角形の表側の両面テープの剥離紙を剥がして、接着部分，または接着部分と下部接着部分及び二等辺三角形の表側を表側に貼り付けて止め、または表裏から貼り付けることによって挟み込んで止める。このとき、外側の垂線が脇線（または股下線）に一致し、かつ二等辺三角形の頂点が脇線（または股下線）上にくるように貼り付けることによって、裾上げ具の取付けの直角平行度がより高くなる。
【０４７１】
請求項６の発明にかかる裾上げ具は、請求項１の構成において、前記接着部分を前記本体部分との境界線を底辺とする二等辺三角形とし、またはさらに前記下部接着部分を前記中央の長方形との境界線を底辺とする二等辺三角形とし、前記二等辺三角形部分には裏側の一部または全面に両面テープが貼られているものである。
【０４７２】
この裾上げ具を使用するときは、顧客が衣服を試着して裾を裏返して決めた裾上げ線、または顧客の股下寸法から算出して裾を裏返して決めた裾上げ線を、脇線（または股下線）を中心にして、接着部分の二等辺三角形，または接着部分と下部接着部分の二等辺三角形の表側の両面テープの剥離紙を剥がして、接着部分，または接着部分と下部接着部分の二等辺三角形の表側を表側に貼り付けて止め、または表裏から貼り付けることによって挟み込んで止める。このとき、外側の垂線が脇線（または股下線）に一致し、かつ二等辺三角形の頂点が脇線（または股下線）上にくるように貼り付けることによって、裾上げ具の取付けの直角平行度がより高くなる。
【０４７３】
請求項７の発明にかかる裾上げ具は、請求項１乃至請求項６のいずれか１つの構成において、前記目盛り部分の左右に前記目盛り部分の左右の長方形と高さが同じで幅が約１．５倍の長方形からなる延長部分をそれぞれ接続し、前記延長部分の裏側にも縦方向に間隔をおいてまたは横方向に間隔をおいて或いは全面に両面テープが貼られ、前記延長部分はまず前記幅が約１．５倍の長方形の約３分の１の幅の位置で折り畳まれ、続いて前記左右の長方形との境界線で折り畳まれ、これらの折り畳まれた部分が前記中央の長方形に重ねられるようにそれぞれ折り畳まれ、さらに前記本体部分に重ねられるように折り畳まれているものである。
【０４７４】
本発明の裾上げ具は、請求項１の発明にかかる裾上げ具の目盛り部分を２倍の幅に延長した構成を有している。即ち、左側の長方形の左にさらに同じ幅の長方形と半分の幅の長方形を接続し、右側の長方形の右にさらに同じ幅の長方形と半分の幅の長方形を接続している。そして、これらの長方形の裏側にも両面テープが貼り付けられている。その他の部分の構成は、請求項１の発明にかかる裾上げ具と同様である。
【０４７５】
この裾上げ具を使用するときは、前述の如く小さく折り畳んだ状態で、顧客が衣服を試着して裾を裏返して決めた裾上げ線、または顧客の股下寸法から算出して裾を裏返して決めた裾上げ線に沿って、脇線（または股下線）を中心にして、接着部分の表側の両面テープの剥離紙を剥がして貼り付ける。このとき、外側の垂線が脇線（または股下線）に一致するようにする。
【０４７６】
そして、まず衣服の全体を完全に裏返して、接着部分と本体部分の境界線で山折りにしてから裾上げ具を広げて、始めに目盛り部分の長方形の裏側の両面テープの剥離紙を剥がして、衣服の裏側の手前側に中央の垂線から両側へ引張るように押えながら貼り付ける。続いて、両側の延長部分の長方形との境界線でそれぞれ山折りにして、両側の延長部分の長方形を衣服の向こう側へ回し、両面テープの剥離紙を剥がして押えながら貼り付ける。すると、両側の延長部分の長方形の先端が丁度ぴったり合わさって、目盛り部分で衣服を挟み付けたような状態になる。
【０４７７】
これによって、ヘム長さを決定して目盛り部分の長方形に引かれた目盛り線に沿って裾を切り落とすとき、両面に裾上げ具が貼り付けられているためより真っ直ぐに切り易く、向こう側の生地も確実に一直線に切り落とすことができる。以降の裾上げの手順は請求項１の発明にかかる裾上げ具と同様である。
【０４７８】
請求項８の発明にかかる裾上げ具は、請求項７の構成において、前記中央の長方形と前記本体部分との境界線に、前記折り畳まれた各部分の厚さとほぼ同じ広い幅の溝を設けたものである。
【０４７９】
これによって、折り畳んだときに分厚くなる裾上げ具の厚みがこの広い溝内に収められて、自然に広がろうとする力が弱くなって接着部分と下部接着部分を粘着テープで止めたときに中央が膨らむようなこともなく、薄い箱形に収まって見栄えも良くなる。
【０４８０】
請求項９の発明にかかる裾上げ具は、請求項１乃至請求項８のいずれか１つの構成において、前記接着部分が二等辺三角形である場合または前記接着部分の上に二等辺三角形部分が設けられている場合には、前記接着部分の左右及び前記本体部分の上端の左右に前記二等辺三角形と同程度の高さと前記接着部分と同程度の幅を有する上部延長部分を設けて、左右の前記上部延長部分と前記接着部分の境界線に前記接着部分の下端まで切れ目を入れて前記上部延長部分を左右とも前記接着部分の下端の延長線に沿って手前側に折り、それ以外の場合には前記接着部分の左右及び前記本体部分の上端の左右に前記接着部分の約２倍以上の高さと前記接着部分と同程度の幅を有する上部延長部分を設けて、前記接着部分と前記本体部分の境界線の延長線に沿って前記接着部分とともに折り曲げるか前記接着部分と前記左右の上部延長部分との境界線に切れ目を入れて前記左右の上部延長部分の前記切れ目を入れた部分までは前記接着部分と反対側に折り曲げるかするものである。
【０４８１】
これらの上部延長部分は、裾上げ具を用いて裾上げを行っていく過程で、ヘム長さを決めて余分な部分を切り落とした後、対応するミシン目または折り曲げ溝本体部分を折り曲げて切断部分を裾上げ線に合わせるときに、本体部分と接着部分の境界線の延長線で２つに折り曲げることによって裾上げ線に合わせ、衣服の裾を裾上げ線に沿って折り曲げるときの支持をさらに強力にするものである。
【０４８２】
請求項１０の発明にかかる裾上げ具は、請求項１乃至請求項９のいずれか１つの構成において、前記左右の長方形の上下に前記左右の長方形と同じ幅で高さが低い突出部分をそれぞれ設けたものである。
【０４８３】
請求項１乃至請求項９の発明にかかる裾上げ具においては、ヘム長さを本体部分と同じ高さまたはその２倍にしようとする場合には、左右部分においては左右の長方形の上端または下端に沿って生地だけを切らなければならず、裾上げ具と生地を一緒に切れるのは本体部分と中央の長方形との境界線または中央の長方形と下部接着部分の境界線のみであり、真っ直ぐに切ることが困難であった。
【０４８４】
しかし、この裾上げ具においては、突出部分を設けたことによって、ヘム長さを本体部分と同じ高さにしようとする場合には、左右部分において左右の長方形の上端と突出部分の境界線に沿って切れば良く、ヘム長さをその２倍にしようとする場合には、左右部分において左右の長方形の下端と突出部分の境界線に沿って切れば良いので、全幅に亘って裾上げ具と生地を一緒に切ることができる。これによって、生地を真っ直ぐに切ることが容易な裾上げ具となる。
【０４８５】
請求項１１の発明にかかる裾上げ具は、請求項１０の構成において、前記左右の長方形の上または下に設けた前記突出部分を前記接着部分または前記下部接着部分と一体にしたものである。
【０４８６】
この裾上げ具においては、突出部分を接着部分または前記下部接着部分と一体にしたことによって、切れ目がなく、生地を真っ直ぐに切ることがより容易な裾上げ具となる。なお、一体にした突出部分は、裾上げ具を折り畳むときには接着部分または下部接着部分と一体に折り畳めば良い。
【０４８７】
請求項１２の発明にかかる裾上げ具は、請求項１乃至請求項１１のいずれか１つの構成において、前記目盛り線の前記一定間隔を１ｃｍとし、筆記具で引いた目盛り線に加えてミシン目または溝を設けたものである。
【０４８８】
請求項１乃至請求項１１の構成においては、目盛り線の間隔は一定間隔として特に単位は定めていなかった。したがって、インチ単位でもフィート単位でもヤード単位でも寸単位でも、とにかくヘム長さが決まれば、目盛り線がどんな間隔で引かれていても裾上げを行うことができる。しかし、日本国内においては、メートル法にしたがってメートル単位を用いるのが一般的であるし、定規もメジャーもメートル単位で作られている。また、自分の股下寸法を覚えている人についてもセンチメートル単位で覚えている人が多い。さらに、出来上がりの衣服の裾長さも１ｃｍの誤差範囲内に入っていれば大多数の顧客は満足する。そこで、目盛り線の間隔を１ｃｍとすることによって、混乱することなくよりスムーズに裾上げ作業を行うことができる。
【０４８９】
請求項１３の発明にかかる裾上げ機能付き衣服は、請求項１乃至請求項１２のいずれか１つに記載の裾上げ具を衣服の裾近傍の裏側に前記接着部分の両面テープの剥離紙を剥がして仮止めしたものである。
【０４９０】
請求項１乃至請求項１２のいずれの裾上げ具も接着部分は必ず有しており、この接着部分は最初に両面テープの剥離紙を剥がして衣服の裾上げ線に沿って貼り付ける部分である。よって、最初から剥離紙が剥がされていても、裾上げの作業上何の支障もない。そこで、接着部分の両面テープを利用して衣服の裾近傍の裏側に貼り付けておくことによって、顧客が衣服を試着したり顧客の股下寸法から算出したりして裾を折り返して裾上げ線を決めたときに、裾近傍に貼り付いている裾上げ具を剥がして直ちに接着部分を裾上げ線に沿って貼り付け、裾上げ作業を開始することができる。
【０４９１】
このようにして、請求項１の発明にかかる裾上げ具の場合と同様にして、裾上げ線を決めると同時に裾上げを行うことができる裾上げ機能付き衣服となる。
【０４９２】
請求項１４の発明にかかる裾上げ具は、紙またはそれに類似のある程度弾力性があってしかも折り曲げたときには素直に折り曲げることができる適度なしなやかさを兼ね備えた材料からなり、長方形からなる中心部分と、該中心部分の左右に設けられた同じ高さの長方形と、前記中心部分の上に設けられた接着部分と、前記中心部分及び前記左右の長方形の下に亘って設けられた下部接合部分とを具備し、前記中心部分と前記接着部分の表側中央に垂線が引かれた本体と、前記下部接合部分とほぼ同じ幅を有し、高さ方向は空白部分、両面テープが全面に貼り付けられた接合部分、切断線が幅方向に平行に引かれた切断部分に区分された型紙とを有し、前記本体の前記接着部分と前記下部接合部分の裏側の一部または全面及び前記中心部分及び前記左右の長方形の裏側の上端を含む一部または全面に両面テープが貼り付けられ、前記下部接合部分を前記中心部分及び前記左右の長方形との境界線でほぼ直角に前記両面テープが上面にくるように折り曲げて、前記型紙の前記接合部分の前記両面テープの剥離紙を剥がして、前記本体の前記境界線（折り曲げ線）が前記型紙の前記接合部分と前記切断部分の境界線に一致するように前記下部接合部分を前記接合部分の前記両面テープに接着することによって前記本体と前記型紙を一体化させ、前記下部接合部分の上面の前記両面テープの剥離紙を剥がして、衣服の裾の一周分より長く切った裾上げテープを前記下部接合部分に沿って前記両面テープに貼り付け、前記下部接合部分から外側へはみ出した部分は折り返して粘着テープで止め、前記下部接合部分を完全に折り畳んで、前記切断部分を前記接合部分との境界線で前記接合部分の裏側へ回り込むように折り畳み、前記左右の長方形を前記中心部分の裏側に重なるように順に折り畳み、最後に前記接着部分を前記中心部分との境界線で前記中心部分の裏側に重なるように折り畳んで、前記接着部分の先端を前記中心部分の表側に届くまで粘着テープで止め、または前記接着部分の先端を三角の突起状として前記左右の長方形のうち上になった方に設けられた切り込みに前記接着部分の先端を差し込んで止めたものである。
【０４９３】
かかる構成の裾上げ具においては、衣服の裾上げ線が決まると同時にまず粘着テープを剥がし、または切り込みから接着部分の先端を抜き出して、次に接着部分の裏の両面テープの剥離紙を剥がして、裾上げ線に沿って衣服の接着部分を貼り付ける点は請求項１乃至請求項１２の裾上げ具に似ているが、異なるのは衣服の裏側ではなく表側の脇線または股下線を中心に貼り付ける点と、裾上げ具に予め仕上げ用の裾上げテープがセットされている点と、ヘム長さが裾上げ具の製造時点で決まってしまう点である。接着部分が衣服の表側に貼り付けられた裾上げ具は、折り畳まれた順序と逆の順序で広げられて中心部分及び左右の長方形の裏側に貼り付けられた両面テープの剥離紙が剥がされて、衣服の表側に貼り付けられる。
【０４９４】
そして、型紙の切断部分が広げられて、切断線において切断部分とともに衣服の裾が切り落とされて予め定められたヘム長さとなる。次に、中心部分及び左右の長方形の上端即ち裾上げ線に沿って、裾上げ具が内側になるように折り曲げられてアイロンで裾上げ線の折り目をしっかり付け、一旦元へ戻して裾上げ線の折り目から衣服の裾の全周を裾上げ具ごと衣服の中へ折り込む。この時点で、衣服の表側に出ているのは接着部分だけとなる。ここで、もう一度アイロンを掛けて裾上げ線の折り目をしっかり付けておく。
【０４９５】
続いて、衣服の裾を裏返して裾上げ具の型紙を折り返し、両面テープに貼り付けて折り込んでおいた裾上げテープが出るようにして、粘着テープを剥がして折り曲げた部分の裾上げテープを伸ばす。すると、切断によって新しくできた裾線が丁度両面テープに貼り付けた裾上げテープの中心に位置するので、型紙の上からアイロンを掛けてまず半周分の新しくできた裾線を裾上げテープで熱接着して衣服の裏側に固定する。次に、衣服をひっくり返して折り曲げられていた部分の裾上げテープを残り半周の新しくできた裾線に当てて、アイロンを掛けて熱接着して固定する。
【０４９６】
ここで、裾上げテープは上述したように衣服の裾一周分より長く切られているので、裾上げテープの重なる部分ができて、新しい裾線を全周に亘ってしっかり止めることができる。後は、不要になった裾上げ具を全ての両面テープを剥がすことによって取り外せば、衣服の片足の裾上げは完了する。
【０４９７】
なお、片足の裾上げが完了してもう一方の足の裾上げを行う際には、両足を揃えることによって裾上げ線の位置を確認し、裾上げ線に沿って裾上げ具を貼り付けることになる。ここで、新しい裾上げ具を貼り付けても良いが、片足の裾上げに用いて剥がした使用済みの裾上げ具を貼り付けることもできる。アパレル用の両面テープは剥がし易いだけでなく、一度の貼り付けでは粘着力を失わず３〜４回の貼り替えでも十分な粘着力を有しているので、再使用が可能である。但し、裾上げテープを補充しなければならず、また新しい切断部分が切断線において既に切断されているので、再使用における切断は切断線に沿って生地だけを切ることになる。
【０４９８】
このようにして、本発明にかかる裾上げ具においては、裾上げテープも予めセットされており、しかも裾上げテープの幅と取付け位置に合わせて切断線の位置を予め設定してあるため、切断線で衣服の裾を切断したときに新しくできる裾線が裾上げ線から折り返したときに裾上げテープの丁度中央に位置するので、そのままアイロンを掛けて熱接着すれば良く、より裾上げがやり易くなり時間も短縮される。このように、衣服の裾長さを着用する人に合わせてより短時間で調節することができ、購入した衣服をその場で持って帰ってもらうことができる。
【０４９９】
請求項１５の発明にかかる裾上げ具は、請求項１４の構成において、前記接着部分は前記中心部分の上端を底辺とする二等辺三角形または前記中心部分の上に設けられた高さの低い長方形の上に二等辺三角形が設けられた五角形であるものである。
【０５００】
これによって、裾上げ具の接着部分を衣服の脇線または股下線を中心に貼り付ける際に、二等辺三角形の頂点が脇線または股下線の上にくるように貼り付けることによって、裾上げ具の取付けの直角平行度がより高くなって、より精度の高い裾上げができるようになる。
【０５０１】
請求項１６の発明にかかる裾上げ具は、請求項１４または請求項１５の構成において、前記本体の前記下部接合部分の縦幅または前記型紙の前記空白部分と前記接合部分を合わせた縦幅が前記裾上げテープの幅と略一致するものである。
【０５０２】
これによって、裾上げテープを下部接合部分の両面テープに貼り付けて本体との間に挟み込むとき裾上げテープが幅方向に折れ曲がらず、平坦なまま収容されるので、裾上げの仕上げ段階でアイロンを掛けて裾上げテープを熱接着する際にも支障なく容易に行うことができる。
【０５０３】
請求項１７の発明にかかる裾上げ具は、請求項１４乃至請求項１６のいずれか１つの構成において、前記左右の長方形のみ紙またはそれに類似の材料を二重にしたものである。
【０５０４】
これによって、この左右の長方形の上端が裾上げ工程の裾上り線に一致させられるので、このように左右の長方形を二重にすることによって裾上り線での折り曲げを支持する部分が強化されることになり、裾上り線での折り曲げがより確実に行われることになる。
【０５０５】
請求項１８の発明にかかる裾上げ具は、請求項１４乃至請求項１７のいずれか１つの構成において、前記左右の長方形の左右に高さが同じかまたは前記裾上げテープの幅以上の高さを有する延長部分を設けるとともに、前記型紙の前記空白部分の左右にも前記裾上げテープの幅以上の高さを有する延長部分を設け、前記各延長部分の端から端までの長さは、前記衣服の裾の一周分より長く切った裾上げテープの長さ以上であるものである。
【０５０６】
これによって、裾上げ具を広げたときに衣服の裾の全周をカバーできるとともに、裾上げテープの全長が裾上げ具の中に収められて保護されるので、確実に裾上げテープによる熱接着仕上げをすることができる。
【０５０７】
請求項１９の発明にかかる裾上げ具は、請求項１４乃至請求項１８のいずれか１つの構成において、前記中心部分及び前記左右の長方形の下に第１の折り曲げ線を境界として第１の折り曲げ部分を設け、その下に第２の折り曲げ線を境界として前記第１の折り曲げ部分と同じ幅の第２の折り曲げ部分を設け、さらにその下に前記切断部と前記切断線を設けて、前記第１の折り曲げ線において前記第１の折り曲げ部分を山折りに後方へ折り曲げ、前記第２の折り曲げ線において前記第２の折り曲げ部分を山折りに前方へ折り曲げて前記切断部を前方へ突出させ、前記第１の折り曲げ部分の上面に両面テープで前記裾上げテープを貼り付けて止め、そのまま小さく折り畳んで使用するか、または前記第１の折り曲げ部分と前記第２の折り曲げ部分を接着剤または両面テープで接着してから小さく折り畳んで使用するものである。
【０５０８】
このように、本発明にかかる裾上げ具は、本体に型紙を貼り付ける必要なしに一枚の紙等から作られている。この裾上げ具を小さく折り畳む手順や、裾上げ具を用いて衣服の裾上げを行う場合の手順については、請求項１４の発明にかかる裾上げ具８と同様である。
【０５０９】
このようにして、本発明の裾上げ具は１枚の紙を折り曲げて製造できるので製造が容易であり、衣服の裾長さを着用する人に合わせて極めて短時間で調節することができ、購入した衣服をその場で持って帰ってもらうことができる。
【０５１０】
請求項２０の発明にかかる裾上げ具は、幅が衣服の裾幅よりも小さい縦長の長方形で全面に剥離紙が貼られている片面全面接着紙を裏面を剥離紙として下から数ｃｍの位置で横に折って取付け代とし、この取付け代の中央に縦に切り込みを入れ、前記取付け代の上端から前記片面全面接着紙の上端まで一定間隔で前記片面全面接着紙の底辺に平行に前記片面全面接着紙の表面の左端から右端まで目盛り線を引き、前記片面全面接着紙を前記切り込みの延長線の前記目盛り線に垂直な縦方向中心線でまたは該縦方向中心線に平行な線で横に２つ以上に折り、前記取付け代の上端から前記片面全面接着紙の上端までを等分して上方から順に折り畳んで行き、最後の折り畳みで前記取付け代の上端に一致するように折り畳んだものである。
【０５１１】
この裾上げ具を用いるときは、衣服の表側・裏側いずれに付けても裾上げを行うことができる。折り畳んだ状態で脇線または股下線に折り畳み線を沿わせて或いは脇線または股下線を中央にして、取付け代の下側を衣服の仮の裾線に沿わせて粗くミシン掛けし、または接着剤で貼り付け、または工作用両面接着テープで貼り付けることによって、さらには取付け代の下側の裏側の剥離紙を剥がして貼り付けることによって取付ける。
【０５１２】
そして、顧客の試着または股下寸法からの算出によって決定した裾上げ線の位置を衣服の縁にチャコ等で目印を付けておき、折り畳んだ裾上げ具を上へ広げ、続いて横に広げて順に剥離紙を剥がして衣服に貼り付けて行き、最終的には全面を広げて貼り付ける。それから、先に付けておいた目印で裾上げ線の位置を確認し、ヘム長さを決めて相当する目盛り線で裾上げ具ごと衣服の裾を切り落とす。続いて、裾上げ線で裾上げ具ごと衣服の裾を裾上げ具が上になるように折り返し、アイロンを掛けて裾上げ線の折り目をしっかり付ける。
【０５１３】
それから、衣服の裾を広げて裾上げ線の折り目から新しい裾線までを全周に亘って折り返し、裾上げ線の折り目に再度アイロンを掛ける。後は裾上げ具を剥がして取り除き、新しい裾線の全周を裾上げテープで衣服の裏側に熱接着すれば、片足の裾上げは完了する。もう一方の足の裾上げを行う際には、両足を揃えることによって裾上げ線の位置を確認し、もう一方の足の裾を裏返して裾上げ線に沿って裾上げ具を貼り付けることになる。
【０５１４】
ここで、新しい裾上げ具を貼り付けても良いが、片足の裾上げに用いて剥がした使用済みの裾上げ具を貼り付けることもできる。アパレル用の片面全面接着紙は剥がし易いだけでなく、一度の貼り付けでは粘着力を失わず３〜４回の貼り替えでも十分な粘着力を有しているので、再使用が可能である。但し、目盛り線がヘム長さに合わせて切断されているので、再使用における切断は目盛り線の切断線に沿って生地だけを切ることになる。
【０５１５】
このようにして、本発明の裾上げ具は、衣服の裾長さを着用する人に合わせて極めて短時間で調節することができ、購入した衣服をその場で持って帰ってもらうことができる。
【０５１６】
請求項２１の発明にかかる裾上げ具は、請求項２０の構成において、前記片面全面接着紙の横に２つ以上に折った部分ごとに、また前記片面全面接着紙の上端までを等分して上方から順に折り畳んだ部分ごとに、前記片面全面接着紙の裏側の剥離紙が剥がせるように前記剥離紙に切れ目を入れたものである。
【０５１７】
衣服の素材には、張りがあって伸び縮みしないものと、張りがなく伸び縮みするものとがある。後者のものは片面全面接着紙の大きな面積を一度に貼り付けると綺麗に貼れない場合がある。そこで、折り曲げた部分ごとに少しずつ衣服に貼り付けられるように、片面全面接着紙の裏側の剥離紙に切れ目を入れることによって、どのような素材からなる衣服にでも綺麗に片面全面接着紙の全面を貼り付けることができる。
【０５１８】
請求項２２の発明にかかる裾上げ具は、幅が衣服の裾幅よりも小さい縦長の長方形の紙の裏面に縦方向に複数本の両面テープを貼り、下から数ｃｍの位置で横に折って取付け代とし、この取付け代の中央に縦に切り込みを入れ、前記取付け代の上端から前記長方形の紙の上端まで一定間隔で前記長方形の紙の底辺に平行に前記長方形の紙の表面の左端から右端まで目盛り線を引き、前記長方形の紙を前記切り込みの延長線の前記目盛り線に垂直な縦方向中心線でまたは該縦方向中心線に平行な線で横に２つ以上に折り、前記取付け代の上端から前記長方形の紙の上端までを等分して上方から順に折り畳んで行き、最後の折り畳みで前記取付け代の上端に一致するように折り畳んだものである。
【０５１９】
このように、この裾上げ具は片面全面接着紙を使用せず、普通の紙の裏側に縦方向に複数本の両面テープを貼り付けて、後は片面全面接着紙の場合と同様に製造したものである。また、この裾上げ具を用いた衣服の裾上げの手順も同様であるが、広げた裾上げ具を衣服の裏に貼り付けるときは両面テープの部分にしか接着部分がないので、中間部分が弛んだり皺にならないように引張りながら貼り付けなければならない。
【０５２０】
このようにして、本発明にかかる裾上げ具は、片面全面接着紙を用いず普通の紙に複数本の両面テープを貼り付けて製造されるので、より安価に製造することができるとともに、衣服の裾長さを着用する人に合わせて極めて短時間で調節することができ、購入した衣服をその場で持って帰ってもらうことができる。
【０５２１】
請求項２３の発明にかかる裾上げ具は、請求項２０乃至請求項２２のいずれか１つの構成において、前記縦方向中心線上に１または２以上の貫通孔が穿設されているものである。
【０５２２】
これによって、縦方向中心線を脇線または股下線に合わせて貼り付ける場合に、貫通孔から脇線または股下線が見えるので、縦方向中心線を脇線または股下線に合わせるのが容易になり、より正確な裾上げ具の貼り付けと裾上げが可能になる。
【０５２３】
請求項２４の発明にかかる裾上げ具は、請求項２０乃至請求項２３のいずれか１つの構成において、前記目盛り線の前記一定間隔を１ｃｍとし、筆記具で引いた目盛り線に加えてミシン目または溝を設けたことを特徴とするものである。
【０５２４】
請求項２０乃至請求項２３の構成においては、目盛り線の間隔は一定間隔として特に単位は定めていなかった。したがって、インチ単位でもフィート単位でもヤード単位でも寸単位でも、とにかくヘム長さが決まれば、目盛り線がどんな間隔で引かれていても裾上げを行うことができる。しかし、日本国内においては、メートル法にしたがってメートル単位を用いるのが一般的であるし、定規もメジャーもメートル単位で作られている。また、自分の股下寸法を覚えている人についてもセンチメートル単位で覚えている人が多い。さらに、出来上がりの衣服の裾長さも１ｃｍの誤差範囲内に入っていれば大多数の顧客は満足する。そこで、目盛り線の間隔を１ｃｍとすることによって、混乱することなくよりスムーズに裾上げ作業を行うことができる。
【０５２５】
請求項２５の発明にかかる裾上げ機能付き衣服は、請求項２０乃至請求項２４のいずれか１つに記載の裾上げ具を衣服の裾の裏側に前記縦方向中心線側を脇線または股下線に揃え、或いは前記縦方向中心線を脇線または股下線に揃え、前記取付け代の下端をほぼ裾線に揃えて、下側になった前記取付け代をミシン掛けまたは接着剤または工作用の両面接着テープで仮止めして、上側になった前記取付け代は上方に折り返して、折り畳んだ部分が膨らんでこないように、上方に折り返した前記取付け代と下側になった前記取付け代、前記２つ以上に折った部分の左側と前記衣服の裏側、前記折り畳んだ部分の上端と前記衣服の裏側、そして前記２つ以上に折った部分の右側と前記衣服の裏側のうち少なくとも２箇所を粘着テープで止めたものである。
【０５２６】
請求項２０乃至請求項２４のいずれか１つに記載の裾上げ具を用いることによって、請求項２０にかかる裾上げ具について説明したように、スムーズに衣服の裾上げを行うことができる。そこで、これらの裾上げ具のうち１つを衣服の裾の裏側に縦方向中心線側を脇線または股下線に揃え、或いは縦方向中心線を脇線または股下線に揃えて、取付け代の下端をほぼ裾線に揃えて仮止めすることによって、請求項２０にかかる裾上げ具について説明した手順にしたがって、スムーズに裾上げを行うことができる。
【０５２７】
このようにして、裾長さを着用する人に合わせて極めて短時間で調節することができ、購入したその場で持って帰ってもらうことができる裾上げ機能付き衣服となる。
【０５２８】
請求項２６の発明にかかる裾上げ具は、紙またはそれに類似のある程度弾力性があってしかも折り曲げたときには素直に折り曲げることができる適度なしなやかさを兼ね備えた材料からなり、中央の長方形及びその左右に連続する高さが同じ左右の長方形と、前記中央の長方形及び前記左右の長方形の下に第１の折り曲げ線を境界として第１の折り曲げ部分を設け、その下に第２の折り曲げ線を境界として前記第１の折り曲げ部分と同じ幅の第２の折り曲げ部分を設け、さらにその下に切断部と切断線を設けて、前記中央の長方形及び前記左右の長方形の裏側上端に沿ってそれぞれ両面テープを貼り付け、前記第１の折り曲げ線において前記第１の折り曲げ部分を山折りに後方へ折り曲げ、前記第２の折り曲げ線において前記第２の折り曲げ部分を谷折りに前方へ折り曲げて前記切断部を前方へ突出させ、前記中央の長方形の中心から前記切断部にかけて１本の垂線を引き、前記第１の折り曲げ部分の上面に両面テープで衣服の裾全周より長く切った裾上げテープを貼り付けて止め、そのまま小さく折り畳んで使用するか、または前記第１の折り曲げ部分と前記第２の折り曲げ部分を接着剤または両面テープで接着してから小さく折り畳んで使用するものである。
【０５２９】
このように、本発明にかかる裾上げ具は、本体に型紙を貼り付ける必要なしに一枚の紙等から作られており、裾上げテープも予めセットされている。この裾上げ具を小さく折り畳む手順や、裾上げ具を用いて衣服の裾上げを行う場合の手順については、請求項１４の発明にかかる裾上げ具と同様である。即ち、本発明にかかる裾上げ具も請求項１４の発明にかかる裾上げ具と同様、衣服の表側に貼り付けて使用するものであり、１本の垂線を衣服の表側の脇線または股下線に一致させて取り付けられる。
【０５３０】
このようにして、本発明の裾上げ具は１枚の紙を折り曲げて製造でき、さらに接着部分や左右の長方形の二重部分が省略されているので構造が簡単であり、したがって製造がより容易となり、裾上げテープも予めセットされているので衣服の裾長さを着用する人に合わせて極めて短時間で調節することができ、購入した衣服をその場で持って帰ってもらうことができる。
【０５３１】
請求項２７の発明にかかる裾上げ具は、請求項２６の構成において、前記第１の折り曲げ線において前記第１の折り曲げ部分を谷折りに上方へ折り曲げ、前記第２の折り曲げ線において前記第２の折り曲げ部分を山折りに下方へ折り曲げて前記切断部を下方へ突出させ、前記中央の長方形の中央から前記切断部にかけて１本の垂線を引き、前記第２の折り曲げ部分の裏面に両面テープで衣服の裾全周より長く切った裾上げテープを貼り付けて止めるとともに前記切断部の前記切断線より内側の部分の裏側にも細く切った両面テープを貼り付け、そのまま小さく折り畳んで使用するか、または前記第１の折り曲げ部分と前記第２の折り曲げ部分を接着剤または両面テープで接着してから小さく折り畳んで使用するものである。
【０５３２】
即ち、本発明にかかる裾上げ具は、請求項２６の発明にかかる裾上げ具と同じ型紙から第１の折り曲げ部分と第２の折り曲げ部分を向こう側に折り返す代わりに手前側へ折り返したものであり、請求項２６の発明にかかる裾上げ具が衣服の裾の表側に貼り付けて使用されるのに対して、本発明にかかる裾上げ具は衣服の裾の裏側に貼り付けて使用されるものである。
【０５３３】
この裾上げ具を用いるときには、顧客の試着または顧客の股下寸法からの算出によって決定した裾上げ線に、中央の長方形及び左右の長方形の上端を沿わせるとともに１本の垂線を衣服の裏側の脇線または股下線に合わせて、中央の長方形及び左右の長方形の裏側の上端の両面テープの剥離紙を剥がして中央の長方形及び左右の長方形を衣服の裏側に貼り付ける。それから、衣服を完全に裏返しにするが、この裾上げ具は中央の長方形及び左右の長方形の裏側の上端の両面テープで衣服の裏側にしっかり貼り付いているので、中央の長方形及び左右の長方形の上端が裾上げ線からずれることはない。
【０５３４】
続いて、切断線で衣服の裾を切り落として予め定められたヘム長さとしてから、中央の長方形及び左右の長方形の上端即ち裾上げ線で衣服の裾を裾上げ具ごと折り返してアイロンを掛け、裾上げ線の折り目をしっかり付ける。それから、衣服の裾を広げて裾上げ線の折り目から折り返して、全周に亘って新しい裾線を反転させる。そして、取り付け時とは上下逆になっている裾上げ具の第２の折り曲げ部分を引き出して折り畳まれて収容されていた裾上げテープを引き出し、切断部の裏側に貼り付けられている両面テープの剥離紙を剥がして、第２の折り曲げ線から折って折り返された衣服の裾に貼り付ける。すると、第２の折り曲げ部分に貼り付けられている裾上げテープの幅方向の中心線が丁度新しい裾線と一致する位置に来る。
【０５３５】
そこで、第２の折り曲げ線から裾上げ具を分断して、折り返された衣服の裾の中に入っている部分の裾上げ具を取り除いた後、第２の折り曲げ部分の上からアイロンを掛けて新しい裾線を裾上げテープによって熱接着する。そして、残り約半周分の裾上げテープを後側へ回して後側の新しい裾線もアイロンを掛けて裾上げテープによって熱接着する。後は、残された裾上げ具の部分（第２の折り曲げ部分及び切断部）を剥がして取り除けば完了である。
【０５３６】
このように、本発明にかかる裾上げ具は、請求項２６の裾上げ具と類似の構成を持ちながら衣服の裏側に取り付けて裾上げができるものであり、構造が簡単で製造し易くより安価になり、裾上げテープが予めセットされているのでより短時間で裾上げができる裾上げ具となる。
【０５３７】
請求項２８の発明にかかる裾上げ具は、幅が衣服の裾幅よりも小さい縦長の長方形で全面に剥離紙が貼られている片面全面接着紙を裏面を剥離紙として下から数ｃｍの位置で横に折って取付け代とし、この取付け代の中央に縦に切り込みを入れ、前記取付け代の上端から前記片面全面接着紙の上端まで一定間隔で前記片面全面接着紙の底辺に平行に前記片面全面接着紙の表面の左端から右端まで目盛り線を引き、前記片面全面接着紙の上端を山折りに向こう側へ折り、裾上げテープの幅と同じ長さ下がったところで谷折りして上方に折り返して、折り返し部分に両面テープで衣服の裾全周より長く切った前記裾上げテープを止めて、前記折り返し部分から両側へはみ出した前記裾上げテープは折り返して前記折り返し部分に収容し、前記片面全面接着紙を前記切り込みの延長線の前記目盛り線に垂直な縦方向中心線でまたは該縦方向中心線に平行な線で横に２つ以上に折り、前記取付け代の上端から前記片面全面接着紙の上端までを等分して上方から順に折り畳んで行き、最後の折り畳みで前記取付け代の上端に一致するように折り畳んだものである。
【０５３８】
即ち、本発明の裾上げ具は、請求項２０の発明にかかる片面全面接着紙を用いた裾上げ具に加えて、予め裾上げテープをセットしたものであり、基本的な構成は請求項２０の発明にかかる裾上げ具に類似しており、異なるのは上端部分に裾上げテープを収容する折り曲げ部分が作られている点のみである。したがって、裾上げ具の折り畳み方や衣服の裾への取付け方も同じであり、裾上げのやり方も途中までは同様である。
【０５３９】
異なるのは、裾上げ線で折り曲げてアイロンで裾上げ線の折り目をしっかり付けた後からであり、広げて貼り付けられている裾上げ具を上端から剥がして上端を切断線つまり新しい裾線に一致させて、その位置で裾上げ具を二つ折りにする。この二つ折りの位置は、通常は裾上げ線より上に来るので、次に裾上げ線で二つ折りにした裾上げ具ごと衣服の裾（ヘム部分）を上に折り返す。後は、請求項２７の発明にかかる裾上げ具と同様な操作を行って、新しい裾線を裾上げテープで衣服の裾の裏側に熱接着して止めれば良い。
【０５４０】
仮に、着用者の股下が短くて、二つ折りの位置が裾上げ線より下に来てしまった場合には、二つ折りにした裾上げ具を一旦取り外して伸ばし、上端が裾上げ線と一致するように貼り付け直して新しい裾線から下へはみ出した部分は全て切り落とし、もう一度剥がして切り落とした線が裾上げ線と一致するように貼り付け直す必要がある。
【０５４１】
このようにして、本発明にかかる裾上げ具は予め裾上げテープがセットしてあるので、より短時間で裾上げを行うことができる。
【０５４２】
請求項２９の発明にかかる裾上げ具は、請求項２８の構成において、前記片面全面接着紙の上端を谷折りに手前側へ折り、裾上げテープの幅の１．５倍の長さのところでカットして、カット線から裾上げテープの幅の半分入った部分に両面テープで衣服の裾全周より長く切った前記裾上げテープを止めて、両側へはみ出した前記裾上げテープは折り返して収容したものである。
【０５４３】
このように、本発明にかかる裾上げ具は、請求項２８にかかる裾上げ具と殆ど同じであり、ただ裾上げテープの取付け方が異なるだけである。したがって、裾上げ具の折り畳み方や衣服の裾への取付け方も同じであり、裾上げのやり方も途中までは同様である。異なるのは、裾上げ線で折り曲げてアイロンで裾上げ線の折り目をしっかり付けた後からであり、広げて貼り付けられている裾上げ具を上端から剥がして、取付けられている裾上げテープの幅方向の中心線を切断線つまり新しい裾線に一致させて、その位置で裾上げ具を二つ折りにする。
【０５４４】
この二つ折りの位置は、通常は裾上げ線より上に来るので、次に裾上げ線で二つ折りにした裾上げ具ごと衣服の裾（ヘム部分）を上に折り返す。後は、請求項２７の発明にかかる裾上げ具と同様な操作を行って、新しい裾線を裾上げテープで衣服の裾の裏側に熱接着して止めれば良い。
【０５４５】
仮に、着用者の股下が短くて、二つ折りの位置が裾上げ線より下に来てしまった場合には、二つ折りにした裾上げ具を一旦取り外して伸ばし、取付けられている裾上げテープの幅方向の中心線が裾上げ線と一致するように貼り付け直して新しい裾線から下へはみ出した部分は全て切り落とし、もう一度剥がして切り落とした線が裾上げ線と一致するように貼り付け直す必要がある。
【０５４６】
このようにして、本発明にかかる裾上げ具は予め裾上げテープがセットしてあるので、より短時間で裾上げを行うことができる。
【０５４７】
請求項３０の発明にかかる裾上げ具は、請求項２８の構成において、前記片面全面接着紙の上端を山折りに向こう側へ折り、裾上げテープの幅と同じ長さ下がったところで谷折りして上方に折り返して、最初の山折り線から若干上へはみ出させたところで再び谷折りして下方へ折り返して、最初の谷折り線のところでまた谷折りして上方に折り返して、前記片面全面接着紙の上端が最初の山折り線に略一致するように折り、最後の折り返し部分を最初の折り返し部分に接着して固定し、二重になった折り返し部分の手前側を３つ目の谷折り線から裾上げテープの幅だけ剥離紙を剥がして衣服の裾全周より長く切った前記裾上げテープを止めて、前記折り返し部分から両側へはみ出した前記裾上げテープは折り返して前記折り返し部分に収容し、前記折り返し部分の上端のはみ出させた部分の剥離紙を剥がせるように切れ目を入れ、前記第１の谷折り線から前記裾上げテープの幅の１／２上がったところには目印線を引いたものである。
【０５４８】
即ち、本発明にかかる裾上げ具は、請求項２８にかかる裾上げ具において両面テープで裾上げテープを止めて、両面テープで二つ折りした先端を新しい裾線に沿って貼り付けているのを、裾上げテープ収容部分を二重に折ることによって片面全面接着紙の剥離紙を剥がすだけで裾上げテープを止めて、かつ二つ折りした先端を衣服の裾に貼り付けることができる。これによって、両面テープを一々貼り付ける手間が省けてより製造し易い裾上げ具となる。
【０５４９】
本発明にかかる裾上げ具による裾上げの手順は、請求項２８にかかる裾上げ具の場合と若干異なっている。即ち、請求項２０の発明にかかる裾上げ具と同様に折り畳んで衣服の裾に仮止めした裾上げ具を、裾上げ線を決定して衣服を完全に裏返してから広げながら衣服の裏側に貼り付けて行き、ヘム長さを決めて相当する目盛り線に沿って鋏で切り落とし、裾上げ線に沿って折り返してアイロンで裾上げ線に折り目をしっかり付けるところまでは同様である。異なるのは、この時点で衣服の裾を広げて裾上げ線から折り返してしまう点である。
【０５５０】
それから、裾上げテープの折り返し部分を取り出して裾上げ具を上端から剥がし、目印線が裾上げされた新しい裾線に一致するように二つ折りして、折り返し部分の上端のはみ出させた部分の剥離紙を剥がして衣服のヘム部分に貼り付ける。そして、ヘム部分に入っている裾上げ具の下端部分を衣服から剥がして引き出し、裾上げ具の上からアイロンを掛けて裾上げテープで裾上げされた新しい裾線を衣服の裏側に熱接着する。さらに、衣服の裾を裏返して残りの半周についてもアイロンを掛けて裾上げテープで熱接着する。最後に裾上げ具を剥がして取り除けば、片足の裾上げは完了である。
【０５５１】
このように、本発明にかかる裾上げ具による裾上げは、先に裾上げを済ませてしまってから裾上げ具を上から剥がして二つ折りにして裾上げテープを新しい裾線に合わせるので、顧客の股下が短くても関係なく裾上げができて、請求項２８にかかる裾上げ具よりもさらに裾上げが容易にできる。
【０５５２】
請求項３１の発明にかかる裾上げ具は、請求項２９の構成において、前記片面全面接着紙の上端を谷折りに手前側へ折り、裾上げテープの幅より長い位置のところで再び谷折りして上方へ折り返して、第１の谷折り線のところでまた谷折りして下方に沿って折り返して、前記片面全面接着紙の上端が第２の谷折り線と略一致するように折り、最後の折り返し部分を前記片面全面接着紙の表側に接着して固定し、第３の谷折り線から前記裾上げテープの幅の分だけ剥離紙を剥がして衣服の裾全周より長く切った前記裾上げテープを止めて、両側へはみ出した前記裾上げテープは折り返して収容し、前記片面全面接着紙の内側の残った部分は前記剥離紙を剥がせるように切れ目を付け、前記第１の谷折り線から前記裾上げテープの幅の１／２下がったところには目印線を引いたものである。
【０５５３】
即ち、本発明にかかる裾上げ具も、請求項２９にかかる裾上げ具において両面テープで裾上げテープを止めて、両面テープで二つ折りした先端を新しい裾線に沿って貼り付けているのを、裾上げテープ収容部分を二重に折ることによって片面全面接着紙の剥離紙を剥がすだけで裾上げテープを止めて、かつ二つ折りした先端を衣服の裾に貼り付けることができる。これによって、両面テープを一々貼り付ける手間が省けてより製造し易い裾上げ具となる。
【０５５４】
そして、本発明にかかる裾上げ具による裾上げも、先に裾上げを済ませてしまってから裾上げ具を上から剥がして二つ折りにして裾上げテープを新しい裾線に合わせるので、顧客の股下が短くても関係なく裾上げができて、請求項２９にかかる裾上げ具よりもさらに裾上げを容易に行うことができる。
【０５５５】
請求項３２の発明にかかる裾上げ具は、紙またはそれに類似のある程度弾力性があってしかも折り曲げたときには素直に折り曲げることができる適度なしなやかさを兼ね備えた材料からなり、幅が衣服の裾幅に近く前記幅方向に沿って２つに山折りに折られた本体部分と、前記本体部分の一方に接続して同じ幅で短く設けられた第１の接着部分と、前記本体部分の他方に接続して同じ幅で短く設けられた第２の接着部分とを具備し、前記第１の接着部分の裏側、前記第２の接着部分の裏側、及び前記本体部分の裏側の一部または全面に両面テープが貼り付けられ、前記本体部分の表側には、前記幅方向に沿って一定間隔で平行に複数の目盛り線が引かれ、これらの複数の目盛り線と垂直に前記本体部分の中央に前記第１の接着部分の表側、前記本体部分の表側、前記第２の接着部分の表側に亘って１本の垂線が引かれているものである。
【０５５６】
この裾上げ具を用いるときは、顧客の試着または顧客の股下寸法からの算出によって決定した裾上げ線に、第１の接着部分と本体部分との境界線を沿わせるとともに１本の垂線を衣服の裏側の脇線または股下線に合わせて、第１の接着部分の裏側の両面テープの剥離紙を剥がして第１の接着部分を衣服の裏側に貼り付ける。続いて、衣服を完全に裏返し、本体部分の裏側の両面テープの剥離紙を全て剥がして下へ引張り、山折り部分が真っ直ぐになるように伸ばしながら本体部分を衣服の裏側に貼り付ける。最後に、第２の接着部分の裏側の両面テープの剥離紙を剥がして第２の接着部分を衣服の裏側に貼り付ける。
【０５５７】
それから、ヘム長さを決めてそのヘム長さに相当する目盛り線に沿って本体部分ごと衣服の裾を切り落とすが、このとき裾上げ具が貼り付けられて衣服がぴんと張っているので真っ直ぐに切り易い。続いて、裾上げ線即ち第１の接着部分と本体部分との境界線で衣服の裾を裾上げ具とともに折り返し、アイロンを掛けて裾上げ線の折り目をしっかり付ける。そして、元に戻して両面テープを全て剥がすことによって裾上げ具を衣服から取り外し、衣服の裾の中に両手を入れて裾上げ線の折り目の対向する位置を摘んで広げるように引っ張る。すると、裾上げ線から切断によって新しくできた裾線までの生地（ヘム部分）が綺麗に反転する。
【０５５８】
このように、本発明においては、衣服の裾を片側に折って折り目を付けるだけで衣服の裾の全周を一瞬にして綺麗に折り返すことができ、画期的な裾上げ方法となる。後は、裾上げ線にしっかりアイロンを掛け、新しくできた裾線を全周に亘って裾上げテープで衣服の裏側に熱接着して止めれば、片足の裾上げは完了する。なお、この裾上げ具は衣服の裏側のみならず衣服の表側の脇線または股下線に合わせて裾上げ線に沿って貼り付けても同様に裾上げを行うことができるが、最終段階で衣服の裾の全周を一瞬にして綺麗に折り返すことはできず、手間がかかる。
【０５５９】
また、衣服の片足の裾上げが完了してもう一方の足の裾上げを行う際には、両足を揃えることによって裾上げ線の位置を確認し、もう一方の足の裾を裏返して裾上げ線に沿って裾上げ具を貼り付けることになる。ここで、新しい裾上げ具を貼り付けても良いが、片足の裾上げに用いて剥がした使用済みの裾上げ具を貼り付けることもできる。アパレル用の両面テープは剥がし易いだけでなく、一度の貼り付けでは粘着力を失わず３〜４回の貼り替えでも十分な粘着力を有しているので、再使用が可能である。但し、本体部分がヘム長さに合わせて切断されているので、再使用における切断は本体部分の切断線に沿って生地だけを切ることになる。
【０５６０】
以上説明したように、本発明にかかる裾上げ具は、衣服の裾長さを着用する人に合わせて極めて短時間で調節することができる。具体的には、慣れた店員であれば片足５分程度即ち両足で１０分程度で完了するので、顧客を長時間待たせることなくその場で購入した紳士用ズボン等の衣服を持って帰ってもらうことができる。
【０５６１】
請求項３３の発明にかかる裾上げ具は、請求項３２の構成において、前記本体部分のいずれか一方または両方に山折り線を除く３辺に沿ってミシン目または切り取り溝からなる切り取り線が設けられ、該切り取り線と前記山折り線で囲まれた部分の表裏に一定間隔で平行に複数の目盛り線が引かれているとともに表裏のそれぞれ一部に両面テープが貼り付けられているものである。
【０５６２】
この裾上げ具を用いるときは、顧客の試着または顧客の股下寸法からの算出によって決定した裾上げ線に、第１の接着部分と本体部分との境界線を沿わせるとともに１本の垂線を衣服の裏側の脇線または股下線に合わせて、第１の接着部分及び第２の接着部分の裏側の両面テープの剥離紙を剥がして第１の接着部分及び第２の接着部分を密着させて衣服の裏側に貼り付ける。それから、衣服を完全に裏返すが、裾上げ具は第１の接着部分及び第２の接着部分によってしっかり貼り付いているので、第１の接着部分と本体部分との境界線が裾上げ線からずれることはない。
【０５６３】
続いて、切り取り線を設けたのが第１の接着部分側の場合には、外側から取り外すことになり、３辺に沿った切り取り線を切り離して本体部分を二つ折りにしたまま下方に倒し、３辺を切り離した部分を山折り線で下方に折り返す。この場合は、裏側に引かれた複数の目盛り線を用いることになる。また、表側の一部に貼り付けられた両面テープの剥離紙を剥がして３辺を切り離した部分を衣服の裏側に貼り付けることになる。
【０５６４】
一方、切り取り線を設けたのが第２の接着部分側の場合には、内側から取り外すことになり、３辺に沿った切り取り線を切り離して本体部分を二つ折りにしたまま下方に倒し、３辺を切り離した部分を下方に引き出す。この場合は、表側に引かれた複数の目盛り線を用いることになる。また、裏側の一部に貼り付けられた両面テープの剥離紙を剥がして３辺を切り離した部分を衣服の裏側に貼り付けることになる。
【０５６５】
さらに、本体部分の全体に亘って切り取り線を設けた場合には、第１の接着部分側でも第２の接着部分側でもいずれの側からも切り離すことができる。
【０５６６】
後は、請求項３２の発明にかかる裾上げ具の場合と同様の手順で裾上げを行うことができる。このようにして、本発明にかかる裾上げ具は、衣服の裾長さを着用する人に合わせて極めて短時間でかつ確実に調節することができ、顧客を長時間待たせることなくその場で購入した紳士用ズボン等の衣服を持って帰ってもらうことができる。
【０５６７】
請求項３４の発明にかかる裾上げ具は、請求項３３の構成において、前記本体部分のいずれか一方または両方に山折り線を除く３辺のうち１辺は第１の接着部分及び／または第２の接着部分との境界線に沿ってミシン目または切り取り溝からなる切り取り線が設けられているものである。
【０５６８】
これによって、第１の接着部分側でも第２の接着部分側でもいずれの側から切り離した場合でも、３辺を切り離した部分の上下方向の長さが最長になり、ヘム長さの選択範囲が最も広くなる。
【０５６９】
請求項３５の発明にかかる裾上げ具は、請求項３２の構成において、前記第２の接着部分が設けられていないものである。
【０５７０】
これによって、まず第１の接着部分を裾上げ線に沿わせて１本の垂線を脇線または股下線に合わせて貼り付け、次に本体部分の裏の両面テープの剥離紙を全て剥がして下へ引張りながら貼り付けるだけで良く、より簡単に裾上げ具を衣服の裏に取付けることができて、より短時間で同様の手順で裾上げを行うことができる。
【０５７１】
請求項３６の発明にかかる裾上げ具は、請求項３５の構成において、前記第１の接着部分と同形状の部品に糊代が設けられて前記第１の接着部分と前記同形状の部品が並ぶように、前記本体部分の裏側に前記糊代に糊・接着剤・工作用両面接着テープのいずれかをつけることによって接着されており、前記同形状の部品の裏側にも前記両面テープが貼り付けられているものである。
【０５７２】
このようにして第１の接着部分の縦方向の幅を広くすることによって、顧客の試着または顧客の股下寸法からの算出によって決定した裾上げ線に、第１の接着部分と本体部分との境界線を沿わせるとともに１本の垂線を衣服の裏側の脇線または股下線に合わせて、第１の接着部分の裏側の両面テープの剥離紙を剥がして第１の接着部分を衣服の裏側に貼り付ける。それから、衣服を完全に裏返すが、裾上げ具は第１の接着部分の面積の広い接着部分によってしっかり貼り付いているので、第１の接着部分と本体部分との境界線が裾上げ線からずれることはない。
【０５７３】
後は、請求項３２の発明にかかる裾上げ具の場合と同様の手順で裾上げを行うことができる。このようにして、本発明にかかる裾上げ具は、衣服の裾長さを着用する人に合わせて極めて短時間でかつ確実に調節することができ、顧客を長時間待たせることなくその場で購入した紳士用ズボン等の衣服を持って帰ってもらうことができる。
【０５７４】
請求項３７の発明にかかる裾上げ具は、幅が衣服の裾幅に近く前記幅方向に沿って２つに山折りに折られた支持部分と、前記支持部分の一方に接続して同じ幅で設けられた第１の接着部分と、前記支持部分の他方に接続して同じ幅で設けられた第２の接着部分とを具備し、前記第１の接着部分の裏側及び前記第２の接着部分の裏側の一部または全面に両面テープが貼り付けられるとともに前記第１の接着部分及び前記第２の接着部分の幅方向の中央部分にそれぞれ突出部分が設けられて該突出部分に前記幅方向に垂直に垂線が引かれ、前記支持部分の下方にストッパーテープを通すための貫通孔が複数穿設された支持体と、前記貫通孔に通され、長手方向に沿って一定間隔で目盛り線が引かれるとともに、上端部分と下端部分または全長の裏側に両面テープが貼り付けられている複数本の前記ストッパーテープとを有するものである。
【０５７５】
この裾上げ具は、衣服の表側・裏側どちらに貼り付けてもスムーズに裾上げを行うことができる。衣服の表側に貼り付けるときは、顧客の試着または顧客の股下寸法からの算出によって決定した裾上げ線に、支持体の第１の接着部分と支持部分との境界線を沿わせるとともに垂線を衣服の表側の脇線または股下線に合わせて、第１の接着部分及び第２の接着部分の裏側の両面テープの剥離紙を剥がして第１の接着部分及び第２の接着部分を密着させて衣服の表側に貼り付ける。
【０５７６】
続いて、複数本のストッパーテープを複数の貫通孔に通して、下端が仮の裾線の近傍にくるように調節して裏側の両面テープの剥離紙を剥がして、支持体を跨ぐ上端部分と下端部分を衣服の表側に貼り付ける。そして、ヘム長さを決めてヘム長さに相当する複数本のストッパーテープの目盛り線を目安にして、衣服の裾を切り落とす。次に、複数本のストッパーテープを両面テープを剥がすことによって全て取り外し、裾上げ線から支持体とともに衣服の裾を折り返してアイロンで裾上げ線の折り目をしっかり付ける。
【０５７７】
それから、衣服の裾を元に戻して、支持体の支持部分を摘んで持ち上げると折り返した部分（ヘム部分）が折り目から衣服の裾の中に入って行く。後は、支持体を取り外してアイロンで裾上げ線の折り目をしっかり付けてから、切断によってできた新しい裾線を裾上げテープを用いて衣服の裏側に熱接着すれば、片足の裾上げは完了である。
【０５７８】
一方、衣服の裏側に貼り付けるときは、顧客の試着または顧客の股下寸法からの算出によって決定した裾上げ線に、支持体の第１の接着部分と支持部分との境界線を沿わせるとともに垂線を衣服の裏側の脇線または股下線に合わせて、第１の接着部分及び第２の接着部分の裏側の両面テープの剥離紙を剥がして第１の接着部分及び第２の接着部分を密着させて衣服の裏側に貼り付ける。それから、衣服を完全に裏返すが、支持体は第１の接着部分及び第２の接着部分によってしっかり貼り付いているので、第１の接着部分と支持部分との境界線が裾上げ線からずれることはない。
【０５７９】
続いて、複数本のストッパーテープを複数の貫通孔に通して、下端が仮の裾線の近傍にくるように調節して裏側の両面テープの剥離紙を剥がして、支持体を跨ぐ上端部分と下端部分を衣服の裏側に貼り付ける。そして、ヘム長さを決めてヘム長さに相当する複数本のストッパーテープの目盛り線を目安にして、衣服の裾を切り落とす。次に、複数本のストッパーテープを両面テープを剥がすことによって全て取り外し、裾上げ線から支持体とともに衣服の裾を折り返してアイロンで裾上げ線の折り目をしっかり付ける。
【０５８０】
それから、衣服の裾を元に戻して、衣服の裾の中に両手を入れて対向する位置の裾上げ線の折り目を摘んで広げるように引張ると折り返した部分（ヘム部分）が折り目から綺麗に反転する。後は、支持体を取り外してアイロンで裾上げ線の折り目をしっかり付けてから、切断によってできた新しい裾線を裾上げテープを用いて衣服の裏側に熱接着すれば、片足の裾上げは完了である。
【０５８１】
衣服の片足の裾上げが完了してもう一方の足の裾上げを行う際には、表側に取付ける場合も裏側に取付ける場合も、両足を揃えることによって裾上げ線の位置を確認し、もう一方の足の裾を裏返して裾上げ線に沿って支持体を貼り付けることになる。ここで、新しい支持体及び新しいストッパーテープを貼り付けても良いが、片足の裾上げに用いて剥がした使用済みの支持体及びストッパーテープを再度用いることもできる。アパレル用の両面テープは剥がし易いだけでなく、一度の貼り付けでは粘着力を失わず３〜４回の貼り替えでも十分な粘着力を有しているので、再使用が可能である。但し、ストッパーテープはヘム長さに合わせて切断されているので、再使用における切断はストッパーテープの切断線に沿って生地だけを切ることになる。
【０５８２】
以上説明したように、本発明にかかる裾上げ具は、衣服の裾長さを着用する人に合わせて極めて短時間で調節することができる。具体的には、慣れた店員であれば片足５分程度即ち両足で１０分程度で完了するので、顧客を長時間待たせることなくその場で購入した紳士用ズボン等の衣服を持って帰ってもらうことができる。
【０５８３】
請求項３８の発明にかかる裾上げ具は、請求項３７の構成において、前記ストッパーテープに前記一定間隔で前記目盛り線とともにまたは前記目盛り線の代わりに、細長い貫通孔、外に膨らんだ襞、片側または両側に設けられた凸部または凹部のいずれかが設けられたものである。
【０５８４】
これらの構造を前記一定間隔でやや厚めの紙からなるストッパーテープに設けることによって、ヘム長さを決めて衣服の裾を切り落とすときの目安にもなるし、さらに支持体の貫通孔に突起を設ければストッパーテープの細長い貫通孔に嵌合して位置決めができ、支持体の貫通孔の幅を調節することによって外に膨らんだ襞と襞の間の隙間、片側または両側に設けられた凸部または凹部が支持体の貫通孔に引っ掛かって位置決めされることになる。
【０５８５】
このようにして、やや厚めのストッパーテープに種々の構造を一定間隔で設けることによって、ヘム長さを決めて衣服の裾を切り落とすときの目安にもなり、ストッパーテープの位置決めにも役立ってより使い易い裾上げ具となる。
【０５８６】
請求項３９の発明にかかる裾上げ具は、請求項３７または請求項３８の構成において、前記複数本のストッパーテープが下方で前記ストッパーテープを通すための複数の貫通孔と同じ間隔で繋がっており、または前記ストッパーテープが下方で衣服の裾幅近くに幅広となっており、前記繋がった部分及び前記幅広の部分にも前記一定間隔で前記目盛り線が引かれており、裏側の一部または全面に両面テープが貼られているものである。
【０５８７】
これによって、ヘム長さを決めて衣服の裾を切り落とす際の目盛り線が連続した長いものになり、この目盛り線に沿って切ることによって容易に真っ直ぐに切ることができる。さらに、繋がった部分または幅広の部分の裏側の両面テープの剥離紙を剥がして衣服の裾に貼り付けることによって、生地がぴんと張るため、より真っ直ぐに切り易くなる。
【０５８８】
このようにして、独立した複数のストッパーテープの目盛り線を目安にするよりも、遥かに真っ直ぐ切り易くなる裾上げ具となる。
【０５８９】
請求項４０の発明にかかる裾上げ具は、請求項２８乃至請求項３９のいずれか１つの構成において、前記目盛り線の前記一定間隔を１ｃｍとしたものである。
【０５９０】
請求項２８乃至請求項３９の構成においては、目盛り線の間隔は一定間隔として特に単位は定めていなかった。したがって、インチ単位でもフィート単位でもヤード単位でも寸単位でも、とにかくヘム長さが決まれば、目盛り線がどんな間隔で引かれていても裾上げを行うことができる。しかし、日本国内においては、メートル法にしたがってメートル単位を用いるのが一般的であるし、定規もメジャーもメートル単位で作られている。また、自分の股下寸法を覚えている人についてもセンチメートル単位で覚えている人が多い。さらに、出来上がりの衣服の裾長さも１ｃｍの誤差範囲内に入っていれば大多数の顧客は満足する。そこで、目盛り線の間隔を１ｃｍとすることによって、混乱することなくよりスムーズに裾上げ作業を行うことができる。
【０５９１】
請求項４１の発明にかかる裾上げ具は、請求項１乃至請求項１２，請求項２０乃至請求項２４，請求項２８乃至請求項４０のいずれか１つの構成において、前記目盛り線において、筆記具で引いた目盛り線に加えてミシン目または溝を設けたものである。
【０５９２】
このように、筆記具で引いた目盛り線に加えてミシン目または溝を設けることによって、ミシン目の場合には切るときの抵抗が弱くなって切るのが容易になり、溝の場合には鋏が溝にガイドされて目盛り線からそれることなく真っ直ぐに切ることができる。そして、筆記具で引いた目盛り線によってミシン目または溝だけのときよりも見易くなり、より切り易くなる。
【０５９３】
請求項４２の発明にかかる裾上げ具または裾上げ機能付き衣服は、請求項１乃至請求項１２、請求項２０乃至請求項２４、請求項３２乃至請求項３９のいずれか１つ、または請求項１３または請求項２５の構成において、裾上げテープを前記裾全周の長さに切って、前記新しい裾線が幅方向の中心にくるように前記裾上げテープを当てて、小型で薄型のクリップを用いて適当な間隔で止めて行き、全周に亘って止め終わったら、まず前記クリップで止めてある部分以外の前記裾上げテープにアイロンを掛けて前記裾上げテープの熱接着芯を融かして前記新しい裾線を前記衣服の裏側に熱接着させ、前記クリップで止めてある部分のみが残ったところで前記クリップを全て引き抜いて取り除き前記クリップで止めてあった部分にアイロンを掛けて前記新しい裾線を前記衣服の裏側に熱接着させ、最後に全周に亘ってスチームアイロンを掛けて仕上げることによって、前記裾上げテープで前記新しい裾線を前記衣服の裏側に熱接着するものである。
【０５９４】
ここで、「小型で薄型のクリップ」としては、ゼムクリップ、ゼムクリップＶ形、厚紙製クリップ等がある。これらのクリップを用いて、裾全周の長さに切った裾上げテープを衣服の新しい裾線が幅方向の中央にくるように、適当な間隔で全周に亘って止める。ここで、クリップごと裾上げテープの全周に亘ってアイロンを掛けても裾上げテープの熱接着芯を溶融させて熱接着させることは可能であるが、ゼムクリップ、ゼムクリップＶ形等は硬い金属製であるために、クリップの跡が衣服の裾に付いてしまう。特に、衣服の表側に付いたクリップの跡は衣服の商品価値を大きく下落させてしまう。
【０５９５】
そこで、まずクリップで止めていない部分のみにアイロンを掛けて熱接着させて、全周の形が整ったところでクリップを全て取り除いて、クリップで止めてあった部分にも全てアイロンを掛けて熱接着させる。そして、最後に全周に亘ってスチームアイロンを掛けて仕上げる。この接着方法は、次に述べる厚紙製クリップのみを用いる方法に比べると多少手間がかかるが、市販の小型クリップを用いることができ、厚紙製クリップをわざわざ製作しなくても良いという特長がある。
【０５９６】
このようにして、裾上げテープを新しい裾線に沿って適当な間隔でクリップで止め、先にクリップで止めてある周辺以外の部分を熱接着し、それからクリップを取り除いてクリップで止めてあった周辺部分を熱接着することによって、裾上げの最終段階である熱接着工程を短時間でクリップの跡を付けることなくスムーズに行うことができ、紳士用ズボン等の衣服の裾上げを極めて短時間で行うことができる裾上げ具及び裾上げ機能付き衣服となる。
【０５９７】
請求項４３の発明にかかる裾上げ具または裾上げ機能付き衣服は、請求項４２の構成において、前記クリップとして厚紙製のクリップを用いて、前記厚紙製のクリップで止めてある部分も含めて全周に亘ってアイロンを掛けて前記裾上げテープの熱接着芯を融かして前記新しい裾線を前記衣服の裏側に熱接着させ、その後前記厚紙製のクリップを取り除いて最後に全周に亘ってスチームアイロンを掛けて仕上げるものである。
【０５９８】
このように、本接着方法においては、特別に作製した厚紙製のクリップを用いて裾上げテープを新しい裾線に沿って適当な間隔で厚紙製クリップで止め、厚紙製クリップで止めてある部分も含めて裾の全周に亘って１回アイロンを掛けるだけで、裾の全周に亘って裾上げテープの熱接着芯を溶融させて熱接着させることができる。後は、厚紙製クリップを全て取り除いて全周に亘ってスチームアイロンを掛けて仕上げればよい。したがって、請求項４２の接着方法に比べてより短時間で仕上げることができる。
【０５９９】
このようにして、特製の厚紙製クリップを必要数用意しておくだけで、裾上げの最終段階である熱接着工程を、より短時間でスムーズに行うことができ、紳士用ズボン等の衣服の裾上げを極めて短時間で行うことができる裾上げ具及び裾上げ機能付き衣服となる。
【０６００】
請求項４４の発明にかかる裾上げ具または裾上げ機能付き衣服は、請求項１乃至請求項１２、請求項２０乃至請求項２４、請求項３０乃至請求項３９のいずれか１つ、または請求項１３または請求項２５の構成において、衣服の裾の全周よりも長く切った前記裾上げテープの中央付近に、前記衣服の裾幅に近い長さのアパレル用片面接着テープを、前記裾上げテープの幅の半分の幅に切って前記裾上げテープの熱接着面でない面に前記裾上げテープの幅の半分を覆うように貼り付けるか、または前記裾上げテープの幅の半分以上の幅に切って前記裾上げテープの熱接着面でない面に前記裾上げテープの幅の半分を覆うように貼り付けてはみ出した部分は前記裾上げテープを前記新しい裾線に幅の中心を合わせるときに前記衣服の表側に貼り付けるものである。
【０６０１】
このように、裾上げテープの中央付近に裾上げテープの幅の半分を覆うようにアパレル用片面接着テープを貼り付けることによって、裾上げ線で折り返されて裾上げされた新しい裾線にアパレル用片面接着テープの上端を沿わせることによって、誰にでも簡単に裾上げテープの幅方向の中心線を新しい裾線に合わせることができ、この上からアイロンを掛けることによって裾上げテープで新しい裾線を衣服の裏側に熱接着することができる。
【０６０２】
さらに、アパレル用片面接着テープを裾上げテープの幅の半分以上の幅（例えば、裾上げテープとほぼ同じ幅）に切って、裾上げテープの中央付近に裾上げテープの幅の半分を覆うようにアパレル用片面接着テープを貼り付け、裾上げテープの幅から下へはみ出した部分は、新しい裾線にアパレル用片面接着テープの上端を沿わせる際に衣服の折り返された表側に貼り付ければ、これでもう裾上げテープの幅方向の中心線が新しい裾線からずれることがないので、初心者でも容易に裾上げテープによる熱接着を行うことができる。
【０６０３】
後は、残りの約半周の新しい裾線をアパレル用片面接着テープの両側にはみ出した裾上げテープで熱接着してアパレル用片面接着テープを剥がせば、衣服の片足の裾上げは完了である。このようにして、裾上げテープによる熱接着をより容易に行うことができる裾上げ具または裾上げ機能付き衣服となる。
【図面の簡単な説明】
【図１】図１は本発明の実施の形態１にかかる裾上げ具を開いた状態を示す平面図である。
【図２】図２（ａ）は折り畳んだ状態の裾上げ具を示す斜視図、（ｂ）は裾上げ具の目盛り部分を下へ開いた状態を示す斜視図、（ｃ）は裾上げ具の目盛り部分を左右に開いた状態を示す斜視図である。
【図３】図３（ａ）〜（ｇ）は本発明の実施の形態１にかかる裾上げ具を用いた裾上げの手順を示した図である。
【図４】図４（ａ）は本発明の実施の形態１の変形例にかかる裾上げ具を開いた状態を示す平面図、（ｂ）は紳士用ズボンの裾を裏返して変形例にかかる裾上げ具を取付けた状態を示す図である。
【図５】図５（ａ）は本発明の実施の形態２にかかる裾上げ具としての裾上げ紙を示す斜視図、（ｂ）は裾上げ紙の接着部分を紳士用ズボンの裾上げ線の上側に貼り付けた状態を示す図、（ｃ）は裾上げ紙の接着部分を紳士用ズボンの裾上げ線の下側に貼り付けた状態を示す図である。
【図６】図６（ａ）〜（ｃ）は裾上げ紙の接着部分を裾上げ線の上側に貼り付けた場合の広げ方を示す図、（ｄ）〜（ｆ）は裾上げ紙の接着部分を裾上げ線の下側に貼り付けた場合の広げ方を示す図である。
【図７】図７（ａ）は本発明の実施の形態３にかかる裾上げ具としての裾上げ紙を示す平面図、（ｂ）は裾上げ紙の接着部分と第２の接着部分によって紳士用ズボンの裾上げ線を挟んで貼り付けた状態を示す図である。
【図８】図８（ａ）は本発明の実施の形態３の変形例にかかる裾上げ具としての裾上げ紙を示す平面図、（ｂ）は裾上げ紙の接着部分と下部接着部分によって紳士用ズボンの裾上げ線を挟んで貼り付けた状態を示す図である。
【図９】図９（ａ）は本発明の実施の形態４にかかる裾上げ具としての裾上げ紙を折り畳んだ状態を示す斜視図、（ｂ）は裾上げ紙の接着部分と第２の接着部分及び上下の二等辺三角形によって紳士用ズボンの裾上げ線を挟んで貼り付けた状態を示す図、（ｃ），（ｄ）は紳士用ズボンを全部裏返した後、裾上げ紙を開く手順を示す図である。
【図１０】図１０（ａ）は本発明の実施の形態４の変形例にかかる裾上げ具としての裾上げ紙を折り畳んだ状態を示す斜視図、（ｂ）は裾上げ紙の二等辺三角形の接着部分と下部接着部分によって紳士用ズボンの裾上げ線を挟んで貼り付けた状態を示す図、（ｃ），（ｄ）は紳士用ズボンを全部裏返した後、裾上げ紙を開く手順を示す図である。
【図１１】図１１（ａ）は本発明の実施の形態５にかかる裾上げ具としての裾上げ紙を折り畳んだ状態から目盛り部分を下へ開いた状態を示す斜視図、（ｂ）はさらに目盛り部分を左右へ開いた状態を示す斜視図、（ｃ）は全部裏返した紳士用ズボンに裾上げ紙を開いて全周に取付けた状態を示す図である。
【図１２】図１２（ａ）は本発明の実施の形態５の変形例にかかる裾上げ具としての裾上げ紙の主要部分を示す図、（ｂ）は裾上げ紙を折り畳んだ状態を示す斜視図である。
【図１３】図１３（ａ）は本発明の実施の形態６にかかる裾上げ具としての裾上げ紙を開いた状態を示す平面図、（ｂ）は本発明の実施の形態６の変形例にかかる裾上げ紙を開いた状態を示す平面図、（ｃ）は本発明の実施の形態６の別の変形例にかかる裾上げ紙を開いた状態を示す平面図である。
【図１４】図１４（ａ）は本発明の実施の形態７にかかる裾上げ具としての裾上げ紙を開いた状態を示す平面図、（ｂ）は本発明の実施の形態７の変形例にかかる裾上げ紙を開いた状態を示す平面図である。
【図１５】図１５（ａ）は本発明の実施の形態８にかかる裾上げ具の本体の作り方を示す説明図、（ｂ）は本発明の実施の形態８にかかる裾上げ具の型紙の１種類を示す平面図、（ｃ）は別の種類の型紙を示す平面図である。
【図１６】図１６（ａ）は本発明の実施の形態８にかかる裾上げ具の組み立て方を示す斜視図、（ｂ）は組み立て後の構造を示す部分斜視図である。
【図１７】図１７（ａ）は本発明の実施の形態８の改良型にかかる裾上げ具を示す斜視図、（ｂ），（ｃ）は改良型にかかる裾上げ具の作製方法を示す斜視図、（ｄ），（ｅ）は改良型にかかる裾上げ具の別の作製方法を示す斜視図である。
【図１８】図１８（ａ）〜（ｆ）は本発明の実施の形態８の改良型にかかる裾上げ具の折り畳み方を示す説明図である。
【図１９】図１９（ａ）〜（ｄ）は本発明の実施の形態８の改良型にかかる裾上げ具を用いた裾上げの手順を示す説明図である。
【図２０】図２０（ａ）〜（ｄ）は本発明の実施の形態８の改良型にかかる裾上げ具を用いた裾上げの手順を示す説明図である。
【図２１】図２１（ａ）〜（ｅ）は本発明の実施の形態８の改良型にかかる裾上げ具を用いた裾上げの手順を示す説明図である。
【図２２】図２２（ａ）は本発明の実施の形態９にかかる裾上げ具を示す斜視図、（ｂ）は本発明の実施の形態９にかかる裾上げ具の作製方法を示す斜視図、（ｃ）は作製後の構造を示す部分斜視図である。図２３（ａ）は本発明の実施の形態９の変形例にかかる裾上げ具を示す斜視図、（ｂ）は変形例にかかる裾上げ具の構造を示す部分斜視図である。
【図２３】図２３（ａ）は本発明の実施の形態９の変形例にかかる裾上げ具を示す斜視図、（ｂ）は変形例にかかる裾上げ具の構造を示す部分斜視図である。
【図２４】図２４（ａ）は本発明の実施の形態１０にかかる裾上げ具の折り曲げ前の状態を示す斜視図、（ｂ）は本発明の実施の形態１０にかかる裾上げ具の折り曲げ後の構造を示す部分斜視図である。
【図２５】図２５は本発明の実施の形態１１にかかる裾上げ具を広げた状態を示す平面図である。図２６は本発明の実施の形態１１の変形例にかかる裾上げ具を広げた状態を示す平面図である。
【図２６】図２６は本発明の実施の形態１１の変形例にかかる裾上げ具を広げた状態を示す平面図である。
【図２７】図２７（ａ）は裾上げ具９０の各部の寸法の一例を示す概略図、（ｂ）は裾上げ具９０と紳士用ズボン１１の脇線１２の位置関係を示す概略図である。
【図２８】図２８（ａ）は裾上げ具９０の各部の寸法の別の例を示す概略図、（ｂ）は裾上げ具９０と紳士用ズボン１１の脇線１２の位置関係を示す概略図である。
【図２９】図２９（ａ）は本発明の実施の形態１２にかかる裾上げ具としての裾上げ紙を広げた状態を示す図、（ｂ）は裾上げ紙を中央から横に折り畳んだ状態を示す図、（ｃ）はさらに縦に４分の１に折り畳んだ状態を示す図である。
【図３０】図３０（ａ）〜（ｅ）は本発明の実施の形態１２にかかる裾上げ紙の目盛り線及び折り畳み線の種類を示す図である。
【図３１】図３１（ａ）は本発明の実施の形態１２にかかる裾上げ紙を折り畳んだ状態で衣服の裾の裏に取り付ける方法を示す図、（ｂ），（ｃ）はさらにセロハンテープで止めた状態を示す図である。
【図３２】図３２（ａ）〜（ｈ）は本発明の実施の形態１２にかかる裾上げ紙による裾上げの手順を示す説明図である。
【図３３】図３３（ａ）は本発明の実施の形態１３にかかる裾上げ具としての裾上げ紙を広げた状態を示す図、（ｂ）は裾上げ紙を中央に３分の１に折り畳んだ状態を示す図である。
【図３４】図３４は本発明の実施の形態１３の変形例にかかる裾上げ紙を広げた状態を示す図である。
【図３５】図３５は本発明の実施の形態１３の別の変形例にかかる裾上げ紙を広げた状態を示す図である。
【図３６】図３６は本発明の実施の形態１４にかかる裾上げ具としての裾上げ紙を広げた状態を示す図である。
【図３７】図３７（ａ），（ｂ），（ｃ）は折り畳んだ裾上げ紙１４０の仮止めの仕方の様々な例を示す説明図である。
【図３８】図３８（ａ）〜（ｅ）は片面全面接着紙を用いた裾上げ紙の裏面の剥離紙側を示したもので、剥離紙に種々の切れ目を入れることによって様々な剥がし方ができる裾上げ紙の幾つかの例を示したものである。
【図３９】図３９（ａ）〜（ｅ）は、その中の１つの裾上げ紙を用いて小さく折り畳んで衣服としての紳士用ズボンに取付けた状態から、剥離紙を剥がして行く手順の一部を示した説明図である。
【図４０】図４０（ａ）は小さく折り畳んだ裾上げ紙を衣服としての紳士用ズボンの脇線を中心にして取付けた状態を示す図であり、図４０（ｂ）〜（ｇ）はこうして取付けるための裾上げ紙の幾つかの例を示したものである。
【図４１】図４１は小さく折り畳んだ裾上げ具９０の止め方の別例を示す図である。
【図４２】図４２は本発明の実施の形態１５にかかる裾上げ具の全体構成を示す図である。
【図４３】図４３（ａ）〜（ｇ）は本発明の実施の形態１５の変形例にかかる裾上げ具を用いた裾上げの手順を示す図、（ｈ）はさらにその応用例を示す図である。
【図４４】図４４（ａ）は本発明の実施の形態１６にかかる裾上げ具の全体構成を示す図、（ｂ）は本発明の実施の形態１６の第１の変形例にかかる裾上げ具の全体構成を示す図である。
【図４５】図４５は本発明の実施の形態１６にかかる裾上げ具を用いた裾上げの手順を示す図である。
【図４６】図４６（ａ），（ｂ）は本発明の実施の形態１６にかかる裾上げ具を用いた裾上げにおいて股下長さが短かった場合の対処方法を説明するための図である。
【図４７】図４７（ａ）は本発明の実施の形態１６の第２の変形例にかかる裾上げ具の全体構成を示す図、（ｂ）は本発明の実施の形態１６の第３の変形例にかかる裾上げ具の全体構成を示す図、（ｃ），（ｄ）は本発明の実施の形態１６の第２の変形例にかかる裾上げ具を用いた裾上げの手順を示す図である。
【図４８】
【図４９】図４９（ａ）は本発明の実施の形態１７にかかる裾上げ具としての裾上げ紙を折り畳んだ状態を示す斜視図、（ｂ）〜（ｅ）は裾上げ紙の衣服への取付け方を示す説明図である。
【図５０】図５０（ａ），（ｂ）は本発明の実施の形態１７にかかる裾上げ紙の折り畳んだ状態と取付けた状態を改めて示す図、（ｃ），（ｄ）は本発明の実施の形態１７の変形例にかかる裾上げ紙の折り畳んだ状態と取付けた状態を示す図、（ｅ），（ｆ）は本発明の実施の形態１７の別の変形例にかかる裾上げ紙の折り畳んだ状態と取付けた状態を示す図である。
【図５１】図５１（ａ）は本発明の実施の形態１８にかかる裾上げ具としての裾上げ紙を折り畳んだ状態を示す斜視図、（ｂ）は切り取り線を切り取った状態を示す斜視図、（ｃ）は裾上げ紙の衣服への取付け方を示す説明図である。
【図５２】図５２（ａ）は本発明の実施の形態１８の第１の変形例にかかる裾上げ紙の折り畳んだ状態を示す斜視図、（ｂ）は第１の変形例にかかる裾上げ紙の衣服への取付け方を示す説明図である。
【図５３】図５３（ａ）は本発明の実施の形態１８の第２の変形例にかかる裾上げ紙の折り畳んだ状態を示す斜視図、（ｂ），（ｃ）は第２の変形例にかかる裾上げ紙の衣服への取付け方を示す説明図である。
【図５４】図５４（ａ）は本発明の実施の形態１８の第３の変形例にかかる裾上げ紙を折り畳んだ状態を示す斜視図、（ｂ）は切り取り線を切り取った状態を示す斜視図、（ｃ）は裾上げ紙の衣服への取付け方を示す説明図、（ｄ）は反対側を切り取った場合の裾上げ紙の衣服への取付け方を示す説明図である。
【図５５】図５５（ａ）は本発明の実施の形態１９にかかる裾上げ具を構成する支持体を示す斜視図、（ｂ）は裾上げ具全体の構成を示す図である。
【図５６】図５６（ａ）〜（ｅ）は本発明の実施の形態１９の裾上げ具を構成するストッパーテープの様々な変形例を示す図である。
【図５７】図５７（ａ）〜（ｅ）は本発明の実施の形態１９の裾上げ具を構成するストッパーテープの別の変形例を示す図である。
【符号の説明】
１，１６，２０，２５，３０，３１，４０，４５，５０，５５，６０，６６，７９，９０，１０６，１１８，１２０，１２５，１３１，１４０，１４６，１４７，１４８，１４９，１６０Ａ，１６０Ｂ，１６０Ｃ，１６０Ｄ，１６０Ｅ，１７０Ａ，１７０Ｂ，１７０Ｃ，１７０Ｄ，１７０Ｅ，１７０Ｆ，１７０Ｇ，１８０，１９５，２００，２０１，２１１，２１２，２１５，２２０，２４０，２５０，２５１，２５２  裾上げ具
２  目盛り部分
２ａ，２４１  中央の長方形
２ｂ，２ｃ，７４，７５，９４，９５，１０９，１１０，２４２，２４３  左右の長方形
２ｄ，２ｅ，２ｆ，２ｇ，１２６，１２７，１３０，１３２  延長部分
３，１８１，２０４  本体部分
４，２１，３７，３８，７１，９１  接着部分
５  下部接着部分
６，１４１，１５９，１８６，２０６，２３１  目盛り線
７，７ａ  折り曲げ溝
８，２２ａ，２２ｂ，７８，１５５ａ，１５５ｂ，１５５ｃ，１５５ｄ，１８８  両面テープ
９，１０，１０ａ，１０ｂ，２２７  垂線
１１，１５０，１９０  衣服（裾上げ機能付き衣服）
１２，１５２，１９２  脇線
１３，１５３，１９３  裾上げ線
１４  股下線
１５，Ｔ１，Ｔ２  裾上げテープ
２６  第２の接着部分
３２，３３  二等辺三角形
４２  広い溝
４６ａ，４６ｂ，５１ａ，５１ｂ  上部延長部分
４７ａ，４７ｂ，５２ａ，５２ｂ，５６ａ，５６ｂ  切れ目
６１ａ，６１ｂ，６２ａ，６２ｂ，２２６  突出部分
７０，１００，１１４  本体
７２，９２，１０８  中心部分
７７，９８，１１３  下部接合部分
８０，８６，１０１，１０２，１１５  型紙
８１，８７，９９  空白部分
８２，１１６  接合部分
８３，９６，１１１，１２３，２４６  切断部分
８４，９７，１１２，１２４，２４７，２５７  切断線
９１ａ  接着部分の先端
９４ａ，１４２，１５６  切り込み
１０５  アイロン
１２１，２４４  第１の折り曲げ部分
１２１ａ，２４４ａ  第１の折り曲げ線
１２２，２４５  第２の折り曲げ部分
１２２ａ，２４５ａ  第２の折り曲げ線
１４２ａ，１５６ａ  取付け代
１４３，１５８  縦方向中心線
１４８ｄ，１７７，２２５  貫通孔
１５３ａ  目印
１８３，２０２，２２３  第１の接着部分
１８４，２０３，２２４  第２の接着部分
１８７，２０４ｃ，２４８  １本の垂線
１９０ｂ  新しい裾線
２０５  切り取り線
２２１  支持体
２２２  支持部分
２３０，２３０Ａ，２３０Ｂ，２３０Ｃ，２３０Ｄ，２３０Ｅ，２３６Ａ，２３６Ｂ，２３６Ｃ，２３６Ｄ，２３６Ｅ  ストッパーテープ
２３２  細長い貫通孔
２３３  外に膨らんだ襞
２３４  凸部
２３５  凹部
２３７  繋がった部分
２３８  幅広の部分
２５３  裾上げ具の上端
２５５，２５６  裾上げテープ収容部分
２６０，２６２  片面接着テープ
２６１  中心線
Ｓ１，Ｓ２，Ｓ３，Ｓ４  粘着テープ
【図１】
2004285483.tif 000003
【図２】
2004285483.tif 000004
【図３】
2004285483.tif 000005
【図４】
2004285483.tif 000006
【図５】
2004285483.tif 000007
【図６】
2004285483.tif 000008
【図７】
2004285483.tif 000009
【図８】
2004285483.tif 000010
【図９】
2004285483.tif 000011
【図１０】
2004285483.tif 000012
【図１１】
2004285483.tif 000013
【図１２】
2004285483.tif 000014
【図１３】
2004285483.tif 000015
【図１４】
2004285483.tif 000016
【図１５】
2004285483.tif 000017
【図１６】
2004285483.tif 000018
【図１７】
2004285483.tif 000019
【図１８】
2004285483.tif 000020
【図１９】
2004285483.tif 000021
【図２０】
2004285483.tif 000022
【図２１】
2004285483.tif 000023
【図２２】
2004285483.tif 000024
【図２３】
2004285483.tif 000025
【図２４】
2004285483.tif 000026
【図２５】
2004285483.tif 000027
【図２６】
2004285483.tif 000028
【図２７】
2004285483.tif 000029
【図２８】
2004285483.tif 000030
【図２９】
2004285483.tif 000031
【図３０】
2004285483.tif 000032
【図３１】
2004285483.tif 000033
【図３２】
2004285483.tif 000034
【図３３】
2004285483.tif 000035
【図３４】
2004285483.tif 000036
【図３５】
2004285483.tif 000037
【図３６】
2004285483.tif 000038
【図３７】
2004285483.tif 000039
【図３８】
2004285483.tif 000040
【図３９】
2004285483.tif 000041
【図４０】
2004285483.tif 000042
【図４１】
2004285483.tif 000043
【図４２】
2004285483.tif 000044
【図４３】
2004285483.tif 000045
【図４４】
2004285483.tif 000046
【図４５】
2004285483.tif 000047
【図４６】
2004285483.tif 000048
【図４７】
2004285483.tif 000049
【図４８】
2004285483.tif 000050
【図４９】
2004285483.tif 000051
【図５０】
2004285483.tif 000052
【図５１】
2004285483.tif 000053
【図５２】
2004285483.tif 000054
【図５３】
2004285483.tif 000055
【図５４】
2004285483.tif 000056
【図５５】
2004285483.tif 000057
【図５６】
2004285483.tif 000058
【図５７】
2004285483.tif 000059